(57)【要約】【課題】無線端末装置のハンドオーバ動作を適切に制御することにより、通信の安定化を図ることが可能な無線基地局装置、通信システム、通信制御方法および通信制御プログラムを提供する。【解決手段】無線基地局装置１０１は、無線端末装置２０２における各無線基地局装置からの無線信号の受信電力の測定結果を示す受信電力情報を取得するための受信電力情報取得部１１と、受信電力情報よりも短い周期で更新され、無線端末装置２０２における自己の無線基地局装置からの無線信号の受信品質を示す受信品質情報を取得するための受信品質情報取得部１２と、受信品質情報取得部１２によって取得された受信品質情報に基づいて、無線端末装置２０２による自己の無線基地局装置から他の無線基地局装置へのハンドオーバ動作を実行するか否かを判断するためのハンドオーバ動作判断部１３とを備える。【選択図】図２１
2013157974.tif 000002
【特許請求の範囲】
【請求項１】
無線端末装置がハンドオーバ動作を行なうことにより複数の無線基地局装置と通信可能な通信システムにおいて、無線端末装置との間で無線信号を送受信するための無線基地局装置であって、
無線端末装置における各無線基地局装置からの無線信号の受信電力の測定結果を示す受信電力情報を取得するための受信電力情報取得部と、
前記受信電力情報よりも短い周期で更新され、前記無線端末装置における自己の無線基地局装置からの無線信号の受信品質を示す受信品質情報を取得するための受信品質情報取得部と、
前記受信品質情報取得部によって取得された前記受信品質情報に基づいて、前記無線端末装置による自己の無線基地局装置から他の無線基地局装置へのハンドオーバ動作を実行するか否かを判断するためのハンドオーバ動作判断部とを備える、無線基地局装置。
【請求項２】
前記ハンドオーバ動作判断部は、前記受信品質情報取得部によって取得された前記受信品質情報および前記受信電力情報取得部によって取得された前記受信電力情報に基づいて、前記ハンドオーバ動作を実行するか否かを判断する、請求項１に記載の無線基地局装置。
【請求項３】
前記無線基地局装置は、さらに、
前記受信品質情報取得部によって取得された前記受信品質情報に基づいて、前記受信電力情報の作成条件を変更するための条件設定部を備える、請求項２に記載の無線基地局装置。
【請求項４】
前記条件設定部は、前記受信品質情報取得部によって取得された前記受信品質情報から前記受信品質の劣化を検知すると、前記受信電力情報の更新周期を短くする、請求項３に記載の無線基地局装置。
【請求項５】
前記受信電力情報は、所定の開始条件が満たされるとその作成が開始され、
前記条件設定部は、前記受信品質情報取得部によって取得された前記受信品質情報から前記受信品質の劣化を検知すると、前記受信電力情報の作成開始が早まるように前記開始条件を設定する、請求項３または請求項４に記載の無線基地局装置。
【請求項６】
前記ハンドオーバ動作判断部は、前記受信品質情報取得部によって取得された前記受信品質情報が所定条件を満たす場合には、前記ハンドオーバ動作を実行すると判断し、前記無線端末装置による自己の無線基地局装置から所定の無線基地局装置へのハンドオーバ動作を実行する、請求項１に記載の無線基地局装置。
【請求項７】
前記ハンドオーバ動作判断部は、どの無線基地局装置への前記ハンドオーバ動作を実行するかを、前記受信電力情報取得部によって取得された前記受信電力情報に基づいて決定する、請求項６に記載の無線基地局装置。
【請求項８】
前記ハンドオーバ動作判断部は、所定条件を満たす場合に前記ハンドオーバ動作を実行すると判断し、前記受信品質情報取得部によって取得された前記受信品質情報に基づいて前記所定条件を設定する、請求項１に記載の無線基地局装置。
【請求項９】
前記ハンドオーバ動作判断部は、前記受信電力情報取得部によって取得された前記受信電力情報が所定条件を満たす場合に前記ハンドオーバ動作を実行すると判断し、前記受信品質情報取得部によって取得された前記受信品質情報に基づいて前記所定条件を調整する、請求項８に記載の無線基地局装置。
【請求項１０】
前記ハンドオーバ動作判断部は、前記受信品質情報取得部によって取得された前記受信品質情報と、前記受信電力情報取得部によって取得された前記受信電力情報と、前記受信品質情報が更新されてから経過した時間および前記受信電力情報が更新されてから経過した時間の少なくとも一方とに基づいて、前記ハンドオーバ動作を実行するか否かを判断する、請求項１から請求項９のいずれか１項に記載の無線基地局装置。
【請求項１１】
前記ハンドオーバ動作判断部は、前記受信品質情報取得部によって取得された前記受信品質情報および前記受信電力情報取得部によって取得された前記受信電力情報に基づいて、前記ハンドオーバ動作を実行するか否かを判断し、前記ハンドオーバ動作を実行するか否かの判断における前記受信品質情報の重みを、前記受信電力情報に基づいて調整する、請求項１から請求項１０のいずれか１項に記載の無線基地局装置。
【請求項１２】
前記ハンドオーバ動作判断部は、複数回分の前記受信品質情報に基づいて、前記ハンドオーバ動作を実行するか否かを判断する、請求項１から請求項１１のいずれか１項に記載の無線基地局装置。
【請求項１３】
無線端末装置がハンドオーバ動作を行なうことにより複数の無線基地局装置と通信可能な通信システムにおいて、無線端末装置との間で無線信号を送受信し、複数レイヤを有する通信プロトコルに従って動作する無線基地局装置であって、
前記複数レイヤのうちの第１のレイヤに従い、無線端末装置における無線基地局装置からの無線信号の測定結果に基づく第１測定情報を取得するための第１測定情報取得部と、
前記複数レイヤのうち、前記第１のレイヤよりも下位の第２のレイヤに従い、前記無線端末装置における無線基地局装置からの無線信号の測定結果に基づく第２測定情報を取得するための第２測定情報取得部と、
前記第２測定情報取得部によって取得された前記第２測定情報に基づいて、前記無線端末装置による自己の無線基地局装置から他の無線基地局装置へのハンドオーバ動作を実行するか否かを判断するためのハンドオーバ動作判断部とを備える、無線基地局装置。
【請求項１４】
前記第１のレイヤは、３ＧＰＰ(Third Generation Partnership Project)で規定されたＲＲＣ（Radio Resource Control）レイヤであり、
前記第２のレイヤは、３ＧＰＰで規定されたＭＡＣ（Media Access Control）レイヤおよびＰＨＹ（Physical）レイヤの少なくとも一方である、請求項１３に記載の無線基地局装置。
【請求項１５】
前記無線基地局装置は、さらに、
自己の無線基地局装置から他の無線基地局装置への無線端末装置のハンドオーバ動作を行なう要求を前記他の無線基地局装置に対して行なうためのハンドオーバ要求部と、
前記要求に対する前記他の無線基地局装置からの応答を受けて、前記無線端末装置に対して自己の無線基地局装置から前記他の無線基地局装置へのハンドオーバ動作を行なう指示を与えるためのハンドオーバ指示部とを備え、
前記ハンドオーバ指示部は、前記応答を受けて、自己の無線基地局装置および前記無線端末装置間の通信品質に関する所定の実行条件が満たされていない場合には、前記無線端末装置に対する前記指示の付与を中止するかまたは保留する、請求項１から請求項１４のいずれか１項に記載の無線基地局装置。
【請求項１６】
前記ハンドオーバ要求部は、前記要求を複数の前記他の無線基地局装置に対して行う、請求項１５に記載の無線基地局装置。
【請求項１７】
前記ハンドオーバ指示部は、前記応答を受信して、前記応答に対応する前記他の無線基地局装置の中からハンドオーバ先の無線基地局装置を選択し、前記無線端末装置に対して前記ハンドオーバ先の無線基地局装置への前記ハンドオーバ動作を行う指示を与える、請求項１６に記載の無線基地局装置。
【請求項１８】
前記無線基地局装置は、さらに、
前記無線端末装置における各無線基地局装置からの無線信号の受信電力の測定結果を示す受信電力情報よりも短い周期で更新され、前記無線端末装置における自己の無線基地局装置からの無線信号の受信品質を示す受信品質情報を取得するための受信品質情報取得部を備え、
前記ハンドオーバ要求部は、前記受信品質情報取得部によって取得された前記受信品質情報から前記受信品質の劣化が検知された場合に、前記要求を複数の前記他の無線基地局装置に対して行うか否かを判断する、請求項１６または請求項１７に記載の無線基地局装置。
【請求項１９】
前記無線基地局装置は、さらに、
前記無線端末装置における各無線基地局装置からの無線信号の受信電力の測定結果を示す受信電力情報よりも短い周期で更新され、前記無線端末装置における自己の無線基地局装置からの無線信号の受信品質を示す受信品質情報を取得するための受信品質情報取得部を備え、
前記ハンドオーバ指示部は、前記応答を受信した後、前記受信品質情報取得部によって取得された前記受信品質情報から前記受信品質の劣化が検知された場合に、前記ハンドオーバ先の無線基地局装置を選択する、請求項１７に記載の無線基地局装置。
【請求項２０】
前記無線基地局装置は、さらに、
前記受信電力情報を取得するための受信電力情報取得部を備え、
前記ハンドオーバ指示部は、前記受信品質情報取得部によって前記受信品質情報が取得されるよりも前に前記受信電力情報取得部によって取得された前記受信電力情報のうち最新の受信電力情報に示される前記測定結果に基づいて前記ハンドオーバ先の無線基地局装置を選択する、請求項１９に記載の無線基地局装置。
【請求項２１】
無線端末装置との間で無線信号を送受信するための複数の無線基地局装置と、
１または複数の前記無線基地局装置を管理するための複数の通信制御装置とを備える通信システムであって、
前記無線基地局装置は、自己から他の無線基地局装置への前記無線端末装置のハンドオーバ動作を行うハンドオーバ要求を対応の通信制御装置へ送信し、
前記対応の通信制御装置は、前記ハンドオーバ要求の示すハンドオーバ先の前記他の無線基地局装置が自己の管理対象でない場合には、前記他の無線基地局装置を管理する他の通信制御装置へ前記ハンドオーバ要求を送信し、
前記他の通信制御装置は、受信した前記ハンドオーバ要求を前記他の無線基地局装置へ送信し、前記他の無線基地局装置から前記ハンドオーバ要求に対する応答を受信すると前記対応の通信制御装置へ前記応答を送信し、
前記対応の通信制御装置は、前記他の通信制御装置から前記応答を受信して、前記ハンドオーバ要求の送信元の前記無線基地局装置へハンドオーバ指示を送信し、
前記無線基地局装置は、前記ハンドオーバ指示を受信して、前記無線端末装置における各無線基地局装置からの無線信号の受信電力の測定結果を示す受信電力情報よりも短い周期で更新され、前記無線端末装置における自己からの無線信号の受信品質を示す受信品質情報を取得し、取得した前記受信品質情報に基づいて、前記無線端末装置との間の通信品質に関する所定の実行条件が満たされているか否かを判断し、前記実行条件が満たされていない場合には、前記無線端末装置に対する前記ハンドオーバ動作を行なう指示の付与を中止するかまたは保留する、通信システム。
【請求項２２】
無線端末装置との間で無線信号を送受信するための複数の無線基地局装置と、
１または複数の前記無線基地局装置を管理するための通信制御装置と、
１または複数の前記無線基地局装置と上位ネットワークとの間に接続され、前記無線基地局装置経由で前記無線端末装置から受信した通信データを前記上位ネットワークへ送信するとともに、前記上位ネットワークから受信した通信データを前記無線基地局装置経由で前記無線端末装置へ送信するための複数のゲートウェイ装置とを備える通信システムであって、
前記無線基地局装置は、自己から他の無線基地局装置への前記無線端末装置のハンドオーバ動作を行うハンドオーバ要求を前記通信制御装置へ送信し、
前記通信制御装置は、前記無線基地局装置と前記上位ネットワークとの間に接続されているゲートウェイ装置と、前記ハンドオーバ要求の示すハンドオーバ先の前記他の無線基地局装置と前記上位ネットワークとの間に接続されているゲートウェイ装置とが異なる場合には、通信経路作成要求を前記他の無線基地局装置と前記上位ネットワークとの間に接続されている前記ゲートウェイ装置へ送信し、
前記ゲートウェイ装置は、前記通信経路作成要求を受信すると、前記上位ネットワークから送信される前記無線端末装置宛の通信データおよび前記無線端末装置から送信される前記上位ネットワークへの通信データを中継可能とする通信経路を作成し、前記通信経路作成要求に対する通信経路作成応答を前記通信制御装置へ送信し、
前記通信制御装置は、前記通信経路作成応答を受信すると、前記他の無線基地局装置へ前記ハンドオーバ要求を送信し、前記他の無線基地局装置から前記ハンドオーバ要求に対する応答を受信すると、前記ハンドオーバ要求の送信元の前記無線基地局装置へハンドオーバ指示を送信し、
前記無線基地局装置は、前記ハンドオーバ指示を受信して、前記無線端末装置における各無線基地局装置からの無線信号の受信電力の測定結果を示す受信電力情報よりも短い周期で更新され、前記無線端末装置における自己からの無線信号の受信品質を示す受信品質情報を取得し、取得した前記受信品質情報に基づいて、前記無線端末装置との間の通信品質に関する所定の実行条件が満たされているか否かを判断し、前記実行条件が満たされていない場合には、前記無線端末装置に対する前記ハンドオーバ動作を行なう指示の付与を中止するかまたは保留する、通信システム。
【請求項２３】
無線端末装置がハンドオーバ動作を行なうことにより複数の無線基地局装置と通信可能な通信システムにおいて、無線端末装置との間で無線信号を送受信するための無線基地局装置における通信制御方法であって、
無線端末装置における各無線基地局装置からの無線信号の受信電力の測定結果を示す受信電力情報を取得するステップと、
前記受信電力情報よりも短い周期で更新され、前記無線端末装置における自己の無線基地局装置からの無線信号の受信品質を示す受信品質情報を取得するステップと、
取得した前記受信品質情報に基づいて、前記無線端末装置による自己の無線基地局装置から他の無線基地局装置へのハンドオーバ動作を実行するか否かを判断するステップとを含む、通信制御方法。
【請求項２４】
無線端末装置との間で無線信号を送受信するための複数の無線基地局装置と、
１または複数の前記無線基地局装置を管理するための複数の通信制御装置とを備える通信システムにおける通信制御方法であって、
前記無線基地局装置が、自己から他の無線基地局装置への前記無線端末装置のハンドオーバ動作を行うハンドオーバ要求を対応の前記通信制御装置へ送信するステップと、
前記対応の通信制御装置が、前記ハンドオーバ要求の示すハンドオーバ先の前記他の無線基地局装置が自己の管理対象でない場合には、前記他の無線基地局装置を管理する他の通信制御装置へ前記ハンドオーバ要求を送信するステップと、
前記他の通信制御装置が、受信した前記ハンドオーバ要求を前記他の無線基地局装置へ送信し、前記他の無線基地局装置から前記ハンドオーバ要求に対する応答を受信すると前記対応の通信制御装置へ前記応答を送信するステップと、
前記対応の通信制御装置が、前記他の通信制御装置から前記応答を受信して、前記ハンドオーバ要求の送信元の前記無線基地局装置へハンドオーバ指示を送信するステップと、
前記無線基地局装置が、前記ハンドオーバ指示を受信して、前記無線端末装置における各無線基地局装置からの無線信号の受信電力の測定結果を示す受信電力情報よりも短い周期で更新され、前記無線端末装置における自己からの無線信号の受信品質を示す受信品質情報を取得するステップと、
取得した前記受信品質情報に基づいて、前記無線端末装置との間の通信品質に関する所定の実行条件が満たされているか否かを判断し、前記実行条件が満たされていない場合には、前記無線端末装置に対する前記ハンドオーバ動作を行なうための指示の付与を中止するかまたは保留するステップとを含む、通信制御方法。
【請求項２５】
無線端末装置との間で無線信号を送受信するための複数の無線基地局装置と、
１または複数の前記無線基地局装置を管理するための通信制御装置と、
１または複数の前記無線基地局装置と上位ネットワークとの間に接続され、前記無線基地局装置経由で前記無線端末装置から受信した通信データを前記上位ネットワークへ送信するとともに、前記上位ネットワークから受信した通信データを前記無線基地局装置経由で前記無線端末装置へ送信するための複数のゲートウェイ装置とを備える通信システムにおける通信制御方法であって、
前記無線基地局装置が、自己から他の無線基地局装置への前記無線端末装置のハンドオーバ動作を行うハンドオーバ要求を前記通信制御装置へ送信するステップと、
前記通信制御装置が、前記無線基地局装置と前記上位ネットワークとの間に接続されているゲートウェイ装置と、前記ハンドオーバ要求の示すハンドオーバ先の前記他の無線基地局装置と前記上位ネットワークとの間に接続されているゲートウェイ装置とが異なる場合には、通信経路作成要求を前記他の無線基地局装置と前記上位ネットワークとの間に接続されている前記ゲートウェイ装置へ送信するステップと、
前記ゲートウェイ装置が、前記通信経路作成要求を受信すると、前記上位ネットワークから送信される前記無線端末装置宛の通信データおよび前記無線端末装置から送信される前記上位ネットワークへの通信データを中継可能とする通信経路を作成し、前記通信経路作成要求に対する通信経路作成応答を前記通信制御装置へ送信するステップと、
前記通信制御装置が、前記通信経路作成応答を受信すると、前記他の無線基地局装置へ前記ハンドオーバ要求を送信し、前記他の無線基地局装置から前記ハンドオーバ要求に対する応答を受信すると、前記ハンドオーバ要求の送信元の前記無線基地局装置へハンドオーバ指示を送信するステップと、
前記無線基地局装置が、前記ハンドオーバ指示を受信して、前記無線端末装置における各無線基地局装置からの無線信号の受信電力の測定結果を示す受信電力情報よりも短い周期で更新され、前記無線端末装置における自己からの無線信号の受信品質を示す受信品質情報を取得するステップと、
取得した前記受信品質情報に基づいて、前記無線端末装置との間の通信品質に関する所定の実行条件が満たされているか否かを判断し、前記実行条件が満たされていない場合には、前記無線端末装置に対する前記ハンドオーバ動作を行なうための指示の付与を中止するかまたは保留するステップとを含む、通信制御方法。
【請求項２６】
無線端末装置がハンドオーバ動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置における各無線基地局装置からの無線信号の受信電力の測定結果を示す受信電力情報を取得するステップと、
前記受信電力情報よりも短い周期で更新され、前記無線端末装置における自己の無線基地局装置からの無線信号の受信品質を示す受信品質情報を取得するステップと、
取得した前記受信品質情報に基づいて、前記無線端末装置による自己の無線基地局装置から他の無線基地局装置へのハンドオーバ動作を実行するか否かを判断するステップとを実行させるための、通信制御プログラム。
【請求項２７】
無線端末装置との間で無線信号を送受信するための複数の無線基地局装置と、
１または複数の前記無線基地局装置を管理するための複数の通信制御装置とを備える通信システムにおいて用いられる通信制御プログラムであって、
コンピュータに、
前記無線基地局装置が、自己から他の無線基地局装置への前記無線端末装置のハンドオーバ動作を行うハンドオーバ要求を対応の前記通信制御装置へ送信するステップと、
前記対応の通信制御装置が、前記ハンドオーバ要求の示すハンドオーバ先の前記他の無線基地局装置が自己の管理対象でない場合には、前記他の無線基地局装置を管理する他の通信制御装置へ前記ハンドオーバ要求を送信するステップと、
前記他の通信制御装置が、受信した前記ハンドオーバ要求を前記他の無線基地局装置へ送信し、前記他の無線基地局装置から前記ハンドオーバ要求に対する応答を受信すると前記対応の通信制御装置へ前記応答を送信するステップと、
前記対応の通信制御装置が、前記他の通信制御装置から前記応答を受信して、前記ハンドオーバ要求の送信元の前記無線基地局装置へハンドオーバ指示を送信するステップと、
前記無線基地局装置が、前記ハンドオーバ指示を受信して、前記無線端末装置における各無線基地局装置からの無線信号の受信電力の測定結果を示す受信電力情報よりも短い周期で更新され、前記無線端末装置における自己からの無線信号の受信品質を示す受信品質情報を取得するステップと、
取得した前記受信品質情報に基づいて、前記無線端末装置との間の通信品質に関する所定の実行条件が満たされているか否かを判断し、前記実行条件が満たされていない場合には、前記無線端末装置に対する前記ハンドオーバ動作を行なうための指示の付与を中止するかまたは保留するステップとを実行させるための、通信制御プログラム。
【請求項２８】
無線端末装置との間で無線信号を送受信するための複数の無線基地局装置と、
１または複数の前記無線基地局装置を管理するための通信制御装置と、
１または複数の前記無線基地局装置と上位ネットワークとの間に接続され、前記無線基地局装置経由で前記無線端末装置から受信した通信データを前記上位ネットワークへ送信するとともに、前記上位ネットワークから受信した通信データを前記無線基地局装置経由で前記無線端末装置へ送信するための複数のゲートウェイ装置とを備える通信システムにおいて用いられる通信制御プログラムであって、
コンピュータに、
前記無線基地局装置が、自己から他の無線基地局装置への前記無線端末装置のハンドオーバ動作を行うハンドオーバ要求を前記通信制御装置へ送信するステップと、
前記通信制御装置が、前記無線基地局装置と前記上位ネットワークとの間に接続されているゲートウェイ装置と、前記ハンドオーバ要求の示すハンドオーバ先の前記他の無線基地局装置と前記上位ネットワークとの間に接続されているゲートウェイ装置とが異なる場合には、通信経路作成要求を前記他の無線基地局装置と前記上位ネットワークとの間に接続されている前記ゲートウェイ装置へ送信するステップと、
前記ゲートウェイ装置が、前記通信経路作成要求を受信すると、前記上位ネットワークから送信される前記無線端末装置宛の通信データおよび前記無線端末装置から送信される前記上位ネットワークへの通信データを中継可能とする通信経路を作成し、前記通信経路作成要求に対する通信経路作成応答を前記通信制御装置へ送信するステップと、
前記通信制御装置が、前記通信経路作成応答を受信すると、前記他の無線基地局装置へ前記ハンドオーバ要求を送信し、前記他の無線基地局装置から前記ハンドオーバ要求に対する応答を受信すると、前記ハンドオーバ要求の送信元の前記無線基地局装置へハンドオーバ指示を送信するステップと、
前記無線基地局装置が、前記ハンドオーバ指示を受信して、前記無線端末装置における各無線基地局装置からの無線信号の受信電力の測定結果を示す受信電力情報よりも短い周期で更新され、前記無線端末装置における自己からの無線信号の受信品質を示す受信品質情報を取得するステップと、
取得した前記受信品質情報に基づいて、前記無線端末装置との間の通信品質に関する所定の実行条件が満たされているか否かを判断し、前記実行条件が満たされていない場合には、前記無線端末装置に対する前記ハンドオーバ動作を行なうための指示の付与を中止するかまたは保留するステップとを実行させるための、通信制御プログラム。
【発明の詳細な説明】
【技術分野】
【０００１】
本発明は、無線基地局装置、通信システム、通信制御方法および通信制御プログラムに関し、特に、無線端末装置がハンドオーバ動作を行なうことにより複数の無線基地局装置と通信可能な通信システムにおける無線基地局装置、通信システム、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になることから、ハンドオーバのタイミングが早すぎたり、あるいは遅すぎたりするなど、不適切なハンドオーバ動作が行なわれる場合がある（たとえば、3GPP TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、無線端末装置のハンドオーバ動作を適切に制御することにより、通信の安定化を図ることが可能な無線基地局装置、通信システム、通信制御方法および通信制御プログラムを提供することである。
【課題を解決するための手段】
【００１２】
（１）上記課題を解決するために、この発明のある局面に係わる無線基地局装置は、無線端末装置がハンドオーバ動作を行なうことにより複数の無線基地局装置と通信可能な通信システムにおいて、無線端末装置との間で無線信号を送受信するための無線基地局装置であって、無線端末装置における各無線基地局装置からの無線信号の受信電力の測定結果を示す受信電力情報を取得するための受信電力情報取得部と、上記受信電力情報よりも短い周期で更新され、上記無線端末装置における自己の無線基地局装置からの無線信号の受信品質を示す受信品質情報を取得するための受信品質情報取得部と、上記受信品質情報取得部によって取得された上記受信品質情報に基づいて、上記無線端末装置による自己の無線基地局装置から他の無線基地局装置へのハンドオーバ動作を実行するか否かを判断するためのハンドオーバ動作判断部とを備える。
【００１３】
このように、受信電力情報よりも更新周期の短い受信品質情報を用いる構成により、急激な電波環境の変化に追従することが可能となるため、たとえば無線端末装置によるハンドオーバのタイミングが遅すぎる”Ｔｏｏ  Ｌａｔｅ  ＨＯ”の発生を抑制することができる。すなわち、周辺基地局へのハンドオーバ動作を迅速に実行し、無線端末装置および無線基地局装置間の無線リンクが切断されることを防ぐことができる。したがって、無線端末装置のハンドオーバ動作を適切に制御することにより、通信の安定化を図ることができる。
【００１４】
（２）好ましくは、上記ハンドオーバ動作判断部は、上記受信品質情報取得部によって取得された上記受信品質情報および上記受信電力情報取得部によって取得された上記受信電力情報に基づいて、上記ハンドオーバ動作を実行するか否かを判断する。
【００１５】
このように、受信品質情報に加えて受信電力情報をハンドオーバ動作の実行判断に用いる構成により、無線端末装置の電波環境をより詳細に把握し、ハンドオーバ動作の実行判断をより適切に行なうことができる。
【００１６】
（３）より好ましくは、上記無線基地局装置は、さらに、上記受信品質情報取得部によって取得された上記受信品質情報に基づいて、上記受信電力情報の作成条件を変更するための条件設定部を備える。
【００１７】
このような構成により、無線端末装置の受信品質に応じて受信電力情報の作成条件を迅速かつ適切に設定し、ハンドオーバ動作の実行判断のための情報としてより適切な受信電力情報を取得することができる。
【００１８】
（４）より好ましくは、上記条件設定部は、上記受信品質情報取得部によって取得された上記受信品質情報から上記受信品質の劣化を検知すると、上記受信電力情報の更新周期を短くする。
【００１９】
このような構成により、無線端末装置の受信品質の劣化に応じて受信電力情報の更新タイミングを早めることができるため、ハンドオーバ動作の実行判断のための情報を、急激な電波環境の変化に追従して迅速に取得することができる。
【００２０】
（５）より好ましくは、上記受信電力情報は、所定の開始条件が満たされるとその作成が開始され、上記条件設定部は、上記受信品質情報取得部によって取得された上記受信品質情報から上記受信品質の劣化を検知すると、上記受信電力情報の作成開始が早まるように上記開始条件を設定する。
【００２１】
このような構成により、無線端末装置の受信品質の劣化に応じて受信電力情報の作成を早期に開始することができるため、ハンドオーバ動作の実行判断のための情報を、急激な電波環境の変化に追従して迅速に取得することができる。
【００２２】
（６）好ましくは、上記ハンドオーバ動作判断部は、上記受信品質情報取得部によって取得された上記受信品質情報が所定条件を満たす場合には、上記ハンドオーバ動作を実行すると判断し、上記無線端末装置による自己の無線基地局装置から所定の無線基地局装置へのハンドオーバ動作を実行する。
【００２３】
このような構成により、受信品質情報によって無線端末装置の受信品質の劣化を検知した後、無線端末装置に対する受信電力情報の作成条件の変更要求等を行なうことなく、迅速にハンドオーバ動作を実行することができる。
【００２４】
（７）より好ましくは、上記ハンドオーバ動作判断部は、どの無線基地局装置への上記ハンドオーバ動作を実行するかを、上記受信電力情報取得部によって取得された上記受信電力情報に基づいて決定する。
【００２５】
このような構成により、無線端末装置の電波環境に応じてハンドオーバ先の無線基地局装置を適切に選択することができる。
【００２６】
（８）好ましくは、上記ハンドオーバ動作判断部は、所定条件を満たす場合に上記ハンドオーバ動作を実行すると判断し、上記受信品質情報取得部によって取得された上記受信品質情報に基づいて上記所定条件を設定する。
【００２７】
このような構成により、無線端末装置の受信品質に応じてハンドオーバ動作の実行判断条件を迅速かつ適切に設定することができる。
【００２８】
（９）より好ましくは、上記ハンドオーバ動作判断部は、上記受信電力情報取得部によって取得された上記受信電力情報が所定条件を満たす場合に上記ハンドオーバ動作を実行すると判断し、上記受信品質情報取得部によって取得された上記受信品質情報に基づいて上記所定条件を調整する。
【００２９】
このような構成により、ある受信電力情報の内容からハンドオーバ動作を実行しないと判断した後、次に受信電力情報が更新されるタイミングまでに無線端末装置の電波環境が急激に劣化した場合でも、上記タイミングを待つことなくハンドオーバ動作を迅速に実行することができる。
【００３０】
（１０）好ましくは、上記ハンドオーバ動作判断部は、上記受信品質情報取得部によって取得された上記受信品質情報と、上記受信電力情報取得部によって取得された上記受信電力情報と、上記受信品質情報が更新されてから経過した時間および上記受信電力情報が更新されてから経過した時間の少なくとも一方とに基づいて、上記ハンドオーバ動作を実行するか否かを判断する。
【００３１】
このように、無線端末装置の電波環境を示す情報の更新経過時間をハンドオーバ動作の実行判断に用いる構成により、古い情報による誤判断を抑制し、ハンドオーバ動作の実行判断をより適切に行なうことができる。
【００３２】
（１１）好ましくは、上記ハンドオーバ動作判断部は、上記受信品質情報取得部によって取得された上記受信品質情報および上記受信電力情報取得部によって取得された上記受信電力情報に基づいて、上記ハンドオーバ動作を実行するか否かを判断し、上記ハンドオーバ動作を実行するか否かの判断における上記受信品質情報の重みを、上記受信電力情報に基づいて調整する。
【００３３】
このような構成により、受信電力情報に基づいて受信品質情報の値を適切に評価することができるため、無線端末装置の電波環境をより正確に把握し、ハンドオーバ動作の実行判断をより適切に行なうことができる。
【００３４】
（１２）好ましくは、上記ハンドオーバ動作判断部は、複数回分の上記受信品質情報に基づいて、上記ハンドオーバ動作を実行するか否かを判断する。
【００３５】
このような構成により、電波環境の瞬間的な変化に起因する誤判断を抑制し、ハンドオーバ動作の実行判断をより適切に行なうことができる。
【００３６】
（１３）またこの発明の別の局面に係わる無線基地局装置は、無線端末装置がハンドオーバ動作を行なうことにより複数の無線基地局装置と通信可能な通信システムにおいて、無線端末装置との間で無線信号を送受信し、複数レイヤを有する通信プロトコルに従って動作する無線基地局装置であって、上記複数レイヤのうちの第１のレイヤに従い、無線端末装置における無線基地局装置からの無線信号の測定結果に基づく第１測定情報を取得するための第１測定情報取得部と、上記複数レイヤのうち、上記第１のレイヤよりも下位の第２のレイヤに従い、上記無線端末装置における無線基地局装置からの無線信号の測定結果に基づく第２測定情報を取得するための第２測定情報取得部と、上記第２測定情報取得部によって取得された上記第２測定情報に基づいて、上記無線端末装置による自己の無線基地局装置から他の無線基地局装置へのハンドオーバ動作を実行するか否かを判断するためのハンドオーバ動作判断部とを備える。
【００３７】
このように、通信プロトコルにおいて、よりレイヤの低い情報を用いてハンドオーバ動作の実行判断を行なう構成により、ハンドオーバ動作の実行判断のための情報の取得時間を短縮することができるため、ハンドオーバ動作の迅速かつ適切な実行判断が可能となる。すなわち、急激な電波環境の変化に追従することが可能となるため、たとえば無線端末装置によるハンドオーバのタイミングが遅すぎる”Ｔｏｏ  Ｌａｔｅ  ＨＯ”の発生を抑制することができる。これにより、周辺基地局へのハンドオーバ動作を迅速に実行し、無線端末装置および無線基地局装置間の無線リンクが切断されることを防ぐことができる。したがって、無線端末装置のハンドオーバ動作を適切に制御することにより、通信の安定化を図ることができる。
【００３８】
（１４）好ましくは、上記第１のレイヤは、３ＧＰＰ(Third Generation Partnership Project)で規定されたＲＲＣ（Radio Resource Control）レイヤであり、上記第２のレイヤは、３ＧＰＰで規定されたＭＡＣ（Media Access Control）レイヤおよびＰＨＹ（Physical）レイヤの少なくとも一方である。
【００３９】
このような構成により、３ＧＰＰで規定された通信プロトコルに従って動作する無線基地局装置において、無線端末装置のハンドオーバ動作を適切に制御することにより、通信の安定化を図ることが可能となる。
【００４０】
（１５）好ましくは、上記無線基地局装置は、さらに、自己の無線基地局装置から他の無線基地局装置への無線端末装置のハンドオーバ動作を行なう要求を上記他の無線基地局装置に対して行なうためのハンドオーバ要求部と、上記要求に対する上記他の無線基地局装置からの応答を受けて、上記無線端末装置に対して自己の無線基地局装置から上記他の無線基地局装置へのハンドオーバ動作を行なう指示を与えるためのハンドオーバ指示部とを備え、上記ハンドオーバ指示部は、上記応答を受けて、自己の無線基地局装置および上記無線端末装置間の通信品質に関する所定の実行条件が満たされていない場合には、上記無線端末装置に対する上記指示の付与を中止するかまたは保留する。
【００４１】
このような構成により、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作をさらに抑制し、良好な通信システムを構築することができる。
【００４２】
（１６）好ましくは、上記ハンドオーバ要求部は、上記要求を複数の上記他の無線基地局装置に対して行う。
【００４３】
ある周辺基地局へのハンドオーバ動作の準備処理の完了後に無線端末装置が移動することで、当該周辺基地局に関する無線端末装置の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置と無線基地局装置との間の通信が途切れることを防ぐことができる。
【００４４】
また、上記のように、周辺基地局に関する無線端末装置の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、通信システムにおける負荷を軽減させることができる。
【００４５】
（１７）好ましくは、上記ハンドオーバ指示部は、上記応答を受信して、上記応答に対応する上記他の無線基地局装置の中からハンドオーバ先の無線基地局装置を選択し、上記無線端末装置に対して上記ハンドオーバ先の無線基地局装置への上記ハンドオーバ動作を行う指示を与える。
【００４６】
このように、ハンドオーバ先の無線基地局装置を選択したうえで無線端末装置に対してハンドオーバ動作の指示を与える構成により、当該指示内に複数の無線基地局装置を提示する場合と比べて情報量を少なくすることができ、当該指示内容を簡潔にすることができる。
【００４７】
また、好ましくは、上記ハンドオーバ指示部は、上記応答を受信した後、上記応答に対応する上記他の無線基地局装置から送信される無線信号の上記無線端末装置における受信電力の測定結果を取得して、上記測定結果に基づいて上記ハンドオーバ先の無線基地局装置を選択する。
【００４８】
このような構成により、ハンドオーバ動作の準備完了後の無線端末装置における電波環境に応じて、ハンドオーバ先として適切な無線基地局装置を選択することができる。
【００４９】
また、好ましくは、上記ハンドオーバ指示部は、上記応答を受信した後、所定期間取得できない上記測定結果に対応する上記他の無線基地局装置を上記ハンドオーバ先の候補から外す。
【００５０】
このような構成により、たとえば、無線端末装置が受信電力を測定できない程度に当該無線端末装置との距離が離れてしまった無線基地局装置をハンドオーバ先の候補から外すことができるため、ハンドオーバ先として適切な無線基地局装置を選択することができる。
【００５１】
また、好ましくは、上記ハンドオーバ指示部は、上記応答を受信して、上記応答に対応する上記他の無線基地局装置をハンドオーバ先の候補として示す情報を上記無線端末装置へ送信する。
【００５２】
このように、無線端末装置にハンドオーバ先の無線基地局装置を選択させる構成により、ハンドオーバ元の無線基地局装置が選択する場合に比べて、最新の電波環境に応じてハンドオーバ先の無線基地局装置を選択することができる。
【００５３】
また、好ましくは、上記ハンドオーバ指示部は、上記無線端末装置によって選択された上記ハンドオーバ先の無線基地局装置を示す情報を受信して、受信した上記情報の示す上記ハンドオーバ先の無線基地局装置へ所定の情報を送信する。
【００５４】
このような構成により、ハンドオーバ元の無線基地局装置が、無線端末装置により選択されたハンドオーバ先の無線基地局装置を把握したうえで、ハンドオーバ動作に必要な情報を当該ハンドオーバ先の無線基地局装置へ送信するので、無駄のない情報の送受信を行うことができる。
【００５５】
また、好ましくは、上記ハンドオーバ指示部は、上記ハンドオーバ動作が完了した後、上記応答に対応する上記他の無線基地局装置のうちハンドオーバ先の無線基地局装置以外の上記他の無線基地局装置へ上記ハンドオーバ動作の中止要求を送信する。
【００５６】
ここで、たとえば、ハンドオーバ先として選択された無線基地局装置以外の無線基地局装置へのハンドオーバ動作がハンドオーバ動作の完了前に中止された後、無線端末装置が、当該中止対象の無線基地局装置に近づく方向に移動する場合、当該中止対象の無線基地局装置が最適なハンドオーバ先となることがある。この場合、当該中止対象の無線基地局装置へのハンドオーバ動作を再び行う必要がある。
【００５７】
これに対して、本発明に係る無線基地局装置は、上記のように、ハンドオーバ先として選択された無線基地局装置以外の無線基地局装置へのハンドオーバ動作を無線端末装置のハンドオーバ動作の準備処理が完了した後に中止する。これにより、ハンドオーバ動作が完了するまでの間に無線端末装置が移動して電波状況が変わり、他の周辺基地局へのハンドオーバ動作が行われる場合であっても、再びハンドオーバ動作の準備処理を行う必要がない。
【００５８】
（１８）好ましくは、上記無線基地局装置は、さらに、上記無線端末装置における各無線基地局装置からの無線信号の受信電力の測定結果を示す受信電力情報よりも短い周期で更新され、上記無線端末装置における自己の無線基地局装置からの無線信号の受信品質を示す受信品質情報を取得するための受信品質情報取得部を備え、上記ハンドオーバ要求部は、上記受信品質情報取得部によって取得された上記受信品質情報から上記受信品質の劣化が検知された場合に、上記要求を複数の上記他の無線基地局装置に対して行うか否かを判断する。
【００５９】
このように、受信電力情報よりも更新周期の短いＣＱＩレポートを用いる構成により、急激な電波環境の変化に追従することが可能となるため、周辺基地局へのハンドオーバ動作の準備処理を迅速に行い、無線端末装置および無線基地局装置間の無線リンクが切断されることを一層防ぐことができる。
【００６０】
（１９）好ましくは、上記無線基地局装置は、さらに、上記無線端末装置における各無線基地局装置からの無線信号の受信電力の測定結果を示す受信電力情報よりも短い周期で更新され、上記無線端末装置における自己の無線基地局装置からの無線信号の受信品質を示す受信品質情報を取得するための受信品質情報取得部を備え、上記ハンドオーバ指示部は、上記応答を受信した後、上記受信品質情報取得部によって取得された上記受信品質情報から上記受信品質の劣化が検知された場合に、上記ハンドオーバ先の無線基地局装置を選択する。
【００６１】
このように、受信電力情報よりも更新周期の短いＣＱＩレポートを用いる構成により、急激な電波環境の変化に追従することが可能となるため、周辺基地局へのハンドオーバ動作を迅速に実行し、無線端末装置および無線基地局装置間の無線リンクが切断されることを一層防ぐことができる。
【００６２】
（２０）好ましくは、上記無線基地局装置は、さらに、上記受信電力情報を取得するための受信電力情報取得部を備え、上記ハンドオーバ指示部は、上記受信品質情報取得部によって上記受信品質情報が取得されるよりも前に上記受信電力情報取得部によって取得された上記受信電力情報のうち最新の受信電力情報に示される上記測定結果に基づいて上記ハンドオーバ先の無線基地局装置を選択する。
【００６３】
このように、予め取得された受信電力情報が用いられる構成により、ハンドオーバ指示部が受信品質情報から受信品質の劣化を検知した場合には、迅速にハンドオーバ先の無線基地局装置を選択することができる。
【００６４】
（２１）上記課題を解決するために、この発明のある局面に係わる通信システムは、無線端末装置との間で無線信号を送受信するための複数の無線基地局装置と、１または複数の上記無線基地局装置を管理するための複数の通信制御装置とを備える通信システムであって、上記無線基地局装置は、自己から他の無線基地局装置への上記無線端末装置のハンドオーバ動作を行うハンドオーバ要求を対応の通信制御装置へ送信し、上記対応の通信制御装置は、上記ハンドオーバ要求の示すハンドオーバ先の上記他の無線基地局装置が自己の管理対象でない場合には、上記他の無線基地局装置を管理する他の通信制御装置へ上記ハンドオーバ要求を送信し、上記他の通信制御装置は、受信した上記ハンドオーバ要求を上記他の無線基地局装置へ送信し、上記他の無線基地局装置から上記ハンドオーバ要求に対する応答を受信すると上記対応の通信制御装置へ上記応答を送信し、上記対応の通信制御装置は、上記他の通信制御装置から上記応答を受信して、上記ハンドオーバ要求の送信元の上記無線基地局装置へハンドオーバ指示を送信し、上記無線基地局装置は、上記ハンドオーバ指示を受信して、上記無線端末装置における各無線基地局装置からの無線信号の受信電力の測定結果を示す受信電力情報よりも短い周期で更新され、上記無線端末装置における自己からの無線信号の受信品質を示す受信品質情報を取得し、取得した上記受信品質情報に基づいて、上記無線端末装置との間の通信品質に関する所定の実行条件が満たされているか否かを判断し、上記実行条件が満たされていない場合には、上記無線端末装置に対する上記ハンドオーバ動作を行なう指示の付与を中止するかまたは保留する。
【００６５】
このような構成により、ハンドオーバ元の無線基地局装置を管理する通信制御装置と、ハンドオーバ先の無線基地局装置を管理する通信制御装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００６６】
また、好ましくは、上記通信システムにおいて、上記無線基地局装置は、上記無線端末装置との間の通信品質に関する所定の準備条件が満たされる場合に、上記ハンドオーバ要求を上記対応の通信制御装置へ送信し、上記準備条件の示す通信品質は、上記実行条件の示す通信品質と比べて良い品質である。
【００６７】
このような構成により、ハンドオーバ動作の実行判断の基準となる通信品質よりも緩やかな条件で前もってハンドオーバ動作の準備処理を行なうことができる。また、通信制御装置の切り替えのために必要な情報の送受信を、ハンドオーバ動作の準備処理として前もって行うことにより、ハンドオーバ動作に要する時間を大幅に短縮することができる。
【００６８】
また、好ましくは、上記通信システムにおいて、上記対応の通信制御装置は、上記無線基地局装置からハンドオーバ先として複数の上記他の無線基地局装置を示す上記ハンドオーバ要求を受信し、上記ハンドオーバ要求の示す上記他の無線基地局装置ごとに自己の管理対象であるか否かを判断し、自己の管理対象でない場合には、上記他の無線基地局装置を管理する他の通信制御装置へ上記ハンドオーバ要求を送信する。
【００６９】
ある周辺基地局へのハンドオーバ動作の準備処理の完了後に無線端末装置が移動することで、当該周辺基地局に関する無線端末装置の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置と無線基地局装置との間の通信が途切れることを防ぐことができる。
【００７０】
また、上記のように、周辺基地局に関する無線端末装置の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、通信システムにおける負荷を軽減させることができる。
【００７１】
（２２）上記課題を解決するために、この発明のある局面に係わる通信システムは、無線端末装置との間で無線信号を送受信するための複数の無線基地局装置と、１または複数の上記無線基地局装置を管理するための通信制御装置と、１または複数の上記無線基地局装置と上位ネットワークとの間に接続され、上記無線基地局装置経由で上記無線端末装置から受信した通信データを上記上位ネットワークへ送信するとともに、上記上位ネットワークから受信した通信データを上記無線基地局装置経由で上記無線端末装置へ送信するための複数のゲートウェイ装置とを備える通信システムであって、上記無線基地局装置は、自己から他の無線基地局装置への上記無線端末装置のハンドオーバ動作を行うハンドオーバ要求を上記通信制御装置へ送信し、上記通信制御装置は、上記無線基地局装置と上記上位ネットワークとの間に接続されているゲートウェイ装置と、上記ハンドオーバ要求の示すハンドオーバ先の上記他の無線基地局装置と上記上位ネットワークとの間に接続されているゲートウェイ装置とが異なる場合には、通信経路作成要求を上記他の無線基地局装置と上記上位ネットワークとの間に接続されている上記ゲートウェイ装置へ送信し、上記ゲートウェイ装置は、上記通信経路作成要求を受信すると、上記上位ネットワークから送信される上記無線端末装置宛の通信データおよび上記無線端末装置から送信される上記上位ネットワークへの通信データを中継可能とする通信経路を作成し、上記通信経路作成要求に対する通信経路作成応答を上記通信制御装置へ送信し、上記通信制御装置は、上記通信経路作成応答を受信すると、上記他の無線基地局装置へ上記ハンドオーバ要求を送信し、上記他の無線基地局装置から上記ハンドオーバ要求に対する応答を受信すると、上記ハンドオーバ要求の送信元の上記無線基地局装置へハンドオーバ指示を送信し、上記無線基地局装置は、上記ハンドオーバ指示を受信して、上記無線端末装置における各無線基地局装置からの無線信号の受信電力の測定結果を示す受信電力情報よりも短い周期で更新され、上記無線端末装置における自己からの無線信号の受信品質を示す受信品質情報を取得し、取得した上記受信品質情報に基づいて、上記無線端末装置との間の通信品質に関する所定の実行条件が満たされているか否かを判断し、上記実行条件が満たされていない場合には、上記無線端末装置に対する上記ハンドオーバ動作を行なう指示の付与を中止するかまたは保留する。
【００７２】
このような構成により、ハンドオーバ元の無線基地局装置と上位ネットワークとの間に接続されているゲートウェイ装置と、ハンドオーバ先の無線基地局装置と上位ネットワークとの間に接続されているゲートウェイ装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００７３】
また、好ましくは、上記通信システムにおいて、上記無線基地局装置は、上記無線端末装置との間の通信品質に関する所定の準備条件が満たされる場合に、上記ハンドオーバ要求を上記通信制御装置へ送信し、上記準備条件の示す通信品質は、上記実行条件の示す通信品質と比べて良い品質である。
【００７４】
このような構成により、ハンドオーバ動作の実行判断の基準となる通信品質よりも緩やかな条件で前もってハンドオーバ動作の準備処理を行なうことができる。また、ゲートウェイ装置の切り替えのために必要な情報の送受信を、ハンドオーバ動作の準備処理として前もって行うことにより、ハンドオーバ動作に要する時間を大幅に短縮することができる。
【００７５】
また、好ましくは、上記通信システムにおいて、上記通信制御装置は、上記無線基地局装置からハンドオーバ先として複数の他の上記無線基地局装置を示す上記ハンドオーバ要求を受信し、上記ハンドオーバ要求の示す上記他の無線基地局装置ごとに、上記無線基地局装置と上記上位ネットワークとの間に接続されているゲートウェイ装置と、上記他の無線基地局装置と上記上位ネットワークとの間に接続されているゲートウェイ装置とが異なるか否かを判断し、異なると判断した上記ゲートウェイ装置へ上記通信経路作成要求を送信する。
【００７６】
ある周辺基地局へのハンドオーバ動作の準備処理の完了後に無線端末装置が移動することで、当該周辺基地局に関する無線端末装置の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置と無線基地局装置との間の通信が途切れることを防ぐことができる。
【００７７】
また、上記のように、周辺基地局に関する無線端末装置の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、通信システムにおける負荷を軽減させることができる。
【００７８】
（２３）上記課題を解決するために、この発明のある局面に係わる通信制御方法は、無線端末装置がハンドオーバ動作を行なうことにより複数の無線基地局装置と通信可能な通信システムにおいて、無線端末装置との間で無線信号を送受信するための無線基地局装置における通信制御方法であって、無線端末装置における各無線基地局装置からの無線信号の受信電力の測定結果を示す受信電力情報を取得するステップと、上記受信電力情報よりも短い周期で更新され、上記無線端末装置における自己の無線基地局装置からの無線信号の受信品質を示す受信品質情報を取得するステップと、取得した上記受信品質情報に基づいて、上記無線端末装置による自己の無線基地局装置から他の無線基地局装置へのハンドオーバ動作を実行するか否かを判断するステップとを含む。
【００７９】
このように、受信電力情報よりも更新周期の短い受信品質情報を用いる構成により、急激な電波環境の変化に追従することが可能となるため、たとえば無線端末装置によるハンドオーバのタイミングが遅すぎる”Ｔｏｏ  Ｌａｔｅ  ＨＯ”の発生を抑制することができる。すなわち、周辺基地局へのハンドオーバ動作を迅速に実行し、無線端末装置および無線基地局装置間の無線リンクが切断されることを防ぐことができる。したがって、無線端末装置のハンドオーバ動作を適切に制御することにより、通信の安定化を図ることができる。
【００８０】
（２４）上記課題を解決するために、この発明のある局面に係わる通信制御方法は、無線端末装置との間で無線信号を送受信するための複数の無線基地局装置と、１または複数の上記無線基地局装置を管理するための複数の通信制御装置とを備える通信システムにおける通信制御方法であって、上記無線基地局装置が、自己から他の無線基地局装置への上記無線端末装置のハンドオーバ動作を行うハンドオーバ要求を対応の上記通信制御装置へ送信するステップと、上記対応の通信制御装置が、上記ハンドオーバ要求の示すハンドオーバ先の上記他の無線基地局装置が自己の管理対象でない場合には、上記他の無線基地局装置を管理する他の通信制御装置へ上記ハンドオーバ要求を送信するステップと、上記他の通信制御装置が、受信した上記ハンドオーバ要求を上記他の無線基地局装置へ送信し、上記他の無線基地局装置から上記ハンドオーバ要求に対する応答を受信すると上記対応の通信制御装置へ上記応答を送信するステップと、上記対応の通信制御装置が、上記他の通信制御装置から上記応答を受信して、上記ハンドオーバ要求の送信元の上記無線基地局装置へハンドオーバ指示を送信するステップと、上記無線基地局装置が、上記ハンドオーバ指示を受信して、上記無線端末装置における各無線基地局装置からの無線信号の受信電力の測定結果を示す受信電力情報よりも短い周期で更新され、上記無線端末装置における自己からの無線信号の受信品質を示す受信品質情報を取得するステップと、取得した上記受信品質情報に基づいて、上記無線端末装置との間の通信品質に関する所定の実行条件が満たされているか否かを判断し、上記実行条件が満たされていない場合には、上記無線端末装置に対する上記ハンドオーバ動作を行なうための指示の付与を中止するかまたは保留するステップとを含む。
【００８１】
このような構成により、ハンドオーバ元の無線基地局装置を管理する通信制御装置と、ハンドオーバ先の無線基地局装置を管理する通信制御装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００８２】
（２５）上記課題を解決するために、この発明のある局面に係わる通信制御方法は、無線端末装置との間で無線信号を送受信するための複数の無線基地局装置と、１または複数の上記無線基地局装置を管理するための通信制御装置と、１または複数の上記無線基地局装置と上位ネットワークとの間に接続され、上記無線基地局装置経由で上記無線端末装置から受信した通信データを上記上位ネットワークへ送信するとともに、上記上位ネットワークから受信した通信データを上記無線基地局装置経由で上記無線端末装置へ送信するための複数のゲートウェイ装置とを備える通信システムにおける通信制御方法であって、上記無線基地局装置が、自己から他の無線基地局装置への上記無線端末装置のハンドオーバ動作を行うハンドオーバ要求を上記通信制御装置へ送信するステップと、上記通信制御装置が、上記無線基地局装置と上記上位ネットワークとの間に接続されているゲートウェイ装置と、上記ハンドオーバ要求の示すハンドオーバ先の上記他の無線基地局装置と上記上位ネットワークとの間に接続されているゲートウェイ装置とが異なる場合には、通信経路作成要求を上記他の無線基地局装置と上記上位ネットワークとの間に接続されている上記ゲートウェイ装置へ送信するステップと、上記ゲートウェイ装置が、上記通信経路作成要求を受信すると、上記上位ネットワークから送信される上記無線端末装置宛の通信データおよび上記無線端末装置から送信される上記上位ネットワークへの通信データを中継可能とする通信経路を作成し、上記通信経路作成要求に対する通信経路作成応答を上記通信制御装置へ送信するステップと、上記通信制御装置が、上記通信経路作成応答を受信すると、上記他の無線基地局装置へ上記ハンドオーバ要求を送信し、上記他の無線基地局装置から上記ハンドオーバ要求に対する応答を受信すると、上記ハンドオーバ要求の送信元の上記無線基地局装置へハンドオーバ指示を送信するステップと、上記無線基地局装置が、上記ハンドオーバ指示を受信して、上記無線端末装置における各無線基地局装置からの無線信号の受信電力の測定結果を示す受信電力情報よりも短い周期で更新され、上記無線端末装置における自己からの無線信号の受信品質を示す受信品質情報を取得するステップと、取得した上記受信品質情報に基づいて、上記無線端末装置との間の通信品質に関する所定の実行条件が満たされているか否かを判断し、上記実行条件が満たされていない場合には、上記無線端末装置に対する上記ハンドオーバ動作を行なうための指示の付与を中止するかまたは保留するステップとを含む。
【００８３】
このような構成により、ハンドオーバ元の無線基地局装置と上位ネットワークとの間に接続されているゲートウェイ装置と、ハンドオーバ先の無線基地局装置と上位ネットワークとの間に接続されているゲートウェイ装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００８４】
（２６）上記課題を解決するために、この発明のある局面に係わる通信制御プログラムは、無線端末装置がハンドオーバ動作を行なうことにより複数の無線基地局装置と通信可能な通信システムにおいて、無線端末装置との間で無線信号を送受信するための無線基地局装置において用いられる通信制御プログラムであって、コンピュータに、無線端末装置における各無線基地局装置からの無線信号の受信電力の測定結果を示す受信電力情報を取得するステップと、上記受信電力情報よりも短い周期で更新され、上記無線端末装置における自己の無線基地局装置からの無線信号の受信品質を示す受信品質情報を取得するステップと、取得した上記受信品質情報に基づいて、上記無線端末装置による自己の無線基地局装置から他の無線基地局装置へのハンドオーバ動作を実行するか否かを判断するステップとを実行させるためのプログラムである。
【００８５】
このように、受信電力情報よりも更新周期の短い受信品質情報を用いる構成により、急激な電波環境の変化に追従することが可能となるため、たとえば無線端末装置によるハンドオーバのタイミングが遅すぎる”Ｔｏｏ  Ｌａｔｅ  ＨＯ”の発生を抑制することができる。すなわち、周辺基地局へのハンドオーバ動作を迅速に実行し、無線端末装置および無線基地局装置間の無線リンクが切断されることを防ぐことができる。したがって、無線端末装置のハンドオーバ動作を適切に制御することにより、通信の安定化を図ることができる。
【００８６】
（２７）上記課題を解決するために、この発明のある局面に係わる通信制御プログラムは、無線端末装置との間で無線信号を送受信するための複数の無線基地局装置と、１または複数の上記無線基地局装置を管理するための複数の通信制御装置とを備える通信システムにおいて用いられる通信制御プログラムであって、コンピュータに、上記無線基地局装置が、自己から他の無線基地局装置への上記無線端末装置のハンドオーバ動作を行うハンドオーバ要求を対応の上記通信制御装置へ送信するステップと、上記対応の通信制御装置が、上記ハンドオーバ要求の示すハンドオーバ先の上記他の無線基地局装置が自己の管理対象でない場合には、上記他の無線基地局装置を管理する他の通信制御装置へ上記ハンドオーバ要求を送信するステップと、上記他の通信制御装置が、受信した上記ハンドオーバ要求を上記他の無線基地局装置へ送信し、上記他の無線基地局装置から上記ハンドオーバ要求に対する応答を受信すると上記対応の通信制御装置へ上記応答を送信するステップと、上記対応の通信制御装置が、上記他の通信制御装置から上記応答を受信して、上記ハンドオーバ要求の送信元の上記無線基地局装置へハンドオーバ指示を送信するステップと、上記無線基地局装置が、上記ハンドオーバ指示を受信して、上記無線端末装置における各無線基地局装置からの無線信号の受信電力の測定結果を示す受信電力情報よりも短い周期で更新され、上記無線端末装置における自己からの無線信号の受信品質を示す受信品質情報を取得するステップと、取得した上記受信品質情報に基づいて、上記無線端末装置との間の通信品質に関する所定の実行条件が満たされているか否かを判断し、上記実行条件が満たされていない場合には、上記無線端末装置に対する上記ハンドオーバ動作を行なうための指示の付与を中止するかまたは保留するステップとを実行させるためのプログラムである。
【００８７】
このような構成により、ハンドオーバ元の無線基地局装置を管理する通信制御装置と、ハンドオーバ先の無線基地局装置を管理する通信制御装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【００８８】
（２８）上記課題を解決するために、この発明のある局面に係わる通信制御プログラムは、無線端末装置との間で無線信号を送受信するための複数の無線基地局装置と、１または複数の上記無線基地局装置を管理するための通信制御装置と、１または複数の上記無線基地局装置と上位ネットワークとの間に接続され、上記無線基地局装置経由で上記無線端末装置から受信した通信データを上記上位ネットワークへ送信するとともに、上記上位ネットワークから受信した通信データを上記無線基地局装置経由で上記無線端末装置へ送信するための複数のゲートウェイ装置とを備える通信システムにおいて用いられる通信制御プログラムであって、コンピュータに、上記無線基地局装置が、自己から他の無線基地局装置への上記無線端末装置のハンドオーバ動作を行うハンドオーバ要求を上記通信制御装置へ送信するステップと、上記通信制御装置が、上記無線基地局装置と上記上位ネットワークとの間に接続されているゲートウェイ装置と、上記ハンドオーバ要求の示すハンドオーバ先の上記他の無線基地局装置と上記上位ネットワークとの間に接続されているゲートウェイ装置とが異なる場合には、通信経路作成要求を上記他の無線基地局装置と上記上位ネットワークとの間に接続されている上記ゲートウェイ装置へ送信するステップと、上記ゲートウェイ装置が、上記通信経路作成要求を受信すると、上記上位ネットワークから送信される上記無線端末装置宛の通信データおよび上記無線端末装置から送信される上記上位ネットワークへの通信データを中継可能とする通信経路を作成し、上記通信経路作成要求に対する通信経路作成応答を上記通信制御装置へ送信するステップと、上記通信制御装置が、上記通信経路作成応答を受信すると、上記他の無線基地局装置へ上記ハンドオーバ要求を送信し、上記他の無線基地局装置から上記ハンドオーバ要求に対する応答を受信すると、上記ハンドオーバ要求の送信元の上記無線基地局装置へハンドオーバ指示を送信するステップと、上記無線基地局装置が、上記ハンドオーバ指示を受信して、上記無線端末装置における各無線基地局装置からの無線信号の受信電力の測定結果を示す受信電力情報よりも短い周期で更新され、上記無線端末装置における自己からの無線信号の受信品質を示す受信品質情報を取得するステップと、取得した上記受信品質情報に基づいて、上記無線端末装置との間の通信品質に関する所定の実行条件が満たされているか否かを判断し、上記実行条件が満たされていない場合には、上記無線端末装置に対する上記ハンドオーバ動作を行なうための指示の付与を中止するかまたは保留するステップとを実行させるためのプログラムである。
【００８９】
このような構成により、ハンドオーバ元の無線基地局装置と上位ネットワークとの間に接続されているゲートウェイ装置と、ハンドオーバ先の無線基地局装置と上位ネットワークとの間に接続されているゲートウェイ装置とが異なる場合であっても、ハンドオーバ動作の実行判断に先立ってハンドオーバ動作の準備処理を完了しておくことができるため、たとえば無線端末装置によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な通信システムを構築することができる。したがって、無線端末装置のハンドオーバ動作を適切に制御することにより、通信の安定化を図ることができる。
【発明の効果】
【００９０】
本発明によれば、無線端末装置のハンドオーバ動作を適切に制御することにより、通信の安定化を図ることができる。
【図面の簡単な説明】
【００９１】
【図１】本発明の第１の実施の形態に係る無線通信システムの構成を示す図である。
【図２】本発明の第１の実施の形態に係る無線通信システムにおけるハンドオーバ動作のシーケンスの一例を示す図である。
【図３】本発明の第１の実施の形態に係る無線通信システムにおいて、不適切なハンドオーバ動作（Ｔｏｏ  Ｌａｔｅ  ＨＯ）が生じた状況の一例を示す図である。
【図４】本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【図５】本発明の第１の実施の形態に係る無線通信システムにおいて、不適切なハンドオーバ動作（Ｔｏｏ  Ｅａｒｌｙ  ＨＯ）が生じた状況の一例を示す図である。
【図６】本発明の第１の実施の形態に係る無線通信システムにおいて、不適切なハンドオーバ動作（Ｔｏｏ  Ｅａｒｌｙ  ＨＯ）が生じた状況の一例を示す図である。
【図７】本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【図８】本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図９】本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１０】本発明の第１の実施の形態に係る無線通信システムにおける、無線端末装置の受信品質のシミュレーション結果を示す図である。
【図１１】本発明の第１の実施の形態に係る無線通信システムにおいて、無線端末装置が測定結果通知を送信するイベントＡ１を示す図である。
【図１２】本発明の第１の実施の形態に係る無線通信システムにおいて、無線端末装置が測定結果通知を送信するイベントＡ２を示す図である。
【図１３】本発明の第１の実施の形態に係る無線通信システムにおいて、無線端末装置が測定結果通知を送信するイベントＡ３を示す図である。
【図１４】本発明の第１の実施の形態に係る無線通信システムにおいて、無線端末装置が測定結果通知を送信するイベントＡ４を示す図である。
【図１５】本発明の第１の実施の形態に係る無線通信システムにおいて、無線端末装置が測定結果通知を送信するイベントＡ５を示す図である。
【図１６】本発明の第１の実施の形態に係る無線通信システムにおいて、ヒステリシスＨＳの調整によるハンドオーバ動作のタイミング制御を示す図である。
【図１７】本発明の第１の実施の形態に係る無線通信システムにおいて、ＴＴＴの調整によるハンドオーバ動作のタイミング制御を示す図である。
【図１８】本発明の第１の実施の形態に係る無線通信システムにおいて、オフセットＯＳＴの調整によるハンドオーバ動作のタイミング制御を示す図である。
【図１９】本発明の第１の実施の形態に係る無線基地局装置の構成を示す図である。
【図２０】本発明の第１の実施の形態に係る無線基地局装置が受信電力情報のみを用いてハンドオーバ動作の実行判断を行なうと仮定した場合におけるハンドオーバ動作の一例を示す図である。
【図２１】本発明の第１の実施の形態に係る無線基地局装置における制御部の構成を示す図である。
【図２２】本発明の第１の実施の形態に係る無線基地局装置のハンドオーバ動作の実行判断による、ハンドオーバ動作の一例を示す図である。
【図２３】本発明の第１の実施の形態に係る無線基地局装置が一段階の電力測定処理によってハンドオーバ動作の実行を判断する場合における、ハンドオーバ動作の一例を示す図である。
【図２４】本発明の第１の実施の形態に係る無線基地局装置が二段階の電力測定処理によってハンドオーバ動作の実行を判断する場合における、ハンドオーバ動作の一例を示す図である。
【図２５】本発明の第１の実施の形態に係る無線基地局装置による、ＣＱＩレポートの内容に基づくハンドオーバ動作の一例を示す図である。
【図２６】本発明の第１の実施の形態に係る無線基地局装置のハンドオーバ動作の実行判断の手順の一例を定めたフローチャートである。
【図２７】本発明の第１の実施の形態に係る無線基地局装置による、ＣＱＩレポートの内容に基づくハンドオーバ動作の一例を示す図である。
【図２８】本発明の第１の実施の形態に係る無線基地局装置のハンドオーバ動作の実行判断の手順の一例を定めたフローチャートである。
【図２９】本発明の第１の実施の形態に係る無線基地局装置による、ＣＱＩレポートの内容に基づくハンドオーバ動作の一例を示す図である。
【図３０】本発明の第１の実施の形態に係る無線基地局装置のハンドオーバ動作の実行判断の手順の一例を定めたフローチャートである。
【図３１】本発明の第１の実施の形態に係る無線基地局装置による、ＣＱＩレポートの内容に基づくハンドオーバ動作の一例を示す図である。
【図３２】本発明の第１の実施の形態に係る無線基地局装置のハンドオーバ動作の実行判断の手順の一例を定めたフローチャートである。
【図３３】本発明の第１の実施の形態に係る無線基地局装置による電波環境の劣化判断の手順の一例を定めたフローチャートである。
【図３４】本発明の第１の実施の形態に係る無線基地局装置による電波環境の劣化判断の手順の一例を定めたフローチャートである。
【図３５】本発明の第１の実施の形態に係る無線基地局装置による電波環境の劣化判断の手順の一例を定めたフローチャートである。
【図３６】本発明の第１の実施の形態に係る無線基地局装置による電波環境の劣化判断の手順の一例を定めたフローチャートである。
【図３７】本発明の第１の実施の形態に係る無線基地局装置による電波環境の劣化判断の手順の一例を定めたフローチャートである。
【図３８】本発明の第１の実施の形態に係る無線基地局装置による電波環境の劣化判断の手順の一例を定めたフローチャートである。
【図３９】本発明の第１の実施の形態に係る無線基地局装置による、受信電力情報およびＣＱＩレポートと、通信プロトコルにおける各レイヤとの対応を示す図である。
【図４０】本発明の第２の実施の形態に係る無線基地局装置における制御部の構成を示す図である。
【図４１】本発明の第２の実施の形態に係る無線通信システムにおけるハンドオーバ動作のシーケンスの一例を示す図である。
【図４２】本発明の第２の実施の形態に係る無線通信システムにおけるハンドオーバ動作のシーケンスの一例を示す図である。
【図４３】本発明の第２の実施の形態に係る無線通信システムにおけるハンドオーバ動作のシーケンスの一例を示す図である。
【図４４】本発明の第２の実施の形態に係る無線通信システムにおけるハンドオーバ動作のシーケンスの一例を示す図である。
【図４５】本発明の第２の実施の形態に係る無線通信システムにおいてハンドオーバ動作に要する時間の内訳の一例を示す図である。
【図４６】シミュレーション対象の無線通信システムにおける無線環境パラメータを示す図である。
【図４７】シミュレーション対象の無線通信システムにおける電力測定処理のパラメータを示す図である。
【図４８】ハンドオーバ失敗確率のシミュレーション結果を示す図である。
【図４９】”Ｐｉｎｇ  Ｐｏｎｇ  ＨＯ”の発生確率のシミュレーション結果を示す図である。
【図５０】図４８に示すハンドオーバ失敗確率、および図４９に示す”Ｐｉｎｇ  Ｐｏｎｇ  ＨＯ”の発生確率の和を示す図である。
【図５１】本発明の実施の形態に係る無線基地局装置による改善対象を示す図である。
【図５２】本発明の第３の実施の形態に係る無線通信システムの構成の一例を示す図である。
【図５３】本発明の第３の実施の形態に係る無線通信システムにおいて、ハンドオーバ動作の実行条件が満たされる状況におけるハンドオーバ動作のシーケンスである。
【図５４】本発明の第３の実施の形態に係る無線通信システムにおいて、ハンドオーバ動作の実行条件が満たされない状況におけるハンドオーバ動作のシーケンスである。
【図５５】本発明の第３の実施の形態に係る無線通信システムの構成の一例を示す図である。
【図５６】本発明の第３の実施の形態に係る無線通信システムにおいて、ハンドオーバ動作の実行条件が満たされる状況におけるハンドオーバ動作のシーケンスである。
【図５７】本発明の第３の実施の形態に係る無線通信システムにおいて、ハンドオーバ動作の実行条件が満たされない状況におけるハンドオーバ動作のシーケンスである。
【図５８】本発明の第３の実施の形態に係る無線通信システムの構成の一例を示す図である。
【図５９】本発明の第３の実施の形態に係る無線通信システムにおいて、ハンドオーバ動作の実行条件が満たされる状況におけるハンドオーバ動作のシーケンスである。
【図６０】本発明の第３の実施の形態に係る無線通信システムにおいて、ハンドオーバ動作の実行条件が満たされない状況におけるハンドオーバ動作のシーケンスである。
【図６１】ハンドオーバ先の候補である無線基地局装置が複数存在する状況の一例を説明するための図である。
【図６２】図６１に示す状況におけるハンドオーバ動作のシーケンスの一例を示す図である。
【図６３】ハンドオーバ先の候補である無線基地局装置が複数存在する状況の一例における課題を説明するための図である。
【図６４】図６３に示す状況におけるハンドオーバ動作のシーケンスの一例を示す図である。
【図６５】本発明の第４の実施の形態に係る無線通信システムの構成を示す図である。
【図６６】本発明の第４の実施の形態に係る無線通信システムにおいて、ハンドオーバ元の無線基地局装置がハンドオーバ先を選択する場合におけるハンドオーバ動作のシーケンスである。
【図６７】ＲＲＣコネクション再構成指示のメッセージ構造の比較例を示す図である。
【図６８】本発明の第４の実施の形態に係る無線通信システムにおけるハンドオーバ要求部から送信されるＲＲＣコネクション再構成指示のメッセージ構造の一例を示す図である。
【図６９】本発明の第４の実施の形態に係る無線通信システムの無線端末装置の構成を示す図である。
【図７０】本発明の第４の実施の形態に係る無線通信システムにおいて、無線端末装置がハンドオーバ先を選択する場合におけるハンドオーバ動作のシーケンスである。
【図７１】本発明の第４の実施の形態に係る無線基地局装置における制御部の構成を示す図である。
【図７２】本発明の第４の実施の形態に係る無線通信システムにおいて、ハンドオーバ元の無線基地局装置がハンドオーバ先を選択する場合におけるハンドオーバ動作のシーケンスである。
【図７３】本発明の第５の実施の形態に係る無線通信システムの構成の一例を示す図である。
【図７４】本発明の第５の実施の形態に係る無線通信システムにおけるハンドオーバ動作のシーケンスである。
【図７５】本発明の第５の実施の形態に係る無線通信システムの構成の一例を示す図である。
【図７６】本発明の第５の実施の形態に係る無線通信システムにおけるハンドオーバ動作のシーケンスである。
【発明を実施するための形態】
【００９２】
以下、本発明の実施の形態について図面を用いて説明する。なお、図中同一または相当部分には同一符号を付してその説明は繰り返さない。
【００９３】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００９４】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００９５】
また、ハンドオーバとは、通話中またはデータ通信中の無線端末装置の通信相手となる無線基地局装置が切り替えられることを意味する。
【００９６】
また、無線端末装置がセルに在圏している、とは、無線端末装置が、当該セルを形成する無線基地局装置を通信先として選択し、かつ当該無線基地局装置と通信可能な状態または通信中である状態を意味する。
【００９７】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００９８】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００９９】
本発明の実施の形態に係る無線通信システムにおいても、このような３ＧＰＰの定義を適用してもよい。
【０１００】
また、上記定義と合わせて、あるいは別個に、以下のような定義を適用することも可能である。
【０１０１】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【０１０２】
また、フェムト基地局は、主に個人または法人の建物内に設置され、ユーザの事情により移動するまたは電源がオフとなる可能性がある無線基地局装置である。
【０１０３】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【０１０４】
＜第１の実施の形態＞
［構成および基本動作］
図１は、本発明の第１の実施の形態に係る無線通信システムの構成を示す図である。
【０１０５】
図１を参照して、無線通信システムは、たとえば３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられてもよい。
【０１０６】
無線基地局装置１０１Ａ，１０１Ｂは、たとえばフェムト基地局、ピコ基地局またはマクロ基地局である。
【０１０７】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【０１０８】
ここで、無線端末装置からコアネットワークへの方向を上り方向と称し、コアネットワークから無線端末装置への方向を下り方向と称する。
【０１０９】
本発明の第１の実施の形態に係る無線通信システムにおける無線基地局装置および無線端末装置は、以下の各シーケンスおよび各フローチャートの各ステップを含むプログラムを図示しないメモリから読み出して実行する。このプログラムは、外部からインストールすることができる。このインストールされるプログラムは、たとえば記録媒体に格納された状態で流通する。
【０１１０】
図２は、本発明の第１の実施の形態に係る無線通信システムにおけるハンドオーバ動作のシーケンスの一例を示す図である。
【０１１１】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【０１１２】
図２を参照して、まず、無線基地局装置１０１Ａは、自己と通信中の無線端末装置２０２の測定対象となる周波数と、当該周波数の無線信号を送信する他の無線基地局装置とを設定する（ステップＳ１）。
【０１１３】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ２）。
【０１１４】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３）。
【０１１５】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４）。
【０１１６】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５）。
【０１１７】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ６）。
【０１１８】
次に、無線基地局装置１０１Ａは、無線基地局装置１０１Ｂを示すハンドオーバ要求を上位装置へ送信する（ステップＳ７）。
【０１１９】
次に、上位装置は、無線基地局装置１０１Ａからハンドオーバ要求を受信して、無線基地局装置１０１Ｂへ当該ハンドオーバ要求を送信する（ステップＳ８）。
【０１２０】
次に、無線基地局装置１０１Ｂは、上位装置からハンドオーバ要求を受信して、上位装置へ当該ハンドオーバ要求に対するハンドオーバ応答を送信する（ステップＳ９）。
【０１２１】
次に、上位装置は、無線基地局装置１０１Ｂからハンドオーバ応答を受信して、無線基地局装置１０１Ａへハンドオーバ指示を送信する（ステップＳ１０）。
【０１２２】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ１１）。
【０１２３】
次に、無線基地局装置１０１Ａは、上位装置へ自己の通信状態等を示す状態通知を送信する（ステップＳ１２）。
【０１２４】
次に、上位装置は、無線基地局装置１０１Ａから状態通知を受信して、無線基地局装置１０１Ｂへ無線端末装置２０２との通信内容等を示す状態通知を送信する（ステップＳ１３）。
【０１２５】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１４）。
【０１２６】
次に、無線基地局装置１０１Ｂは、無線端末装置２０２からＲＲＣコネクション再構成完了通知を受信して、上位装置へハンドオーバ完了通知を送信する（ステップＳ１５）。
【０１２７】
次に、上位装置は、無線基地局装置１０１Ｂからハンドオーバ完了通知を受信して、端末情報解放指示を無線基地局装置１０１Ａへ送信する（ステップＳ１６）。
【０１２８】
次に、無線基地局装置１０１Ａは、上位装置から端末情報解放指示を受信して、無線端末装置２０２に関する情報を解放し、上位装置へ端末情報解放完了通知を送信する（ステップＳ１７）。
【０１２９】
［不適切なハンドオーバ動作の例］
以下、無線端末装置２０２と通信中の無線基地局装置またはハンドオーバ元の無線基地局装置をサービング基地局とも称し、ハンドオーバ先の無線基地局装置を周辺基地局とも称する。
【０１３０】
図３は、本発明の第１の実施の形態に係る無線通信システムにおいて、不適切なハンドオーバ動作（Ｔｏｏ  Ｌａｔｅ  ＨＯ）が生じた状況の一例を示す図である。
【０１３１】
図４は、本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【０１３２】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【０１３３】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【０１３４】
ここでは、図３に示すように、無線端末装置２０２は、セルＣＡ内に位置し、無線基地局装置１０１Ａと通信中である場合を想定する。
【０１３５】
図３および図４を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【０１３６】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【０１３７】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【０１３８】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【０１３９】
ここで、ネットワーク側のハンドオーバの準備中、すなわち無線基地局装置１０１Ａおよび１０１Ｂが上記のようなハンドオーバのためのメッセージの送受信を行っている間に、無線端末装置２０２が、セルＣＡの圏外、かつセルＣＢの圏内に移動する（ステップＳ５５）。
【０１４０】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【０１４１】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【０１４２】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【０１４３】
次に、無線端末装置２０２は、無線基地局装置１０１ＢへＲＲＣコネクション再確立完了通知（RRC Connection Reestablishment Complete）を送信する（ステップＳ６０）。
【０１４４】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【０１４５】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【０１４６】
次に、無線基地局装置１０１Ｂは、無線端末装置２０２から受信したＲＬＦレポートのＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【０１４７】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【０１４８】
次に、無線基地局装置１０１Ａは、セルＣＢへの”Ｔｏｏ  Ｌａｔｅ  ＨＯ”の発生が抑制されるように、ハンドオーバ動作の最適化処理を実行する（ステップＳ６５）。
【０１４９】
図５および図６は、本発明の第１の実施の形態に係る無線通信システムにおいて、不適切なハンドオーバ動作（Ｔｏｏ  Ｅａｒｌｙ  ＨＯ）が生じた状況の一例を示す図である。
【０１５０】
図５および図６を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１５１】
図７は、本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【０１５２】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０１５３】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報解放指示を無線基地局装置１０１Ａへ送信していたときに、”Ｔｏｏ  Ｅａｒｌｙ  ＨＯ”である旨を無線基地局装置１０１Ａに通知する。
【０１５４】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０１５５】
ここでは、図５に示すように、無線端末装置２０２が、セルＣＡ内に位置し、無線基地局装置１０１Ａと通信中である状態から、セルＣＢ２内へ移動した場合（ステップＳ７０）を想定する。
【０１５６】
図５〜図７を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０１５７】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０１５８】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０１５９】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０１６０】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０１６１】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０１６２】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０１６３】
また、無線基地局装置１０１Ｂは、無線端末装置２０２のセルＣＢにおける滞在時間を計測するために、タイマをスタートさせる（ステップＳ７８）。
【０１６４】
次に、無線基地局装置１０１Ａは、無線基地局装置１０１Ｂから端末情報解放指示を受信して、無線端末装置２０２に関する情報（UE Context）を解放する（ステップＳ７９）。
【０１６５】
以上により、無線端末装置２０２の無線基地局装置１０１Ａから無線基地局装置１０１Ｂへのハンドオーバが完了する（ステップＳ８０）。
【０１６６】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０１６７】
そうすると、無線端末装置２０２は、無線基地局装置１０１Ｂと通信できなくなることから、ＲＬＦが発生してしまう（ステップＳ８３）。
【０１６８】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０１６９】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０１７０】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０１７１】
すなわち、まず、無線端末装置２０２は、ＲＲＣコネクション要求（RRC Connection Request）を無線基地局装置１０１Ａへ送信する（ステップＳ８８）。
【０１７２】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０１７３】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０１７４】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０１７５】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０１７６】
次に、無線基地局装置１０１Ａは、無線端末装置２０２へＲＲＣコネクション再構成指示（RRC Connection Reconfiguration）を送信する（ステップＳ９３）。
【０１７７】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０１７８】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０１７９】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０１８０】
次に、無線基地局装置１０１Ａは、無線端末装置２０２から受信したＲＬＦレポートのＰＣＩを参照することにより、無線基地局装置１０１ＢにおいてＲＬＦが発生しことを認識し、セルＣＡへの”Ｔｏｏ  Ｌａｔｅ  ＨＯ”が発生したと判断する（ステップＳ９７）。
【０１８１】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０１８２】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０１８３】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０１８４】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０１８５】
図８は、本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【０１８６】
図８を参照して、無線通信システムは、図１に示す無線通信システムと比べて、さらに、無線基地局装置１０１Ｃを備える。無線基地局装置１０１Ｃは、たとえばフェムト基地局、ピコ基地局またはマクロ基地局である。
【０１８７】
無線基地局装置１０１Ｃは、セルＣＣを形成し、セルＣＣ内に存在する無線端末装置２０２と無線信号を送受信することにより、当該無線端末装置２０２と通信することが可能である。
【０１８８】
図９は、本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０１８９】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０１９０】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報解放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０１９１】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０１９２】
ここでは、図８に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０１９３】
図８および図９を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０１９４】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０１９５】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０１９６】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０１９７】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０１９８】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０１９９】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０２００】
また、無線基地局装置１０１Ｂは、無線端末装置２０２のセルＣＢにおける滞在時間を計測するために、タイマをスタートさせる（ステップＳ１１８）。
【０２０１】
次に、無線基地局装置１０１Ａは、無線基地局装置１０１Ｂから端末情報解放指示を受信して、無線端末装置２０２に関する情報（UE Context）を解放する（ステップＳ１１９）。
【０２０２】
以上により、無線端末装置２０２の無線基地局装置１０１Ａから無線基地局装置１０１Ｂへのハンドオーバが完了する（ステップＳ１２０）。
【０２０３】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０２０４】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０２０５】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０２０６】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０２０７】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０２０８】
すなわち、まず、無線端末装置２０２は、ＲＲＣコネクション要求（RRC Connection Request）を無線基地局装置１０１Ｃへ送信する（ステップＳ１２８）。
【０２０９】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０２１０】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０２１１】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０２１２】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０２１３】
次に、無線基地局装置１０１Ｃは、無線端末装置２０２へＲＲＣコネクション再構成指示（RRC Connection Reconfiguration）を送信する（ステップＳ１３３）。
【０２１４】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０２１５】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０２１６】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０２１７】
次に、無線基地局装置１０１Ｃは、無線端末装置２０２から受信したＲＬＦレポートのＰＣＩを参照することにより、無線基地局装置１０１ＢにおいてＲＬＦが発生しことを認識し、セルＣＣへの”Ｔｏｏ  Ｌａｔｅ  ＨＯ”が発生したと判断する（ステップＳ１３７）。
【０２１８】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０２１９】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０２２０】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０２２１】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の最適化処理を実行する（ステップＳ１４２）。
【０２２２】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０２２３】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０２２４】
［ハンドオーバ動作の制御パラメータ］
図１０は、本発明の第１の実施の形態に係る無線通信システムにおける、無線端末装置の受信品質のシミュレーション結果を示す図である。
【０２２５】
図１０は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０２２６】
図１０において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０２２７】
図１０を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０２２８】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０２２９】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０２３０】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０２３１】
たとえば、ヒステリシスＨＳおよびＴＴＴは後述するイベントごとに設定可能であり、オフセットＯＳＴはサービング基地局の形成するサービングセル、および周辺セルごとに設定可能である。
【０２３２】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０２３３】
以下、測定結果通知を送信する各種イベントと電力測定処理のパラメータとの関係について説明する。
【０２３４】
図１１は、本発明の第１の実施の形態に係る無線通信システムにおいて、無線端末装置が測定結果通知を送信するイベントＡ１を示す図である。図１１において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０２３５】
図１１を参照して、イベントＡ１では、閾値Ｔｈに対して正負の方向にヒステリシスＨＳが設定される。
【０２３６】
無線端末装置２０２は、サービングセルの受信電力またはＳＩＮＲが（Ｔｈ＋ＨＳ）よりも大きくなると、レポートオン状態へ遷移する（タイミングＴ１）。
【０２３７】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０２３８】
次に、無線端末装置２０２は、当該条件が満たされた状態でタイミングＴ２からＴＴＴ経過すると、測定結果通知を送信する（タイミングＴ３）。
【０２３９】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０２４０】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０２４１】
図１２は、本発明の第１の実施の形態に係る無線通信システムにおいて、無線端末装置が測定結果通知を送信するイベントＡ２を示す図である。図の見方は図１１と同様である。
【０２４２】
図１２を参照して、イベントＡ２では、閾値Ｔｈに対して正負の方向にヒステリシスＨＳが設定される。
【０２４３】
無線端末装置２０２は、サービングセルの受信電力またはＳＩＮＲが（Ｔｈ−ＨＳ）よりも小さくなると、レポートオン状態へ遷移する（タイミングＴ１１）。
【０２４４】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０２４５】
次に、無線端末装置２０２は、当該条件が満たされた状態でタイミングＴ１２からＴＴＴ経過すると、測定結果通知を送信する（タイミングＴ１３）。
【０２４６】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０２４７】
図１３は、本発明の第１の実施の形態に係る無線通信システムにおいて、無線端末装置が測定結果通知を送信するイベントＡ３を示す図である。図１３において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０２４８】
図１３を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０２４９】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０２５０】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０２５１】
次に、無線端末装置２０２は、当該条件が満たされた状態でタイミングＴ２２からＴＴＴ経過すると、測定結果通知を送信する（タイミングＴ２３）。
【０２５２】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０２５３】
図１４は、本発明の第１の実施の形態に係る無線通信システムにおいて、無線端末装置が測定結果通知を送信するイベントＡ４を示す図である。図の見方は図１３と同様である。
【０２５４】
図１４を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０２５５】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０２５６】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０２５７】
次に、無線端末装置２０２は、当該条件が満たされた状態でタイミングＴ３２からＴＴＴ経過すると、測定結果通知を送信する（タイミングＴ３３）。
【０２５８】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０２５９】
図１５は、本発明の第１の実施の形態に係る無線通信システムにおいて、無線端末装置が測定結果通知を送信するイベントＡ５を示す図である。図の見方は図１３と同様である。
【０２６０】
図１５を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０２６１】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０２６２】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０２６３】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０２６４】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０２６５】
図１６は、本発明の第１の実施の形態に係る無線通信システムにおいて、ヒステリシスＨＳの調整によるハンドオーバ動作のタイミング制御を示す図である。図１６は、イベントＡ３の場合を示す。
【０２６６】
図１６を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０２６７】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０２６８】
すなわち、ヒステリシスＨＳを大きくすると、測定結果通知の送信タイミングすなわちハンドオーバ動作のタイミングを遅くすることができる。
【０２６９】
図１７は、本発明の第１の実施の形態に係る無線通信システムにおいて、ＴＴＴの調整によるハンドオーバ動作のタイミング制御を示す図である。図１７は、イベントＡ３の場合を示す。
【０２７０】
図１７を参照して、ＴＴＴを小さく設定した場合には、タイミングＴ６２において測定結果通知が送信される。
【０２７１】
これに対して、ＴＴＴを大きく設定した場合には、タイミングＴ６１より後のタイミングＴ６３において測定結果通知が送信される。
【０２７２】
すなわち、ＴＴＴを大きくすると、測定結果通知の送信タイミングすなわちハンドオーバ動作のタイミングを遅くすることができる。
【０２７３】
図１８は、本発明の第１の実施の形態に係る無線通信システムにおいて、オフセットＯＳＴの調整によるハンドオーバ動作のタイミング制御を示す図である。図１８は、イベントＡ３の場合を示す。
【０２７４】
図１８を参照して、オフセットＯＳＴをゼロに設定した場合には、タイミングＴ７１においてレポ−トオン状態へ遷移し、タイミングＴ７３において測定結果通知が送信され、タイミングＴ７６においてレポートオフ状態へ遷移する。
【０２７５】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７６より前のタイミングＴ７５においてレポートオフ状態へ遷移する。
【０２７６】
すなわち、オフセットＯＳＴを小さくすると、測定結果通知の送信タイミングすなわちハンドオーバ動作のタイミングを遅くすることができる。また、レポートオフ状態からレポートオン状態への遷移が遅くなり、かつレポートオン状態からレポートオフ状態への遷移が早くなる。
【０２７７】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０２７８】
ここで、ヒステリシスＨＳ、ＴＴＴおよびオフセットＯＳＴを調整する効果の違いについて考察する。
【０２７９】
いずれのパラメータを調整しても、ハンドオーバのタイミングを調整することができるが、これらの効果は、干渉を含む地形、および無線端末装置の移動速度等によって異なる。
【０２８０】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０２８１】
また、ヒステリシスＨＳおよびオフセットＯＳＴは、無線端末装置の移動速度による影響を受けにくいパラメータである。
【０２８２】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。
【０２８３】
［無線基地局装置］
図１９は、本発明の第１の実施の形態に係る無線基地局装置の構成を示す図である。
【０２８４】
図１９を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０２８５】
サーキュレータ９２は、アンテナ９１において受信された無線端末装置２０２からの無線信号を無線受信部９３へ出力し、また、無線送信部９４から受けた無線信号をアンテナ９１へ出力する。
【０２８６】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０２８７】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０２８８】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０２８９】
無線送信部９４は、送信信号処理部９７から受けたデジタル信号をアナログ信号に変換し、変換したアナログ信号を無線信号に周波数変換してサーキュレータ９２へ出力する。
【０２９０】
制御部９８は、無線基地局装置１０１における各ユニットおよびコアネットワークとの間で各種情報をやり取りする。
【０２９１】
［ハンドオーバ動作の実行判断］
次に、本発明の第１の実施の形態に係る無線基地局装置によるハンドオーバ動作の実行判断について詳細に説明する。
【０２９２】
前述のように、本発明の第１の実施の形態に係る無線基地局装置では、ハンドオーバ動作の実行判断に電力測定処理（Measurement）を利用する。この電力測定処理は、たとえば３ＧＰＰでは、レイヤ３スタックのＲＲＣに対応する。
【０２９３】
電力測定処理には、たとえば、周期的電力測定処理（Periodic Measurement）およびイベント起動電力測定処理（Event Triggered Measurement）の２種類がある。イベント起動電力測定処理における測定結果通知の送信は、たとえば前述のイベントＡ１〜Ａ５におけるレポートオン状態への遷移によって開始されるが、他の種類のイベントを利用してもよい。
【０２９４】
たとえば３ＧＰＰでは、周期的電力測定処理の報告周期は１２０ミリ秒〜６０分で設定可能あり、イベント起動電力測定処理の報告周期は０〜５１２０ミリ秒で設定可能であるが、”ＴＳ３６．５０８”および”ＴＳ３６．５２３”において推奨値として記載されているように、測定結果の報告周期の最短時間は、イベントＡ１の２５６ミリ秒であり、それほど短くない。
【０２９５】
このため、次回の測定結果通知が無線端末装置から無線基地局装置に到着する前に電波環境が劣化し、無線端末装置および無線基地局装置間の無線リンクが切断されてしまう可能性がある。
【０２９６】
図２０は、本発明の第１の実施の形態に係る無線基地局装置が受信電力情報のみを用いてハンドオーバ動作の実行判断を行なうと仮定した場合におけるハンドオーバ動作の一例を示す図である。
【０２９７】
図２０において、横軸は時間であり、縦軸は電波強度である。ＳＶＣはサービングセルの電波強度すなわちサービング基地局が送信する無線信号の無線端末装置２０２における受信電力であり、ＮＢＣは周辺セルの電波強度すなわち周辺基地局が送信する無線信号の無線端末装置２０２における受信電力である。
【０２９８】
また、図２０において、無線基地局装置１０１は、タイミングＴ８１〜Ｔ８３，Ｔ８６において、無線端末装置２０２から受信電力情報すなわち測定結果通知をそれぞれ受信する。
【０２９９】
図２０を参照して、サービングセルの電波強度および周辺セルの電波強度が実線で示すように推移する場合には、無線基地局装置１０１は、周辺セルの電波強度がサービングセルの電波強度よりも大きくなる状態を示す受信電力情報をタイミングＴ８６において取得する。そして、無線基地局装置１０１は、取得した受信電力情報に基づいて、当該無線端末装置２０２による周辺基地局へのハンドオーバ動作を実行する。
【０３００】
サービングセルの電波強度および周辺セルの電波強度は、このように実線で示すように推移する場合が理想的である。しかしながら、破線で示すように、サービングセルおよび周辺セルの一方または両方における電波環境が急激に劣化し、ハンドオーバ動作が間に合わず、タイミングＴ８６より前のタイミングＴ８５において無線端末装置２０２および無線基地局装置１０１間の無線リンクが切断されてしまう場合がある。
【０３０１】
そこで、本発明の第１の実施の形態に係る無線基地局装置では、以下のような構成により、上記問題点を解決する。
【０３０２】
すなわち、本発明の第１の実施の形態に係る無線基地局装置では、受信電力情報よりも短い周期で更新される情報、たとえば３ＧＰＰにおいて、最短で５ミリ秒周期の報告が可能なＣＱＩ（Channel Quality Indication）レポートを併用することにより、無線リンクが切断される可能性を低減する。ＣＱＩレポートは、レイヤ２スタックのＭＡＣ（Medium Access Control）またはＰＨＹ（Physical Layer）に対応する。
【０３０３】
ＣＱＩレポートは、直接現在の各セルにおける電波状況を通知するものではなく、ＳＩＮＲを用いた以下の式により０〜１５の１６段階で表現される値である。ＣＱＩ＝０の場合、無線端末装置２０２の受信品質が最も悪く、ＣＱＩ＝１５の場合、無線端末装置２０２の受信品質が最も良い。
ＣＱＩ＝ｍｉｎ（ｍａｘ（ｒｏｕｎｄ（（ＳＩＮＲ［ｄＢ］＋８）／１．８９２），０），１５）
【０３０４】
図２１は、本発明の第１の実施の形態に係る無線基地局装置における制御部の構成を示す図である。
【０３０５】
図２１を参照して、制御部９８は、受信電力情報取得部（第１測定情報取得部）１１と、受信品質情報取得部（第２測定情報取得部）１２と、ハンドオーバ動作判断部１３と、条件設定部１４とを含む。
【０３０６】
受信電力情報取得部１１は、無線端末装置２０２における各無線基地局装置１０１からの無線信号の受信電力の測定結果を示す受信電力情報すなわち測定結果通知を取得する。
【０３０７】
受信品質情報取得部１２は、受信電力情報よりも短い周期で更新され、無線端末装置２０２における自己の無線基地局装置１０１からの無線信号の受信品質を示す受信品質情報すなわちＣＱＩレポートを取得する。
【０３０８】
ハンドオーバ動作判断部１３は、受信品質情報取得部１２によって取得された受信品質情報に基づいて、無線端末装置２０２による自己の無線基地局装置１０１から他の無線基地局装置１０１へのハンドオーバ動作を実行するか否かを判断する。たとえば、ハンドオーバ動作判断部１３は、上記受信品質情報に加えて、受信電力情報取得部１１によって取得された受信電力情報に基づいて、上記ハンドオーバ動作を実行するか否かを判断する。
【０３０９】
条件設定部１４は、受信品質情報取得部１２によって取得された受信品質情報に基づいて、イベント起動電力測定処理の各種条件、すなわち上記受信電力情報の各種作成条件を変更する。
【０３１０】
図２２は、本発明の第１の実施の形態に係る無線基地局装置のハンドオーバ動作の実行判断による、ハンドオーバ動作の一例を示す図である。図の見方は図２０と同様である。
【０３１１】
図２２を参照して、本発明の第１の実施の形態に係る無線基地局装置では、ＣＱＩレポートによって電力測定処理を補完し、無線リンクが切断される前にハンドオーバ動作の実行を促す。
【０３１２】
より詳細には、無線基地局装置１０１は、無線端末装置２０２に対して、電力測定処理に併せて、電力測定処理よりも報告周期の短いＣＱＩレポートの作成処理を行なわせる。たとえば、無線基地局装置１０１は、タイミングＴ８３において無線端末装置２０２に対してＣＱＩレポートの送信を指示し、無線端末装置２０２から受信したＣＱＩレポートの内容に基づいて電波環境の劣化を検知する。すなわち、無線基地局装置１０１は、ＣＱＩレポートを参照して、サービングセルが周辺セルから受ける干渉により、どの程度無線端末装置２０２の受信品質が劣化しているかを把握する。
【０３１３】
無線基地局装置１０１は、ＣＱＩレポートの値に基づいて、サービングセルにおける無線端末装置２０２の通信可否を判断し、これ以上通信を継続することは困難であると判断した場合、当該無線端末装置２０２による周辺セルへのハンドオーバ動作を実行する。
【０３１４】
これにより、サービングセルおよび周辺セルの一方または両方における電波環境が破線で示すように急激に劣化しても、図２０においてハンドオーバ動作が間に合わず無線端末装置２０２および無線基地局装置１０１間の無線リンクが切断されてしまったタイミングＴ８５より前のタイミングＴ８４においてハンドオーバ動作を実行することができる。
【０３１５】
［受信電力情報およびＣＱＩレポートの組み合わせ］
本発明の第１の実施の形態に係る無線基地局装置のハンドオーバ動作の実行判断における、受信電力情報およびＣＱＩレポートの組み合わせは、種々考えられる。
【０３１６】
まず、一段階の電力測定処理によってハンドオーバ動作の実行を判断する場合について説明する。
【０３１７】
図２３は、本発明の第１の実施の形態に係る無線基地局装置が一段階の電力測定処理によってハンドオーバ動作の実行を判断する場合における、ハンドオーバ動作の一例を示す図である。図の見方は図２０と同様である。
【０３１８】
図２３において、無線基地局装置１０１は、タイミングＴ１０２，Ｔ１０３，Ｔ１０５において、無線端末装置２０２から受信電力情報をそれぞれ受信する。
【０３１９】
図２３を参照して、無線基地局装置１０１は、ハンドオーバ動作の実行判断を行なうための電力測定処理として、イベント起動電力測定処理を用いる。
【０３２０】
すなわち、無線基地局装置１０１は、イベント起動電力測定処理を無線端末装置２０２に開始させた段階で、無線端末装置２０２にＣＱＩレポートの作成処理も開始させ、受信電力情報を監視するとともに、ＣＱＩレポートを監視する。
【０３２１】
具体的には、無線基地局装置１０１は、無線端末装置２０２に対して、タイミングＴ１０１においてイベント起動電力測定処理を開始するように指示するとともに、同じくタイミングＴ１０１においてＣＱＩレポートの作成処理を開始するように指示する。そして、無線基地局装置１０１は、無線端末装置２０２から送信されるＣＱＩレポートを、受信電力情報と併せて監視する。
【０３２２】
そして、タイミングＴ１０３の後の、周辺セルの電波強度がサービングセルの電波強度よりも大きくなり、周辺セルの電波強度とサービングセルの電波強度との差が大きくなったタイミングＴ１０４において、無線基地局装置１０１は、ＣＱＩレポートから電波環境の劣化を検知し、周辺基地局へのハンドオーバ動作を実行する。
【０３２３】
なお、無線基地局装置１０１は、イベント起動電力測定処理の開始タイミングＴ１０１においてＣＱＩレポートの作成処理を開始させる構成に限らず、タイミングＴ１０３等、たとえば、ある程度サービングセルの電波環境が劣化してきた段階、もしくは周辺セルの電波環境が改善した段階、またはこれらの両方を満たした段階において、無線端末装置２０２に対してＣＱＩレポートの作成開始を指示してもよい。
【０３２４】
次に、二段階の電力測定処理によってハンドオーバ動作の実行を判断する場合について説明する。
【０３２５】
図２４は、本発明の第１の実施の形態に係る無線基地局装置が二段階の電力測定処理によってハンドオーバ動作の実行を判断する場合における、ハンドオーバ動作の一例を示す図である。図の見方は図２０と同様である。
【０３２６】
図２４において、無線基地局装置１０１は、タイミングＴ１１２，Ｔ１１５において、無線端末装置２０２から受信電力情報をそれぞれ受信する。
【０３２７】
図２４を参照して、無線基地局装置１０１は、ある程度サービングセルの電波環境が劣化するまで第一の電力測定処理を用いて周期的な監視を行ない、その後、ハンドオーバ動作の実行判断を行なうための第二の電力測定処理に切り替える。
【０３２８】
たとえば、無線基地局装置１０１は、第一の電力測定処理を周期的電力測定処理とし、第二の電力測定処理をイベント起動電力測定処理とする。このイベント起動電力測定処理に対応するイベントとしては、たとえばイベントＡ３またはＡ５が好ましい。
【０３２９】
ここでは、無線基地局装置１０１は、周期的電力測定処理の実行中に、併せてＣＱＩレポートを使用する。これにより、急激な電波環境の変化に応じてイベント起動電力測定処理の起動および条件設定を柔軟に実行する。
【０３３０】
すなわち、無線基地局装置１０１は、周期的電力測定処理を無線端末装置２０２が開始した段階で、無線端末装置２０２にＣＱＩレポートの作成処理も開始させ、受信電力情報を監視するとともに、ＣＱＩレポートを監視する。
【０３３１】
具体的には、無線基地局装置１０１は、たとえば無線端末装置２０２との通信コネクションの確立に伴い、無線端末装置２０２に対して、タイミングＴ１１１において周期的測定処理を開始するように指示するとともに、同じくタイミングＴ１１１においてＣＱＩレポートの作成処理を開始するように指示する。そして、無線基地局装置１０１は、無線端末装置２０２から送信されるＣＱＩレポートを、受信電力情報と併せて監視する。
【０３３２】
そして、サービングセルの電波強度が徐々に小さくなるとともに周辺セルの電波強度が徐々に大きくなり、両者の差がある程度小さくなったタイミングＴ１１３において、無線基地局装置１０１は、ＣＱＩレポートから電波環境の劣化を検知し、無線端末装置２０２に対してイベント起動電力測定処理による受信電力情報の送信を指示する。なお、無線基地局装置１０１は、さらに、タイミングＴ１１３において受信したＣＱＩレポートに基づいて、イベント起動電力測定処理のレポートオン状態への遷移条件および報告周期等を設定してもよい。無線端末装置２０２は、タイミングＴ１１４においてイベント起動電力測定処理を開始する。
【０３３３】
そして、無線基地局装置１０１は、タイミングＴ１１５において無線端末装置２０２から受信した受信電力情報に基づいて、周辺基地局へのハンドオーバ動作を実行する。
【０３３４】
なお、ここでは、第一の電力測定処理を周期的電力測定処理とし、第二の電力測定処理をイベント起動電力測定処理としたが、これに限定するものではなく、別の組み合わせであってもよい。たとえば、第一の電力測定処理および第二の電力測定処理をイベント起動電力測定処理としてもよいし、第一の電力測定処理を周期的電力測定処理とし、第二の電力測定処理をイベント起動電力測定処理としてもよいし、第一の電力測定処理および第二の電力測定処理を周期的電力測定処理としてもよい。また、イベント種別についても同様であり、使用するイベント種別は限定されない。
【０３３５】
また、無線基地局装置１０１は、三段階以上の電力測定処理によってハンドオーバ動作を実行する構成であってもよい。
【０３３６】
この場合、上記のような二段階の電力測定処理と同様の考え方に基づき、無線基地局装置１０１は、ＣＱＩレポートを利用して、次の段階の電力測定処理の起動および条件設定を柔軟に行なうことが可能である。
【０３３７】
［ＣＱＩレポートの利用方法］
次に、上記のような受信電力情報およびＣＱＩレポートの組み合わせによるハンドオーバ動作の実行判断における、ＣＱＩレポートの内容の具体的な利用方法について説明する。
【０３３８】
図２５は、本発明の第１の実施の形態に係る無線基地局装置による、ＣＱＩレポートの内容に基づくハンドオーバ動作の一例を示す図である。図の見方は図２０と同様である。
【０３３９】
図２５において、無線基地局装置１０１は、タイミングＴ１２２，Ｔ１２３において、無線端末装置２０２から受信電力情報をそれぞれ受信する。
【０３４０】
図２５を参照して、無線基地局装置１０１は、タイミングＴ１２１においてイベント起動電力測定処理を開始するように、無線端末装置２０２に対して指示する。そして、無線基地局装置１０１は、無線端末装置２０２から送信される受信電力情報を監視する。
【０３４１】
そして、サービングセルの電波強度が徐々に小さくなるとともに周辺セルの電波強度が徐々に大きくなり、両者の差が小さくなったタイミングＴ１２３において、無線基地局装置１０１は、ＣＱＩレポートの作成処理を開始するように、無線端末装置２０２に対して指示する。そして、無線基地局装置１０１は、無線端末装置２０２から送信されるＣＱＩレポートを、受信電力情報と併せて監視する。
【０３４２】
そして、タイミングＴ１２３の後の、周辺セルの電波強度がサービングセルの電波強度よりも大きくなり、周辺セルの電波強度とサービングセルの電波強度との差が大きくなったタイミングＴ１２４において、無線基地局装置１０１は、ＣＱＩレポートから電波環境の劣化を検知し、無線端末装置および無線基地局装置１０１間の無線リンクが切断される前に、周辺基地局へのハンドオーバ動作を実行する。
【０３４３】
ここで、たとえば、ＣＱＩレポートから電波環境の劣化を検知し、イベント起動電力測定処理のイベント種別および条件等を変更する場合には、ＲＲＣコネクション再構成指示を利用して、無線基地局装置１０１から無線端末装置２０２に変更を通知する必要がある。
【０３４４】
このため、無線基地局装置１０１がＣＱＩレポートを受信した時点で既に電波環境が劣化してきていることから、上記変更が間に合わない可能性がある。
【０３４５】
そこで、無線基地局装置１０１では、ハンドオーバ動作判断部１３は、受信品質情報取得部１２によって取得された受信品質情報が所定条件を満たす場合には、ハンドオーバ動作を実行すると判断し、無線端末装置２０２による自己の無線基地局装置から他の所定の無線基地局装置へのハンドオーバ動作を実行する。
【０３４６】
たとえば、無線基地局装置１０１は、３ＧＰＰで規定されているブラインドハンドオーバ（Blind Handover）を利用して、タイミングＴ１２４において、周辺セルのうち最も条件の良いセルへの強制的なハンドオーバ動作を実行する。
【０３４７】
このブラインドハンドオーバでは、どの周辺セルをハンドオーバ先とするかが重要となる。しかしながら、ＣＱＩレポートでは、サービングセル以外の周辺セルについては、周辺セルがサービングセルに与える干渉強度しか分からない。このため、無線基地局装置１０１は、ＣＱＩレポートだけでは、どの周辺セルがハンドオーバ先として最良かを判断することができない。
【０３４８】
そこで、無線基地局装置１０１では、ハンドオーバ動作判断部１３は、どの無線基地局装置へのハンドオーバ動作を実行するかを、受信電力情報取得部１１によって取得された受信電力情報に基づいて決定する。
【０３４９】
すなわち、無線基地局装置１０１は、電力測定処理において、サービングセルの測定だけでなく、周辺セルの測定も併せて実行するように無線端末装置２０２に対して指示する。具体的には、使用するイベント種別は、周辺セルの測定も必要となるイベントＡ３またはＡ５が好ましい。なお、サービングセルのみの測定でよいイベントＡ１およびＡ２を使用してもよいが、この場合、周期的電力測定処理においてサービングセルおよび周辺セルの測定を実行する必要がある。
【０３５０】
図２６は、本発明の第１の実施の形態に係る無線基地局装置のハンドオーバ動作の実行判断の手順の一例を定めたフローチャートである。
【０３５１】
図２６を参照して、まず、無線基地局装置１０１は、無線端末装置２０２に対して、イベント起動電力測定処理の開始を指示する（ステップＳ１６１）。
【０３５２】
次に、無線基地局装置１０１は、無線端末装置２０２に対して、受信品質情報すなわちＣＱＩレポートの作成開始を指示する（ステップＳ１６２）。
【０３５３】
次に、無線基地局装置１０１は、無線端末装置２０２から受信品質情報を取得し、取得した受信品質情報に基づいて、当該無線端末装置２０２のハンドオーバ動作を実行するか否かを判断する（ステップＳ１６３）。
【０３５４】
次に、無線基地局装置１０１は、当該無線端末装置２０２のハンドオーバ動作を実行すると判断した場合、過去に取得済みの受信電力情報に基づいて、当該無線端末装置２０２のハンドオーバ先となる無線基地局装置を選択する（ステップＳ１６４）。
【０３５５】
次に、ＣＱＩレポートの利用方法の他の例として、無線基地局装置１０１において、条件設定部１４は、ＣＱＩレポートに基づいて、イベント起動電力測定処理の条件すなわち受信電力情報の作成条件を変更する。たとえば、無線基地局装置１０１は、実行中のイベント起動電力測定処理について、報告周期すなわちＴＴＴの変更、および報告開始条件すなわちオフセットＯＳＴまたはヒステリシスＨＳの変更等を行なうことにより、ハンドオーバ動作が実行されやすい状況を作る。
【０３５６】
図２７は、本発明の第１の実施の形態に係る無線基地局装置による、ＣＱＩレポートの内容に基づくハンドオーバ動作の一例を示す図である。図の見方は図２０と同様である。
【０３５７】
図２７において、無線基地局装置１０１は、タイミングＴ１３２，Ｔ１３３，Ｔ１３６において、無線端末装置２０２から受信電力情報をそれぞれ受信する。
【０３５８】
図２７を参照して、無線基地局装置１０１は、タイミングＴ１３１においてイベント起動電力測定処理を開始するように、無線端末装置２０２に対して指示する。そして、無線基地局装置１０１は、無線端末装置２０２から送信される受信電力情報を監視する。
【０３５９】
そして、サービングセルの電波強度が徐々に小さくなるとともに周辺セルの電波強度が徐々に大きくなり、両者の差が小さくなったタイミングＴ１３３において、無線基地局装置１０１は、ＣＱＩレポートの作成処理を開始するように、無線端末装置２０２に対して指示する。そして、無線基地局装置１０１は、無線端末装置２０２から送信されるＣＱＩレポートを、受信電力情報と併せて監視する。
【０３６０】
そして、タイミングＴ１３３の後の、周辺セルの電波強度がサービングセルの電波強度よりも大きくなり、周辺セルの電波強度とサービングセルの電波強度との差がある程度大きくなったタイミングＴ１３４において、無線基地局装置１０１は、ＣＱＩレポートから電波環境の劣化を検知し、イベント起動電力測定処理の条件、たとえばＴＴＴを１／４に短縮するよう、無線端末装置２０２に対して指示する。
【０３６１】
そして、タイミングＴ１３４の後の、周辺セルの電波強度とサービングセルの電波強度との差がさらに大きくなったタイミングＴ１３５において、無線基地局装置１０１は、受信電力情報から電波環境のさらなる劣化を検知し、無線端末装置および無線基地局装置１０１間の無線リンクが切断される前に、周辺基地局へのハンドオーバ動作を実行する。
【０３６２】
図２８は、本発明の第１の実施の形態に係る無線基地局装置のハンドオーバ動作の実行判断の手順の一例を定めたフローチャートである。
【０３６３】
図２８を参照して、まず、無線基地局装置１０１は、無線端末装置２０２に対して、イベント起動電力測定処理の開始を指示する（ステップＳ１７１）。
【０３６４】
次に、無線基地局装置１０１は、無線端末装置２０２に対して、受信品質情報すなわちＣＱＩレポートの作成開始を指示する（ステップＳ１７２）。
【０３６５】
次に、無線基地局装置１０１は、無線端末装置２０２から受信品質情報を取得し、取得した受信品質情報に基づいて、当該無線端末装置２０２による受信電力情報の作成条件を変更する、たとえば受信電力情報の更新周期を短くする（ステップＳ１７３）。
【０３６６】
次に、無線基地局装置１０１は、取得した受信電力情報に基づいて、当該無線端末装置２０２のハンドオーバ動作を実行するか否かを判断する（ステップＳ１７４）。
【０３６７】
なお、条件設定部１４は、受信品質情報取得部１２によって取得された受信品質情報から受信品質の劣化すなわち無線端末装置２０２における電波環境の劣化を検知すると、受信電力情報の作成開始が早まるように受信電力情報の作成開始条件を設定する構成であってもよい。
【０３６８】
具体的には、タイミングＴ１３４において、無線基地局装置１０１は、ＣＱＩレポートから電波環境の劣化を検知し、イベント起動電力測定処理の条件として、ＴＴＴを小さくする代わりに、ヒステリシスＨＳを小さくするか、オフセットＯＳＴ１を小さくするか、またはオフセットＯＳＴ２を大きくするよう、無線端末装置２０２に対して指示する。
【０３６９】
次に、受信電力情報の作成条件を変更する他の例として、無線基地局装置１０１は、ＣＱＩレポートに基づいて、イベント起動電力測定処理の起動タイミングすなわちイベント起動電力測定処理への切り替えタイミングを早める。たとえば、二段階の電力測定処理によってハンドオーバ動作の実行を判断する場合、最終段階の電力測定処理を起動するタイミングを早めることにより、無線リンクが切断される前にハンドオーバ動作を実行することが可能となる。
【０３７０】
すなわち、条件設定部１４は、第１の周期で受信品質情報が作成される処理たとえば周期的電力測定処理が行なわれている状態において、受信品質情報取得部１２によって取得された受信品質情報から受信品質の劣化を検知すると、受信電力情報の作成条件を以下のように変更する。すなわち、条件設定部１４は、受信電力情報の作成条件を、所定の開始条件が満たされた場合に上記第１の周期より短い第２の周期で受信品質情報が作成される処理たとえばイベント起動電力測定処理の作成条件へ変更する。
【０３７１】
この例において、電力測定処理の組み合わせは特に限定する必要はないが、ここでは、上記のように、より一般的に使用されると考えられる周期的電力測定処理およびイベント起動電力測定処理の二段階方式について説明する。
【０３７２】
図２９は、本発明の第１の実施の形態に係る無線基地局装置による、ＣＱＩレポートの内容に基づくハンドオーバ動作の一例を示す図である。図の見方は図２０と同様である。
【０３７３】
図２９おいて、無線基地局装置１０１は、タイミングＴ１４２，Ｔ１４３において、無線端末装置２０２から受信電力情報をそれぞれ受信する。
【０３７４】
図２９を参照して、無線基地局装置１０１は、たとえば無線端末装置２０２との通信コネクションの確立に伴い、タイミングＴ１４１において周期的電力測定処理を開始するように、当該無線端末装置２０２に対して指示する。そして、無線基地局装置１０１は、無線端末装置２０２から送信される受信電力情報を監視する。
【０３７５】
また、無線基地局装置１０１は、今後取得する周期的電力測定処理の受信電力情報において、サービングセルの電波強度よりも周辺セルの電波強度が所定の閾値より大きくなると、周期的電力測定処理からイベント起動電力測定処理への切り替えを無線端末装置２０２に対して指示する。
【０３７６】
そして、サービングセルの電波強度が徐々に小さくなるとともに周辺セルの電波強度が徐々に大きくなり、両者の差が小さくなったタイミングＴ１４３において、無線基地局装置１０１は、ＣＱＩレポートの作成処理を開始するように、無線端末装置２０２に対して指示する。そして、無線基地局装置１０１は、無線端末装置２０２から送信されるＣＱＩレポートを、受信電力情報と併せて監視する。
【０３７７】
そして、タイミングＴ１４３の後の、周辺セルの電波強度がサービングセルの電波強度よりも大きくなり、周辺セルの電波強度とサービングセルの電波強度との差が大きくなったタイミングＴ１４４において、無線基地局装置１０１は、ＣＱＩレポートから電波環境の劣化を検知し、イベント起動電力測定処理を開始するように、無線端末装置２０２に対して指示する。そして、無線基地局装置１０１は、無線端末装置２０２から送信される受信電力情報を監視する。
【０３７８】
そして、タイミングＴ１４４の後の、周辺セルの電波強度とサービングセルの電波強度との差がさらに大きくなったタイミングＴ１４５において、無線基地局装置１０１は、受信電力情報から電波環境のさらなる劣化を検知し、周辺基地局へのハンドオーバ動作を実行する。
【０３７９】
これにより、周期的電力測定処理の受信電力情報によってイベント起動電力測定処理の開始が指示される予定のタイミングＴ１４６より前に、イベント起動電力測定処理の開始が早期に指示され、無線端末装置および無線基地局装置１０１間の無線リンクが切断される前に、周辺基地局へのハンドオーバ動作が実行される。
【０３８０】
なお、無線基地局装置１０１は、タイミングＴ１４４において、イベント起動電力測定処理への切り替えを指示するだけでなく、電波環境に応じてイベント起動電力測定処理の条件、たとえばヒステリシスＨＳおよびオフセットＯＳＴ等を通常とは異なる値に変更してもよい。
【０３８１】
図３０は、本発明の第１の実施の形態に係る無線基地局装置のハンドオーバ動作の実行判断の手順の一例を定めたフローチャートである。
【０３８２】
図３０を参照して、まず、無線基地局装置１０１は、無線端末装置２０２に対して、周期的電力測定処理の開始を指示する（ステップＳ１９１）。
【０３８３】
次に、無線基地局装置１０１は、無線端末装置２０２に対して、受信品質情報すなわちＣＱＩレポートの作成開始を指示する（ステップＳ１９２）。
【０３８４】
次に、無線基地局装置１０１は、無線端末装置２０２から受信品質情報を取得し、取得した受信品質情報に基づいて、当該無線端末装置２０２に対して、イベント起動電力測定処理の開始を指示する、すなわち周期的電力測定処理からイベント起動電力測定処理への切り替えを指示する（ステップＳ１９３）。なお、無線端末装置２０２は、単にイベント起動電力測定処理を追加で開始する構成であってもよい。すなわち、無線端末装置２０２は、前述のように、周期的電力測定処理による測定結果をイベント起動電力測定処理において測定結果通知として送信する構成であってもよい。
【０３８５】
次に、無線基地局装置１０１は、取得した受信電力情報に基づいて、当該無線端末装置２０２のハンドオーバ動作を実行するか否かを判断する（ステップＳ１９４）。
【０３８６】
次に、ＣＱＩレポートの利用方法の他の例として、ハンドオーバ動作判断部１３は、受信電力情報取得部１１によって取得された受信電力情報が所定条件を満たす場合には、無線端末装置２０２による自己の無線基地局装置１０１から他の無線基地局装置１０１へのハンドオーバ動作を実行すると判断する。そして、ハンドオーバ動作判断部１３は、受信品質情報取得部１２によって取得された受信品質情報に基づいて上記所定条件を調整する。
【０３８７】
たとえば、無線基地局装置１０１は、イベント起動電力測定処理の測定結果にＣＱＩレポートの内容を加味することにより、ハンドオーバ動作が実行されやすい状況を作る。
【０３８８】
図３１は、本発明の第１の実施の形態に係る無線基地局装置による、ＣＱＩレポートの内容に基づくハンドオーバ動作の一例を示す図である。図の見方は図２０と同様である。
【０３８９】
図３１において、無線基地局装置１０１は、タイミングＴ１５２，Ｔ１５３において、無線端末装置２０２から受信電力情報をそれぞれ受信する。
【０３９０】
図３１を参照して、無線基地局装置１０１は、タイミングＴ１５１においてイベント起動電力測定処理を開始するように、無線端末装置２０２に対して指示する。そして、無線基地局装置１０１は、無線端末装置２０２から送信される受信電力情報を監視する。
【０３９１】
そして、サービングセルの電波強度が徐々に小さくなるとともに周辺セルの電波強度が徐々に大きくなり、両者の差が小さくなったタイミングＴ１５３において、無線基地局装置１０１は、受信電力情報から電波環境の劣化を検知し、ＣＱＩレポートの作成処理を開始するように、無線端末装置２０２に対して指示する。そして、無線基地局装置１０１は、無線端末装置２０２から送信されるＣＱＩレポートを、受信電力情報と併せて監視する。
【０３９２】
タイミングＴ１５３の後、無線基地局装置１０１は、ＣＱＩレポートを受信するたびに、受信したＣＱＩレポートに基づいて、ハンドオーバ動作の実行を判断するための条件式を演算する。すなわち、無線基地局装置１０１は、タイミングＴ１５３において取得した受信電力情報の内容に、タイミングＴ１５３以降において取得したＣＱＩレポートの内容を加味した条件式を用いて、ハンドオーバ動作を実行するか否かを判断する。
【０３９３】
そして、周辺セルの電波強度がサービングセルの電波強度よりも大きくなり、周辺セルの電波強度とサービングセルの電波強度との差が大きくなったタイミングＴ１５４において、無線基地局装置１０１は、条件式が満たされることから、周辺基地局へのハンドオーバ動作を実行する。
【０３９４】
これにより、イベント起動電力測定処理の受信電力情報によってハンドオーバ動作の実行判断がなされる予定のタイミングＴ１５５より前に、周辺基地局へのハンドオーバ動作が実行され、無線端末装置および無線基地局装置１０１間の無線リンクが切断されることを防ぐことができる。
【０３９５】
より詳細には、無線基地局装置１０１は、イベント起動電力測定処理の条件を変更せずに、たとえば以下のような条件式を利用して、ＣＱＩレポートの内容を加味する。これにより、ハンドオーバ動作の実行を促すことができる。
（サービングセルの受信電力＋サービングセルのオフセットＯＳＴ＋サービングセルのヒステリシスＨＳ＋α×（ＣＱＩレポートの値−β））＜（周辺セルの受信電力＋周辺セルのオフセットＯＳＴ）
【０３９６】
ここで、αおよびβは、たとえば正の整数である。すなわち、この条件式では、ＣＱＩレポートの値が大きくなるほどサービングセルの電波環境が良く評価される方向になり、ハンドオーバ動作が実行されにくくなる。無線基地局装置１０１は、このαおよびβを、たとえば自己の無線基地局装置から他の無線基地局装置への”Ｔｏｏ  Ｌａｔｅ  ＨＯ”が生じた回数に基づいて調整してもよい。
【０３９７】
すなわち、無線基地局装置１０１は、イベントＡ３におけるレポートオン状態への遷移の条件式に対して、ＣＱＩレポート値による補正を行っている。通常、この条件式は無線端末装置２０２において使用される式である。
【０３９８】
なお、無線基地局装置１０１は、イベントごとに定義される条件式に対してＣＱＩレポート値による補正を加える構成に限らず、ＣＱＩレポート値単独で条件判定を行ってもよいし、２回以上のＣＱＩレポートの値の組み合わせによって条件判定を行ってもよい。すなわち、ハンドオーバ動作判断部１３は、所定条件を満たす場合には、無線端末装置２０２による自己の無線基地局装置１０１から他の無線基地局装置１０１へのハンドオーバ動作を実行すると判断し、受信品質情報取得部１２によって取得された受信品質情報に基づいて上記所定条件を設定する。
【０３９９】
また、無線基地局装置１０１は、２回以上のＣＱＩレポートの値をイベントごとに定義される条件式に組み込んでもよい。
【０４００】
図３２は、本発明の第１の実施の形態に係る無線基地局装置のハンドオーバ動作の実行判断の手順の一例を定めたフローチャートである。
【０４０１】
図３２を参照して、まず、無線基地局装置１０１は、無線端末装置２０２に対して、イベント起動電力測定処理の開始を指示する（ステップＳ１８１）。
【０４０２】
次に、無線基地局装置１０１は、無線端末装置２０２に対して、受信品質情報すなわちＣＱＩレポートの作成開始を指示する（ステップＳ１８２）。
【０４０３】
次に、無線基地局装置１０１は、取得した受信品質情報、および取得済みの最新の受信電力情報すなわち最後に取得した受信電力情報に基づいて、ハンドオーバ動作の実行判断の条件式を求める（ステップＳ１８３）。
【０４０４】
次に、無線基地局装置１０１は、求めた条件式からハンドオーバ動作を実行するか否かを判断する（ステップＳ１８４）。
【０４０５】
［ＣＱＩレポートおよび受信電力情報の評価方法の具体例］
次に、ＣＱＩレポートおよび受信電力情報から、電波環境の劣化の検知およびハンドオーバ動作の実行判断を行なう具体例について説明する。
【０４０６】
たとえば、無線基地局装置１０１は、ＣＱＩレポートの値だけでハンドオーバ動作の実行判断を行なう。より詳細には、無線基地局装置１０１におけるハンドオーバ動作判断部１３は、受信品質情報取得部１２によって取得されたＣＱＩレポートに基づいて、無線端末装置２０２による自己の無線基地局装置１０１から他の無線基地局装置１０１へのハンドオーバ動作を実行するか否かを判断する。
【０４０７】
図３３は、本発明の第１の実施の形態に係る無線基地局装置による電波環境の劣化判断の手順の一例を定めたフローチャートである。
【０４０８】
図３３を参照して、無線基地局装置１０１は、無線端末装置２０２から送信されるＣＱＩレポートを監視し、ＣＱＩレポートの値が所定の閾値以上の場合には（ステップＳ２０１でＮＯ）、当該無線端末装置２０２の電波環境が劣化していないと判断し、引き続きＣＱＩレポートを監視する。
【０４０９】
一方、無線基地局装置１０１は、ＣＱＩレポートの値が所定の閾値未満になると（ステップＳ２０１でＹＥＳ）、当該無線端末装置２０２の電波環境が劣化したと判断し、たとえば図２２〜図３２で説明したようにハンドオーバ動作の実行およびイベント起動電力測定処理の条件変更等を行なう。たとえば、無線基地局装置１０１は、ハンドオーバ動作を実行すると判断した場合には、受信電力情報において最も受信電力の大きい周辺基地局、またはマクロ基地局等の所定の無線基地局装置をハンドオーバ先として選択する（ステップＳ２０２）。
【０４１０】
また、たとえば、無線基地局装置１０１は、ＣＱＩレポートおよび受信電力情報に基づいて、ハンドオーバ動作の実行判断を行なう。より詳細には、無線基地局装置１０１におけるハンドオーバ動作判断部１３は、受信電力情報取得部１１によって取得された受信電力情報からＳＩＲ（Signal to Interference Ratio）を算出する。ＳＩＲは、以下の式で表される。ただし、ターゲットセルは、周辺セルのうちの１つのセルである。
ＳＩＲ＝サービングセルの受信電力−ターゲットセルの受信電力
【０４１１】
そして、ハンドオーバ動作判断部１３は、ＳＩＲとＣＱＩレポートの値との和を評価し、電波環境の劣化を判断する。
【０４１２】
図３４は、本発明の第１の実施の形態に係る無線基地局装置による電波環境の劣化判断の手順の一例を定めたフローチャートである。
【０４１３】
図３４を参照して、無線基地局装置１０１は、無線端末装置２０２から送信されるＣＱＩレポートおよび受信電力情報を監視し、以下の判定式に従い、ＳＩＲとＣＱＩレポートの値との和を評価し、電波環境の劣化を判断する。
Α×ＳＩＲ＋Ｂ×ＣＱＩ＜閾値
【０４１４】
ただし、ＡおよびＢは任意の値である。上記判定式では、Ａが小さいほど、また、Ｂの値が大きいほど、ＣＱＩレポートの値を重視することになる。上記判定式は、サービングセルの受信電力、ターゲットセルの受信電力およびＣＱＩの関数となる。
【０４１５】
無線基地局装置１０１は、上記判定式が満たされない場合には（ステップＳ２１１でＮＯ）、当該無線端末装置２０２の電波環境が劣化していないと判断し、引き続きＣＱＩレポートおよび受信電力情報を監視する。
【０４１６】
一方、無線基地局装置１０１は、上記判定式が満たされると（ステップＳ２１１でＹＥＳ）、当該無線端末装置２０２の電波環境が劣化したと判断し、たとえば図２２〜図３２で説明したようにハンドオーバ動作の実行およびイベント起動電力測定処理の条件変更等を行なう。たとえば、無線基地局装置１０１は、ハンドオーバ動作を実行すると判断した場合には、受信電力情報において最も受信電力の大きい周辺基地局、またはマクロ基地局等の所定の無線基地局装置をハンドオーバ先として選択する（ステップＳ２１２）。
【０４１７】
また、たとえば、無線基地局装置１０１は、ＣＱＩレポート、受信電力情報およびこれらの更新経過時間に基づいて、ハンドオーバ動作の実行判断を行なう。すなわち、ハンドオーバ動作判断部１３は、受信品質情報取得部１２によって取得されたＣＱＩレポートと、受信電力情報取得部１１によって取得された受信電力情報と、ＣＱＩレポートが更新されてから経過した時間および受信電力情報が更新されてから経過した時間の少なくとも一方とに基づいて、ハンドオーバ動作を実行するか否かを判断する。
【０４１８】
図３５は、本発明の第１の実施の形態に係る無線基地局装置による電波環境の劣化判断の手順の一例を定めたフローチャートである。
【０４１９】
図３５を参照して、無線基地局装置１０１は、無線端末装置２０２から送信されるＣＱＩレポートおよび受信電力情報を監視し、また、ＣＱＩレポートおよび受信電力情報の更新経過時間を計測し、以下の判定式に従い、ＳＩＲとＣＱＩレポートの値との和を評価し、電波環境の劣化を判断する。
Α（Ｔ＿ＭＲ）×ＳＩＲ＋Ｂ（Ｔ＿ＣＱＩ）×ＣＱＩ＜閾値
【０４２０】
ただし、ＡおよびＢは任意の値である。上記判定式では、Ａが小さいほど、また、Ｂの値が大きいほど、ＣＱＩレポートの値を重視することになる。上記判定式は、サービングセルの受信電力、ターゲットセルの受信電力、ＣＱＩ、および更新経過時間の関数となる。
【０４２１】
すなわち、無線基地局装置１０１は、受信電力情報が最後に更新されたタイミングからの経過時間Ｔ＿ＭＲに応じてＡを調整し、また、ＣＱＩレポートが最後に更新されたタイミングからの経過時間Ｔ＿ＣＱＩに応じてＢを調整する。具体的には、無線基地局装置１０１は、上記判定式において、古い情報の重みを小さく設定する。すなわち、無線基地局装置１０１は、経過時間Ｔ＿ＭＲが大きいほどＡを小さく設定し、経過時間Ｔ＿ＣＱＩが大きいほどＢを小さく設定する。
【０４２２】
無線基地局装置１０１は、上記判定式が満たされない場合には（ステップＳ２２１でＮＯ）、当該無線端末装置２０２の電波環境が劣化していないと判断し、引き続きＣＱＩレポートおよび受信電力情報を監視する。
【０４２３】
一方、無線基地局装置１０１は、上記判定式が満たされると（ステップＳ２２１でＹＥＳ）、当該無線端末装置２０２の電波環境が劣化したと判断し、たとえば図２２〜図３２で説明したようにハンドオーバ動作の実行およびイベント起動電力測定処理の条件変更等を行なう。たとえば、無線基地局装置１０１は、ハンドオーバ動作を実行すると判断した場合には、受信電力情報において最も受信電力の大きい周辺基地局、またはマクロ基地局等の所定の無線基地局装置をハンドオーバ先として選択する（ステップＳ２２２）。
【０４２４】
また、たとえば、無線基地局装置１０１は、サービングセルの受信電力に基づいて、ＣＱＩレポートの重みを変える。すなわち、ハンドオーバ動作判断部１３は、受信品質情報取得部１２によって取得されたＣＱＩレポートおよび受信電力情報取得部１１によって取得された受信電力情報に基づいて、ハンドオーバ動作を実行するか否かを判断し、ハンドオーバ動作を実行するか否かの判断におけるＣＱＩレポートの重みすなわち寄与度を、受信電力情報に基づいて調整する。
【０４２５】
図３６は、本発明の第１の実施の形態に係る無線基地局装置による電波環境の劣化判断の手順の一例を定めたフローチャートである。
【０４２６】
図３６を参照して、無線基地局装置１０１は、無線端末装置２０２から送信されるＣＱＩレポートおよび受信電力情報を監視し、以下の判定式に従い、ＳＩＲとＣＱＩレポートの値との和を評価し、電波環境の劣化を判断する。
Ａ（サービングセルの受信電力）×（サービングセルの受信電力−ターゲットセルの受信電力）＋Ｂ（サービングセルの受信電力）×ＣＱＩ＜閾値
【０４２７】
ただし、ＡおよびＢは任意の値である。上記判定式では、Ａが小さいほど、また、Ｂの値が大きいほど、ＣＱＩレポートの値を重視することになる。上記判定式は、サービングセルの受信電力、ターゲットセルの受信電力、およびＣＱＩの関数となる。
【０４２８】
すなわち、無線基地局装置１０１は、受信電力情報におけるサービングセルの受信電力に応じてＡおよびＢを調整する。
【０４２９】
ここで、ＣＱＩレポートの示す受信品質が悪い原因としては、たとえば、周辺基地局からの干渉電力すなわち周辺セルの受信電力が大きい場合、およびサービング基地局からの信号電力すなわちサービングセルの受信電力が小さい場合の２つが考えられる。周辺基地局からの干渉電力が大きい場合には、周辺基地局へのハンドオーバ動作を実行することにより、無線端末装置２０２の電波環境を改善することができる。しかしながら、サービング基地局からの信号電力が小さい場合には、周辺基地局へのハンドオーバ動作を実行しても無線端末装置２０２の電波環境が改善されず、無駄なハンドオーバ動作になる可能性がある。
【０４３０】
そこで、無線基地局装置１０１は、Ａの関数において、サービングセルの受信電力が所定の閾値以上の場合にはＡを大きくするか、あるいは、Ｂの関数において、サービングセルの受信電力が所定の閾値以上の場合にはＢを小さくすることにより、上記判定式におけるＣＱＩの重みを減らす。
【０４３１】
無線基地局装置１０１は、上記判定式が満たされない場合には（ステップＳ２３１でＮＯ）、当該無線端末装置２０２の電波環境が劣化していないと判断し、引き続きＣＱＩレポートおよび受信電力情報を監視する。
【０４３２】
一方、無線基地局装置１０１は、上記判定式が満たされると（ステップＳ２３１でＹＥＳ）、当該無線端末装置２０２の電波環境が劣化したと判断し、たとえば図２２〜図３２で説明したようにハンドオーバ動作の実行およびイベント起動電力測定処理の条件変更等を行なう。たとえば、無線基地局装置１０１は、ハンドオーバ動作を実行すると判断した場合には、受信電力情報において最も受信電力の大きい周辺基地局、またはマクロ基地局等の所定の無線基地局装置をハンドオーバ先として選択する（ステップＳ２３２）。
【０４３３】
また、たとえば、無線基地局装置１０１は、サービングセルの受信電力に基づいて、ＣＱＩレポートの重みを変える。すなわち、ハンドオーバ動作判断部１３は、受信品質情報取得部１２によって取得されたＣＱＩレポートおよび受信電力情報取得部１１によって取得された受信電力情報に基づいて、ハンドオーバ動作を実行するか否かを判断し、ハンドオーバ動作を実行するか否かの判断におけるＣＱＩレポートの重みすなわち寄与度を、受信電力情報に基づいて、たとえばハンドオーバ先の候補となる無線基地局装置の数に基づいて調整する。
【０４３４】
図３７は、本発明の第１の実施の形態に係る無線基地局装置による電波環境の劣化判断の手順の一例を定めたフローチャートである。
【０４３５】
図３７を参照して、無線基地局装置１０１は、無線端末装置２０２から送信されるＣＱＩレポートおよび受信電力情報を監視し、以下の判定式に従い、ＳＩＲとＣＱＩレポートの値との和を評価し、電波環境の劣化を判断する。
Ａ（測定された基地局数）×（サービングセルの受信電力−ターゲットセルの受信電力）＋Ｂ（測定された基地局数）×ＣＱＩ＜閾値
【０４３６】
ただし、ＡおよびＢは任意の値である。上記判定式では、Ａが小さいほど、また、Ｂの値が大きいほど、ＣＱＩレポートの値を重視することになる。上記判定式は、サービングセルの受信電力、ターゲットセルの受信電力、ＣＱＩの関数、および基地局数の関数となる。
【０４３７】
すなわち、無線基地局装置１０１は、無線端末装置２０２における測定対象の周辺基地局数に応じてＡおよびＢを調整する。
【０４３８】
ここで、受信電力情報において、測定対象となっている周辺基地局が、ターゲットセルを形成する周辺基地局であるターゲット基地局以外にも複数ある場合には、ＣＱＩレポートの示す受信品質が悪い場合にターゲット基地局へのハンドオーバ動作を実行しても、実はターゲット基地局以外の周辺基地局へのハンドオーバ動作を実行すべきであったという可能性がある。すなわち、”ＨＯ  ｔｏ  Ｗｒｏｎｇ  Ｃｅｌｌ”が発生する可能性がある。
【０４３９】
そこで、無線基地局装置１０１は、サービングセルの受信電力およびターゲットセルの受信電力だけではなく、受信電力情報を全体的に活用して、ハンドオーバ先の候補の基地局数すなわち測定対象の周辺基地局数が多い場合には、上記判定式におけるＣＱＩの重みを減らす。
【０４４０】
すなわち、無線基地局装置１０１は、Ａの関数において、測定対象の周辺基地局数が所定の閾値以上の場合にはＡを大きくするか、あるいは、Ｂの関数において、測定対象の周辺基地局数が所定の閾値以上の場合にはＢを小さくすることにより、上記判定式におけるＣＱＩの重みを減らす。
【０４４１】
なお、無線基地局装置１０１は、無線端末装置２０２における測定対象の周辺基地局数の代わりに、受信電力情報において受信電力が所定の閾値以上となる周辺基地局の数を用いてもよい。
【０４４２】
無線基地局装置１０１は、上記判定式が満たされない場合には（ステップＳ２４１でＮＯ）、当該無線端末装置２０２の電波環境が劣化していないと判断し、引き続きＣＱＩレポートおよび受信電力情報を監視する。
【０４４３】
一方、無線基地局装置１０１は、上記判定式が満たされると（ステップＳ２４１でＹＥＳ）、当該無線端末装置２０２の電波環境が劣化したと判断し、たとえば図２２〜図３２で説明したようにハンドオーバ動作の実行およびイベント起動電力測定処理の条件変更等を行なう。たとえば、無線基地局装置１０１は、ハンドオーバ動作を実行すると判断した場合には、受信電力情報において最も受信電力の大きい周辺基地局、またはマクロ基地局等の所定の無線基地局装置をハンドオーバ先として選択する（ステップＳ２４２）。
【０４４４】
また、たとえば、無線基地局装置１０１は、複数回分のＣＱＩレポートの統計データに基づいて、ハンドオーバ動作の実行判断を行なう。すなわち、ハンドオーバ動作判断部１３は、複数回分のＣＱＩレポートに基づいて、ハンドオーバ動作を実行するか否かを判断する。
【０４４５】
図３８は、本発明の第１の実施の形態に係る無線基地局装置による電波環境の劣化判断の手順の一例を定めたフローチャートである。
【０４４６】
図３８を参照して、無線基地局装置１０１は、無線端末装置２０２から送信されるＣＱＩレポートを監視し、複数回分のＣＱＩレポ−トの値に対する統計処理たとえば平均処理を行ってＣＱＩレポートの値を評価し、電波環境の劣化を判断する。無線基地局装置１０１は、たとえば以下の判定式に従い、電波環境の劣化を判断する。
ΣＣＱＩ（ｔ）＜閾値
【０４４７】
なお、無線基地局装置１０１は、上記判定式に限らず、たとえば差分情報｛ＣＱＩ（ｔ＋１）−ＣＱＩ（ｔ）｝を使用してもよい。
【０４４８】
無線基地局装置１０１は、上記判定式が満たされない場合には（ステップＳ２５１でＮＯ）、当該無線端末装置２０２の電波環境が劣化していないと判断し、引き続きＣＱＩレポートを監視する。
【０４４９】
一方、無線基地局装置１０１は、上記判定式が満たされると（ステップＳ２５１でＹＥＳ）、当該無線端末装置２０２の電波環境が劣化したと判断し、たとえば図２２〜図３２で説明したようにハンドオーバ動作の実行およびイベント起動電力測定処理の条件変更等を行なう。たとえば、無線基地局装置１０１は、ハンドオーバ動作を実行すると判断した場合には、受信電力情報において最も受信電力の大きい周辺基地局、またはマクロ基地局等の所定の無線基地局装置をハンドオーバ先として選択する（ステップＳ２５２）。
【０４５０】
ここで、フェージングおよび測定誤差によってたまたま瞬間的に伝送路特性が悪化し、無線端末装置２０２における電波環境が劣化したことにより、あるタイミングにおけるＣＱＩレポートの値だけが極端に小さくなる可能性がある。
【０４５１】
そこで、無線基地局装置１０１は、上記のように、異なる時間に取得された受信品質を示す複数回分のＣＱＩレポートに基づいて、ハンドオーバ動作の実行判断を行なう。これにより、瞬間的な伝送路特性の悪化による誤判断を抑制することができる。
【０４５２】
なお、無線基地局装置１０１は、図３３〜図３８を用いて説明した評価方法を組み合わせて電波環境の劣化判断を行なう構成であってもよい。たとえば、図３８で説明したＣＱＩレポートの統計処理後の値を図３３〜図３７に示す各判定式に用いることが可能である。
【０４５３】
図３９は、本発明の第１の実施の形態に係る無線基地局装置による、受信電力情報およびＣＱＩレポートと、通信プロトコルにおける各レイヤとの対応を示す図である。
【０４５４】
図３９を参照して、無線基地局装置１０１は、たとえば、ＲＲＣレイヤ、ＰＤＣＰ（Packet Data Convergence Protocol）レイヤ、ＲＬＣ（Radio Link Control）レイヤ、ＭＡＣレイヤ、ＰＨＹレイヤおよびＲＦ（Radio Frequency）レイヤを有する通信プロトコルに従って動作する。ここでは、ＲＲＣレイヤが最上位レイヤであり、ＲＦレイヤが最下位レイヤである。
【０４５５】
すなわち、受信電力情報取得部１１は、上記各レイヤのうちのＲＲＣレイヤに従い、受信電力情報すなわち測定結果通知を取得する。
【０４５６】
受信品質情報取得部１２は、上記各レイヤのうち、ＲＲＣレイヤよりも下位のＭＡＣレイヤおよびＰＨＹレイヤの少なくとも一方に従い、ＣＱＩレポートを取得する。
【０４５７】
受信電力情報はＲＲＣレイヤに対応するため、無線基地局装置１０１は、Ｒ１の矢印で示すようにＲＲＣレイヤ、ＰＤＣＰレイヤ、ＲＬＣレイヤ、ＭＡＣレイヤ、ＰＨＹレイヤおよびＲＦレイヤにおいてそれぞれ無線端末装置２０２との間で要求および応答等のメッセージのやり取りを行なう。
【０４５８】
また、ＣＱＩレポートはＭＡＣレイヤおよびＰＨＹレイヤの少なくとも一方に対応する。このため、無線基地局装置１０１は、たとえばＣＱＩレポートがＭＡＣレイヤに対応する場合、Ｒ２の矢印で示すようにＭＡＣレイヤ、ＰＨＹレイヤおよびＲＦレイヤにおいてそれぞれ無線端末装置２０２との間で要求および応答等のメッセージのやり取りを行なう。
【０４５９】
このため、ＣＱＩレポートは、受信電力情報と比べて取得処理に時間を要さず、無線基地局装置１０１において短い周期での取得が可能となる。
【０４６０】
このように、よりレイヤの低い情報を有効に活用することにより、ハンドオーバ動作の迅速かつ適切な判断が可能となる。
【０４６１】
ところで、非特許文献１に記載されるような不適切なハンドオーバ動作が行なわれると、通信システムにおいて、通信断および通信トラフィックの増大等、種々の問題が生じる。
【０４６２】
これに対して、本発明の第１の実施の形態に係る無線基地局装置では、受信電力情報取得部１１は、無線端末装置２０２における各無線基地局装置からの無線信号の受信電力の測定結果を示す受信電力情報を取得する。受信品質情報取得部１２は、受信電力情報よりも短い周期で更新され、無線端末装置２０２における自己の無線基地局装置からの無線信号の受信品質を示す受信品質情報を取得する。そして、ハンドオーバ動作判断部１３は、受信品質情報取得部１２によって取得された受信品質情報に基づいて、無線端末装置２０２による自己の無線基地局装置から他の無線基地局装置へのハンドオーバ動作を実行するか否かを判断する。
【０４６３】
このように、受信電力情報よりも更新周期の短いＣＱＩレポートを用いる構成により、急激な電波環境の変化に追従することが可能となるため、たとえば”Ｔｏｏ  Ｌａｔｅ  ＨＯ”の発生を抑制することができる。すなわち、周辺基地局へのハンドオーバ動作を迅速に実行し、無線端末装置および無線基地局装置間の無線リンクが切断されることを防ぐことができる。
【０４６４】
したがって、本発明の第１の実施の形態に係る無線基地局装置では、無線端末装置のハンドオーバ動作を適切に制御することにより、通信の安定化を図ることができる。
【０４６５】
また、本発明の第１の実施の形態に係る無線基地局装置では、ハンドオーバ動作判断部１３は、受信品質情報取得部１２によって取得された受信品質情報および受信電力情報取得部１１によって取得された受信電力情報に基づいて、無線端末装置２０２による自己の無線基地局装置から他の無線基地局装置へのハンドオーバ動作を実行するか否かを判断する。
【０４６６】
このように、ＣＱＩレポートに加えて受信電力情報をハンドオーバ動作の実行判断に用いる構成により、無線端末装置２０２の電波環境をより詳細に把握し、ハンドオーバ動作の実行判断をより適切に行なうことができる。
【０４６７】
また、本発明の第１の実施の形態に係る無線基地局装置では、条件設定部１４は、受信品質情報取得部１２によって取得された受信品質情報に基づいて、受信電力情報の作成条件を変更する。
【０４６８】
このような構成により、無線端末装置２０２の受信品質に応じて受信電力情報の作成条件を迅速かつ適切に設定し、ハンドオーバ動作の実行判断のための情報としてより適切な受信電力情報を取得することができる。
【０４６９】
また、本発明の第１の実施の形態に係る無線基地局装置では、条件設定部１４は、受信品質情報取得部１２によって取得された受信品質情報から受信品質の劣化を検知すると、受信電力情報の更新周期を短くする。
【０４７０】
このような構成により、無線端末装置２０２の受信品質の劣化に応じて受信電力情報の更新タイミングを早めることができるため、ハンドオーバ動作の実行判断のための情報を、急激な電波環境の変化に追従して迅速に取得することができる。
【０４７１】
また、本発明の第１の実施の形態に係る無線基地局装置では、受信電力情報は、所定の開始条件が満たされるとその作成が開始される。条件設定部１４は、受信品質情報取得部１２によって取得された受信品質情報から受信品質の劣化を検知すると、上記受信電力情報の作成開始が早まるように上記開始条件を設定する。
【０４７２】
このような構成により、無線端末装置２０２の受信品質の劣化に応じて受信電力情報の作成を早期に開始することができるため、ハンドオーバ動作の実行判断のための情報を、急激な電波環境の変化に追従して迅速に取得することができる。
【０４７３】
また、本発明の第１の実施の形態に係る無線基地局装置では、ハンドオーバ動作判断部１３は、受信品質情報取得部１２によって取得された受信品質情報が所定条件を満たす場合には、ハンドオーバ動作を実行すると判断し、無線端末装置２０２による自己の無線基地局装置から所定の無線基地局装置へのハンドオーバ動作を実行する。
【０４７４】
このような構成により、ＣＱＩレポートによって無線端末装置２０２の受信品質の劣化を検知した後、無線端末装置２０２に対する受信電力情報の作成条件の変更要求等を行なうことなく、迅速にハンドオーバ動作を実行することができる。
【０４７５】
また、本発明の第１の実施の形態に係る無線基地局装置では、ハンドオーバ動作判断部１３は、どの無線基地局装置へのハンドオーバ動作を実行するかを、受信電力情報取得部１１によって取得された受信電力情報に基づいて決定する。
【０４７６】
このような構成により、無線端末装置２０２の電波環境に応じてハンドオーバ先の無線基地局装置を適切に選択することができる。
【０４７７】
また、本発明の第１の実施の形態に係る無線基地局装置では、ハンドオーバ動作判断部１３は、所定条件を満たす場合に、無線端末装置２０２による自己の無線基地局装置から他の無線基地局装置へのハンドオーバ動作を実行すると判断する。そして、ハンドオーバ動作判断部１３は、受信品質情報取得部１２によって取得された受信品質情報に基づいて上記所定条件を設定する。
【０４７８】
このような構成により、無線端末装置２０２の受信品質に応じてハンドオーバ動作の実行判断条件を迅速かつ適切に設定することができる。
【０４７９】
また、本発明の第１の実施の形態に係る無線基地局装置では、ハンドオーバ動作判断部１３は、受信電力情報取得部１１によって取得された受信電力情報が所定条件を満たす場合に、無線端末装置２０２による自己の無線基地局装置から他の無線基地局装置へのハンドオーバ動作を実行すると判断する。そして、ハンドオーバ動作判断部１３は、受信品質情報取得部１２によって取得された受信品質情報に基づいて上記所定条件を調整する。
【０４８０】
このような構成により、ある受信電力情報の内容からハンドオーバ動作を実行しないと判断した後、次に受信電力情報が更新されるタイミングまでに無線端末装置２０２の電波環境が急激に劣化した場合でも、上記タイミングを待つことなくハンドオーバ動作を迅速に実行することができる。
【０４８１】
また、本発明の第１の実施の形態に係る無線基地局装置では、ハンドオーバ動作判断部１３は、受信品質情報取得部１２によって取得されたＣＱＩレポートと、受信電力情報取得部１１によって取得された受信電力情報と、ＣＱＩレポートが更新されてから経過した時間および受信電力情報が更新されてから経過した時間の少なくとも一方とに基づいて、ハンドオーバ動作を実行するか否かを判断する。
【０４８２】
このように、無線端末装置２０２の電波環境を示す情報の更新経過時間をハンドオーバ動作の実行判断に用いる構成により、古い情報による誤判断を抑制し、ハンドオーバ動作の実行判断をより適切に行なうことができる。
【０４８３】
また、本発明の第１の実施の形態に係る無線基地局装置では、ハンドオーバ動作判断部１３は、受信品質情報取得部１２によって取得されたＣＱＩレポートおよび受信電力情報取得部１１によって取得された受信電力情報に基づいて、ハンドオーバ動作を実行するか否かを判断し、ハンドオーバ動作を実行するか否かの判断におけるＣＱＩレポートの重みを、受信電力情報に基づいて調整する。
【０４８４】
このような構成により、受信電力情報に基づいてＣＱＩレポートの値を適切に評価することができるため、無線端末装置２０２の電波環境をより正確に把握し、ハンドオーバ動作の実行判断をより適切に行なうことができる。
【０４８５】
また、本発明の第１の実施の形態に係る無線基地局装置では、ハンドオーバ動作判断部１３は、複数回分のＣＱＩレポートに基づいて、ハンドオーバ動作を実行するか否かを判断する。
【０４８６】
このような構成により、電波環境の瞬間的な変化に起因する誤判断を抑制し、ハンドオーバ動作の実行判断をより適切に行なうことができる。
【０４８７】
また、本発明の第１の実施の形態に係る無線基地局装置では、受信電力情報取得部１１は、通信プロトコルにおける複数レイヤのうちの第１のレイヤに従い、受信電力情報を取得する。受信品質情報取得部１２は、上記複数レイヤのうち、第１のレイヤよりも下位の第２のレイヤに従い、受信品質情報を取得する。
【０４８８】
このように、通信プロトコルにおいて、よりレイヤの低い情報を用いてハンドオーバ動作の実行判断を行なう構成により、ハンドオーバ動作の実行判断のための情報の取得時間を短縮することができるため、ハンドオーバ動作の迅速かつ適切な実行判断が可能となる。すなわち、急激な電波環境の変化に追従することが可能となるため、たとえば”Ｔｏｏ  Ｌａｔｅ  ＨＯ”の発生を抑制することができる。これにより、周辺基地局へのハンドオーバ動作を迅速に実行し、無線端末装置および無線基地局装置間の無線リンクが切断されることを防ぐことができる。したがって、無線端末装置のハンドオーバ動作を適切に制御することにより、通信の安定化を図ることができる。
【０４８９】
なお、このレイヤの観点から、無線基地局装置は、受信品質情報および受信電力情報を取得する構成に限らず、無線端末装置における１または複数の無線基地局装置からの無線信号の測定結果を示す情報を取得する構成であればよい。
【０４９０】
また、本発明の第１の実施の形態に係る無線基地局装置では、受信電力情報は３ＧＰＰで規定されたＲＲＣレイヤに対応し、受信品質情報は３ＧＰＰで規定されたＭＡＣレイヤおよびＰＨＹレイヤの少なくとも一方に対応する。
【０４９１】
このような構成により、３ＧＰＰで規定された通信プロトコルに従って動作する無線基地局装置において、無線端末装置のハンドオーバ動作を適切に制御することにより、通信の安定化を図ることが可能となる。
【０４９２】
なお、本発明の第１の実施の形態に係る無線基地局装置は、無線端末装置２０２から受信品質情報および受信電力情報を受信する構成であるとしたが、これに限定するものではない。無線基地局装置は、他の装置を介して無線端末装置２０２から間接的に受信品質情報および受信電力情報を取得する構成であってもよいし、無線端末装置２０２以外の装置が作成した受信品質情報および受信電力情報を取得する構成であってもよい。
【０４９３】
次に、本発明の他の実施の形態について図面を用いて説明する。なお、図中同一または相当部分には同一符号を付してその説明は繰り返さない。
【０４９４】
＜第２の実施の形態＞
本実施の形態は、第１の実施の形態に係る無線基地局装置と比べてハンドオーバ動作の所要時間を短縮するための制御を追加した無線基地局装置に関する。以下で説明する内容以外は第１の実施の形態に係る無線基地局装置と同様である。
【０４９５】
図３〜図９では、不適切なハンドオーバ動作およびその検出処理について説明した。不適切なハンドオーバ動作を検出した場合、前述のように無線基地局装置は、ヒステリシスＨＳ、オフセットＯＳＴおよびＴＴＴ等のパラメータを調整することにより、ハンドオーバ動作を最適化する。
【０４９６】
しかしながら、たとえば”Ｔｏｏ  Ｌａｔｅ  ＨＯ”と”Ｔｏｏ  Ｅａｒｌｙ  ＨＯ”とは相反する事象であり、パラメータの調整についてトレードオフの関係にあるため、バランスよく調整することが困難な場合もある。このようなパラメータ調整の代わりに、あるいはパラメータ調整に加えて、不適切なハンドオーバ動作を抑制する手法が望まれる。
【０４９７】
図２では、本発明の第２の実施の形態に係る無線通信システムにおけるハンドオーバ動作のシーケンスの一例を説明した。このシーケンスにおいて、無線基地局装置１０１Ａがハンドオーバ動作を行なうべきであると判断する元となる測定結果通知を無線端末装置２０２が送信してから、コアネットワーク側の準備処理すなわち無線基地局装置１０１Ａと上位装置および無線基地局装置１０１Ｂとの各種情報のやり取りが行なわれ、その後無線基地局装置１０１Ａが無線端末装置２０２へＲＲＣコネクション再構成指示を送信する処理を行なうまでの準備期間Ｔ１０１を考える。図２に示すシーケンスでは、準備期間Ｔ１０１において無線端末装置２０２の電波環境が劣化すると、”Ｔｏｏ  Ｌａｔｅ  ＨＯ”が発生する可能性がある。特に、コアネットワーク側の準備処理では、一般の通信回線を経由して情報が送受信される場合が多いことから、当該準備処理の完了までに長時間を要し、準備期間Ｔ１０１が大幅に長くなる可能性がある。
【０４９８】
そこで、本発明の第２の実施の形態に係る無線通信システムでは、以下のような構成により、”Ｔｏｏ  Ｌａｔｅ  ＨＯ”を効果的に抑制する。
【０４９９】
図４０は、本発明の第２の実施の形態に係る無線基地局装置における制御部の構成を示す図である。
【０５００】
図４０を参照して、制御部９８は、ハンドオーバ要求部２１と、ハンドオーバ指示部２２と、ハンドオーバ条件調整部２３と、ハンドオーバ情報取得部２４と、端末測定結果取得部２５とを含む。
【０５０１】
端末測定結果取得部２５は、無線端末装置２０２からの測定結果通知を取得し、取得した測定結果通知から自己の無線基地局装置１０１および無線端末装置２０２間の通信品質を求め、当該通信品質をハンドオーバ要求部２１およびハンドオーバ指示部２２に通知する。
【０５０２】
ハンドオーバ要求部２１は、自己の無線基地局装置１０１から他の無線基地局装置への無線端末装置２０２のハンドオーバ動作を行なう要求を他の無線基地局装置に対して行なう、すなわちハンドオーバ要求を他の無線基地局装置へ送信する。たとえば、ハンドオーバ要求部２１は、自己の無線基地局装置１０１および無線端末装置２０２間の通信品質に関する所定のハンドオーバ準備条件が満たされる場合に、上記要求を他の無線基地局装置に対して行なう。
【０５０３】
ハンドオーバ指示部２２は、上記要求に対する他の無線基地局装置からの応答を受けて、無線端末装置２０２に対して自己の無線基地局装置１０１から他の無線基地局装置へのハンドオーバ動作を行なう指示を与える、すなわちＲＲＣコネクション再構成指示を無線端末装置２０２へ送信する。ここで、ハンドオーバ指示部２２は、上記応答を受けて、自己の無線基地局装置１０１および無線端末装置２０２間の通信品質に関するハンドオーバ実行条件が満たされていない場合には、無線端末装置２０２に対する上記指示の付与を中止するかまたは保留する。たとえば、ハンドオーバ指示部２２は、所定のハンドオーバ実行条件が満たされていない場合には、無線端末装置２０２に対して上記指示を与えず、ハンドオーバ動作を中止する旨を他の無線基地局装置に通知する。
【０５０４】
図４１は、本発明の第２の実施の形態に係る無線通信システムにおけるハンドオーバ動作のシーケンスの一例を示す図である。
【０５０５】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【０５０６】
図４１を参照して、まず、無線基地局装置１０１Ａは、自己と通信中の無線端末装置２０２の測定対象となる周波数と、当該周波数の無線信号を送信する他の無線基地局装置とを設定する（ステップＳ３０１）。
【０５０７】
次に、無線基地局装置１０１Ａは、設定した他の無線基地局装置から送信される無線信号の受信レベルを無線端末装置２０２に測定させるための測定開始要求を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ３０２）。
【０５０８】
次に、無線端末装置２０２は、無線基地局装置１０１Ａから測定開始要求を受信して、電力測定処理を開始する、すなわち受信した測定開始要求の示す周波数において、測定開始要求の示す無線基地局装置から送信される無線信号の受信電力を測定する（ステップＳ３０３）。
【０５０９】
次に、無線端末装置２０２は、この受信電力の測定結果を示す測定結果通知を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ３０４）。
【０５１０】
次に、無線基地局装置１０１Ａは、無線端末装置２０２から受信した測定結果通知に基づいて、セルＩＤごとの測定結果を示す測定情報を取得し、図示しない記憶部に保存する（ステップＳ３０５）。
【０５１１】
次に、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバの準備処理を行なうべきであると判断し、周辺セル情報を参照してたとえば無線基地局装置１０１Ｂをハンドオーバ先として決定する（ステップＳ３０６）。
【０５１２】
次に、無線基地局装置１０１Ａは、無線基地局装置１０１Ｂを示すハンドオーバ要求を上位装置へ送信する（ステップＳ３０７）。
【０５１３】
次に、上位装置は、無線基地局装置１０１Ａからハンドオーバ要求を受信して、無線基地局装置１０１Ｂへ当該ハンドオーバ要求を送信する（ステップＳ３０８）。
【０５１４】
次に、無線基地局装置１０１Ｂは、上位装置からハンドオーバ要求を受信して、上位装置へ当該ハンドオーバ要求に対するハンドオーバ応答を送信する（ステップＳ３０９）。
【０５１５】
次に、上位装置は、無線基地局装置１０１Ｂからハンドオーバ応答を受信して、無線基地局装置１０１Ａへハンドオーバ指示を送信する（ステップＳ３１０）。
【０５１６】
以上のような準備処理が実行されている間に、無線端末装置２０２は、新たな測定結果通知を無線基地局装置１０１Ａへ送信する（ステップＳ３１１）。
【０５１７】
そして、無線基地局装置１０１Ａは、無線端末装置２０２から受信した測定結果通知に基づいて、自己および当該無線端末装置２０２間の通信品質を新たに取得する。このようにして、無線基地局装置１０１Ａは、測定結果通知を受信するたびに上記通信品質を更新する（ステップＳ３１２）。
【０５１８】
次に、無線基地局装置１０１Ａは、上位装置からハンドオーバ指示を受信して、新たに取得した通信品質が所定のハンドオーバ実行条件を満たす場合には、当該無線端末装置２０２のハンドオーバ動作を実行すべきであると判断する（ステップＳ３１３）。
【０５１９】
次に、無線基地局装置１０１Ａは、当該無線端末装置２０２へＲＲＣコネクション再構成指示を送信する（ステップＳ３１４）。
【０５２０】
次に、無線基地局装置１０１Ａは、上位装置へ自己の通信状態等を示す状態通知を送信する（ステップＳ３１５）。
【０５２１】
次に、上位装置は、無線基地局装置１０１Ａから状態通知を受信して、無線基地局装置１０１Ｂへ無線端末装置２０２との通信内容等を示す状態通知を送信する（ステップＳ３１６）。
【０５２２】
また、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ３１７）。
【０５２３】
次に、無線基地局装置１０１Ｂは、無線端末装置２０２からＲＲＣコネクション再構成完了通知を受信して、上位装置へハンドオーバ完了通知を送信する（ステップＳ３１８）。
【０５２４】
次に、上位装置は、無線基地局装置１０１Ｂからハンドオーバ完了通知を受信して、端末情報解放指示を無線基地局装置１０１Ａへ送信する（ステップＳ３１９）。
【０５２５】
次に、無線基地局装置１０１Ａは、上位装置から端末情報解放指示を受信して、無線端末装置２０２に関する情報を解放し、上位装置へ端末情報解放完了通知を送信する（ステップＳ３２０）。
【０５２６】
図４２は、本発明の第２の実施の形態に係る無線通信システムにおけるハンドオーバ動作のシーケンスの一例を示す図である。図４２は、ハンドオーバ動作を中止するシーケンスの一例を示す。図４２において想定するケースは図４１と同様である。
【０５２７】
図４２を参照して、ステップＳ３３１〜Ｓ３４２の動作は、図４１に示すステップＳ３０１〜Ｓ３１２の動作と同様であるため、ここでは詳細な説明を繰り返さない。
【０５２８】
次に、無線基地局装置１０１Ａは、上位装置からハンドオーバ指示を受信して、最後に取得した通信品質が所定のハンドオーバ実行条件を満たさない場合には、当該無線端末装置２０２のハンドオーバ動作を実行すべきでなく、準備処理の行なわれたハンドオーバ動作を中止すべきであると判断する（ステップＳ３４３）。
【０５２９】
次に、無線基地局装置１０１Ａは、上位装置へハンドオーバ中止通知を送信する（ステップＳ３４４）。
【０５３０】
ここで、無線基地局装置１０１Ａにおいて、ハンドオーバ指示部２２は、ハンドオーバ動作の中止を無線基地局装置１０１Ｂに通知する際、自己の無線基地局装置１０１Ａおよび無線端末装置２０２間の通信品質が条件を満たしていない旨を上位装置および無線基地局装置１０１Ｂに通知する。
【０５３１】
具体的には、無線基地局装置１０１Ａは、無線端末装置２０２との通信品質が原因でハンドオーバ動作を中止する旨を示すフラグをハンドオーバ中止通知において設定し、上位装置および無線基地局装置１０１Ｂへ送信する。
【０５３２】
これにより、上位装置および無線基地局装置１０１Ｂは、たとえばハンドオーバ動作に関するパラメータ設定の誤り等によってハンドオーバ動作が中止された事象との区別をつけることができる。このため、上位装置および無線基地局装置１０１Ｂにおいて、新たなパラメータ設定処理等の不要な処理の発生を防ぎ、かつハンドオーバ動作のために確保した各種リソースの解放を適切に行なうことができる。
【０５３３】
上位装置は、無線基地局装置１０１Ａからハンドオーバ中止通知を受信して、必要であれば当該ハンドオーバ中止通知に対応するハンドオーバ動作について、保持情報の消去等のハンドオーバ中止処理を行なうとともに、無線基地局装置１０１Ｂへ当該ハンドオーバ中止通知を送信する（ステップＳ３４５）。
【０５３４】
次に、無線基地局装置１０１Ｂは、ハンドオーバ中止通知を受信して、当該ハンドオーバ中止通知に対応するハンドオーバ動作について、保持情報の消去等のハンドオーバ中止処理を行なう（ステップＳ３４６）。
【０５３５】
図４１および図４２に示すシーケンスにおける無線基地局装置および無線端末装置間の通信品質の具体例として、たとえば、無線基地局装置１０１は、イベントＡ３の条件式を利用して、ハンドオーバ実行条件およびハンドオーバ準備条件を設定する。すなわち、無線基地局装置１０１は、以下の式を満たす場合にハンドオーバ動作の実行を判断する。
（サービングセルの受信電力＋サービングセルのオフセットＯＳＴ１＋ヒステリシスＨＳ）＜（周辺セルの受信電力＋周辺セルのオフセットＯＳＴ２）
【０５３６】
また、無線基地局装置１０１は、以下の式を満たす場合に、ハンドオーバ動作の準備開始を判断する。ただし、制御値Ｐはゼロ以上の値である。
（サービングセルの受信電力＋サービングセルのオフセットＯＳＴ１＋ヒステリシスＨＳ）＜（周辺セルの受信電力＋周辺セルのオフセットＯＳＴ２＋制御値Ｐ）
【０５３７】
この式において、制御値Ｐを大きくすることにより、ハンドオーバ動作の準備開始タイミングが早くなる。これにより、ハンドオーバ動作の実行タイミングを早め、”Ｔｏｏ  Ｌａｔｅ  ＨＯ”を抑制することができる。
【０５３８】
ただし、制御値Ｐを大きくしすぎると、ハンドオーバ動作が実行されずに当該ハンドオーバ動作の準備処理が無駄になる場合が増える。このような場合には、制御値Ｐを小さくすることにより、ハンドオーバ動作の準備開始タイミングがハンドオーバ動作の実行タイミングに近づくことになり、無駄な準備処理が行なわれる可能性を低くすることができる。
【０５３９】
また、制御値Ｐを正の値に設定すると、ハンドオーバ準備条件の示す通信品質は、ハンドオーバ実行条件の示す通信品質と比べて良い品質となる。すなわち、ハンドオーバ準備条件は、ハンドオーバ実行条件と比べて、無線端末装置２０２による自己の無線基地局装置１０１から他の無線基地局装置へのハンドオーバ動作を行なう必要性の低い条件となる。この場合、無線基地局装置１０１Ａは、ハンドオーバ動作の準備処理開始時と比べて、上位装置からのハンドオーバ指示の受信時において把握している最新の通信品質が制御値Ｐ相当分以上劣化している場合に、ハンドオーバ動作を実行すべきであると判断する。すなわち、制御値Ｐを正の値に設定する場合、ハンドオーバ動作の実行判断の基準となる通信品質よりも緩やかな条件で前もってハンドオーバ動作の準備処理を行なうことができるため、無線端末装置２０２の電波環境の変化に対して迅速にハンドオーバ動作を実行することが可能となる。
【０５４０】
また、制御値Ｐをゼロに設定すると、ハンドオーバ準備条件の示す通信品質は、ハンドオーバ実行条件の示す通信品質と同等となる。この場合、無線基地局装置１０１Ａは、ハンドオーバ動作の準備処理開始時と比べて、上位装置からのハンドオーバ指示の受信時において把握している最新の通信品質が良好になっている場合に、ハンドオーバ動作を中止すべきであると判断する。すなわち、制御値Ｐをゼロに設定する場合、無線端末装置２０２の電波環境の好転によって行なう必要のなくなったハンドオーバ動作を適切に中止することが可能となる。
【０５４１】
また、無線基地局装置１０１において、ハンドオーバ条件調整部２３は、ハンドオーバ実行条件の示す通信品質およびハンドオーバ準備条件の示す通信品質の差を調整可能である。
【０５４２】
たとえば、ハンドオーバ情報取得部２４は、ハンドオーバ指示部２２によってハンドオーバ動作の中止が他の無線基地局装置に通知された回数を取得する。そして、ハンドオーバ条件調整部２３は、ハンドオーバ情報取得部２４によって取得された回数に基づいて上記通信品質の差を調整する。
【０５４３】
あるいは、ハンドオーバ情報取得部２４は、無線端末装置２０２による自己の無線基地局装置１０１から他の無線基地局装置へのハンドオーバ動作が不適切であった回数を取得する。そして、ハンドオーバ条件調整部２３は、ハンドオーバ情報取得部２４によって取得された回数に基づいて上記通信品質の差を調整する。
【０５４４】
具体的には、ハンドオーバ条件調整部２３は、以下のような式に従って制御値Ｐを調整する。ただし、Ｗ１およびＷ２は重み付け係数であり、それぞれ正の値および負の値である。
Ｐ＝Ｗ１×”Ｔｏｏ  Ｌａｔｅ  ＨＯ”の回数＋Ｗ２×無駄な準備処理が行なわれた回数（ハンドオーバ動作の中止回数）
【０５４５】
なお、上記各回数は、ある無線基地局装置において、１つの他の無線基地局装置についての回数に限らず、複数の他の無線基地局装置についての合計回数とすることも可能である。
【０５４６】
また、無線基地局装置１０１は、たとえばＣＱＩレポートの値を通信品質として利用してもよい。
【０５４７】
ＣＱＩレポートは、直接現在の各セルにおける電波状況を通知するものではなく、ＳＩＮＲを用いた以下の式により０〜１５の１６段階で表現される値である。ＣＱＩ＝０の場合、無線端末装置２０２の受信品質が最も悪く、ＣＱＩ＝１５の場合、無線端末装置２０２の受信品質が最も良い。
ＣＱＩ＝ｍｉｎ（ｍａｘ（ｒｏｕｎｄ（（ＳＩＮＲ［ｄＢ］＋８）／１．８９２），０），１５）
【０５４８】
また、無線基地局装置１０１は、ハンドオーバ要求に対する他の無線基地局装置からの応答を受けてから、通信品質がハンドオーバ実行条件を満たすまで待機する構成であってもよい。すなわち、無線基地局装置１０１において、ハンドオーバ指示部２２は、他の無線基地局装置からの応答を受けて、ハンドオーバ実行条件が満たされていない場合には、ハンドオーバ実行条件が満たされるまで待機する。そして、ハンドオーバ指示部２２は、ハンドオーバ実行条件が満たされると無線端末装置２０２に対してハンドオーバ動作の指示を与える。一方、ハンドオーバ指示部２２は、ハンドオーバ実行条件が満たされる前に通信品質に関する所定のハンドオーバ中止条件が満たされた場合には、無線端末装置２０２に対してハンドオーバ動作の指示を与えず、ハンドオーバ動作を中止する旨を他の無線基地局装置に通知する。
【０５４９】
すなわち、無線基地局装置１０１は、ハンドオーバ動作の準備処理の完了後、無線端末装置２０２からたとえば周期的に到着する測定結果通知に基づいて自己および当該無線端末装置２０２間の通信品質を監視し、当該通信品質がハンドオーバ実行条件を満たした時点で、無線端末装置２０２に対してハンドオーバ動作の指示を与える。
【０５５０】
これにより、ハンドオーバ動作の準備処理の開始タイミングを早めるほど、最適なタイミングでハンドオーバ動作を実行できる可能性が高まる。
【０５５１】
図４３は、本発明の第２の実施の形態に係る無線通信システムにおけるハンドオーバ動作のシーケンスの一例を示す図である。図４３において想定するケースは図４１と同様である。
【０５５２】
図４３を参照して、ステップＳ３６１〜Ｓ３７０の動作は、図４１に示すステップＳ３０１〜Ｓ３１０の動作と同様であるため、ここでは詳細な説明を繰り返さない。
【０５５３】
ハンドオーバ動作の準備処理が実行されている間に、無線端末装置２０２は、新たな測定結果通知を無線基地局装置１０１Ａへ送信する（ステップＳ３７１）。
【０５５４】
そして、無線基地局装置１０１Ａは、無線端末装置２０２から受信した測定結果通知に基づいて、自己および当該無線端末装置２０２間の通信品質を新たに取得する。このようにして、無線基地局装置１０１Ａは、測定結果通知を受信するたびに上記通信品質を更新する（ステップＳ３７２）。
【０５５５】
次に、無線基地局装置１０１Ａは、上位装置からハンドオーバ指示を受信して、通信品質が所定のハンドオーバ実行条件またはハンドオーバ中止条件を満たすまで待機する（ステップＳ３７３）。
【０５５６】
次に、無線基地局装置１０１Ａは、更新された通信品質がハンドオーバ実行条件を満たす場合には、当該無線端末装置２０２のハンドオーバ動作を実行すべきであると判断する（ステップＳ３７４）。
【０５５７】
次に、無線基地局装置１０１Ａは、当該無線端末装置２０２へＲＲＣコネクション再構成指示を送信する（ステップＳ３７５）。
【０５５８】
ステップＳ３７６〜Ｓ３８１の動作は、図４１に示すステップＳ３１５〜Ｓ３２０の動作と同様であるため、ここでは詳細な説明を繰り返さない。
【０５５９】
図４４は、本発明の第２の実施の形態に係る無線通信システムにおけるハンドオーバ動作のシーケンスの一例を示す図である。図４４は、ハンドオーバ動作を中止するシーケンスの一例を示す。図４４において想定するケースは図４１と同様である。
【０５６０】
図４４を参照して、ステップＳ４０１〜Ｓ４１３の動作は、図４３に示すステップＳ３６１〜Ｓ３７３の動作と同様であるため、ここでは詳細な説明を繰り返さない。
【０５６１】
次に、無線基地局装置１０１Ａは、更新された通信品質がハンドオーバ中止条件を満たす場合には、当該無線端末装置２０２のハンドオーバ動作を実行すべきでなく、準備処理の行なわれたハンドオーバ動作を中止すべきであると判断する（ステップＳ４１４）。
【０５６２】
次に、無線基地局装置１０１Ａは、上位装置へハンドオーバ中止通知を送信する（ステップＳ４１５）。
【０５６３】
ここで、図４２に示すシーケンスと同様に、無線基地局装置１０１Ａは、無線端末装置２０２との通信品質が原因でハンドオーバ動作を中止する旨を示すフラグをハンドオーバ中止通知において設定し、上位装置へ送信する。
【０５６４】
次に、上位装置は、無線基地局装置１０１Ａからハンドオーバ中止通知を受信して、必要であれば当該ハンドオーバ中止通知に対応するハンドオーバ動作について、保持情報の消去等のハンドオーバ中止処理を行なうとともに、無線基地局装置１０１Ｂへ当該ハンドオーバ中止通知を送信する（ステップＳ４１６）。
【０５６５】
次に、無線基地局装置１０１Ｂは、ハンドオーバ中止通知を受信して、当該ハンドオーバ中止通知に対応するハンドオーバ動作について、保持情報の消去等のハンドオーバ中止処理を行なう（ステップＳ４１７）。
【０５６６】
図４３および図４４に示すシーケンスにおける無線基地局装置および無線端末装置間の通信品質の具体例として、たとえば、無線基地局装置１０１は、イベントＡ３の条件式を利用して、ハンドオーバ中止条件を設定する。すなわち、図４２および図４３に示すシーケンスにおいて説明したハンドオーバ動作の実行判断および準備開始判断の条件式に加えて、無線基地局装置１０１は、以下の式を満たす場合にハンドオーバ動作の中止を判断する。ただし、制御値Ｑは正の値である。
（サービングセルの受信電力＋サービングセルのオフセットＯＳＴ１＋ヒステリシスＨＳ＋制御値Ｑ）＜（周辺セルの受信電力＋周辺セルのオフセットＯＳＴ２）
【０５６７】
この式において、制御値Ｑを正の値に設定すると、ハンドオーバ中止条件の示す通信品質は、ハンドオーバ準備条件の示す通信品質と比べて良い品質となる。この場合、無線基地局装置１０１Ａは、ハンドオーバ動作の準備処理開始時と比べて、通信品質が制御値Ｑ相当分以上良くなっている場合に、ハンドオーバ動作を中止すべきであると判断する。すなわち、制御値Ｑを正の値に設定する場合、無線端末装置２０２の電波環境の好転に対して適切にハンドオーバ動作を中止することが可能となる。
【０５６８】
また、制御値Ｑをゼロに設定すると、ハンドオーバ準備条件およびハンドオーバ中止条件が等しくなり、ハンドオーバの準備処理および中止処理が繰り返されてしまうが、制御値Ｑを正の値に設定することにより、このような事象の発生を防ぐことができる。
【０５６９】
なお、ハンドオーバ中止条件は、通信品質に関する条件である場合に限らず、たとえば経過時間であってもよい。
【０５７０】
具体的には、図４４において、無線基地局装置１０１Ａは、無線基地局装置１０１Ｂを示すハンドオーバ要求を上位装置へ送信する（ステップＳ４０７）前後においてタイマをスタートさせ、タイマの満了をハンドオーバ中止条件とする。そして、無線基地局装置１０１Ａは、ハンドオーバ実行条件を満たす前にスタートさせておいたタイマが満了すると、無線端末装置２０２のハンドオーバ動作を実行すべきでなく、準備処理の行なわれたハンドオーバ動作を中止すべきであると判断し、上位装置へハンドオーバ中止通知を送信する（ステップＳ４１４）。
【０５７１】
図４５は、本発明の第２の実施の形態に係る無線通信システムにおいてハンドオーバ動作に要する時間の内訳の一例を示す図である。
【０５７２】
図４５を参照して、ハンドオーバ動作に要する時間は、たとえば無線端末装置２０２における電力測定処理の間隔に相当する時間Ｔ２０１と、ＴＴＴに相当する時間Ｔ２０２と、ハンドオーバ動作の準備処理時間Ｔ２０３と、ハンドオーバ動作の実行時間、すなわちＲＲＣコネクション再構成指示が送信されてからハンドオーバ完了通知が送信されるまでの時間Ｔ２０４との和である。
【０５７３】
なお、ＴＴＴは、前述のように、レポートオン状態へ遷移してから無線端末装置２０２が一定間隔で測定結果通知を送信するための周期である。このため、時間Ｔ２０１および時間Ｔ２０２は重複する場合がある。図４５では、説明を簡単にするために、レポートオン状態へ遷移してから無線端末装置２０２が最初に送信した測定結果通知に基づいてハンドオーバ動作が行なわれる場合を示している。
【０５７４】
時間Ｔ２０１は、たとえば２００ｍｓであり、ＣＱＩレポートを利用する場合には５ｍｓとなる。また、時間Ｔ２０２は、たとえば０ｍｓ〜２０００ｍｓである。また、時間Ｔ２０３は、たとえば５０ｍｓ〜１５０ｍｓである。また、時間Ｔ２０４は、たとえば４０ｍｓである。
【０５７５】
時間Ｔ２０１および時間Ｔ２０２については、ヒステリシスＨＳ、オフセットＯＳＴおよびＴＴＴ等のパラメータを調整することによって短縮することが可能である。
【０５７６】
そして、本発明の第２の実施の形態に係る無線基地局装置では、前述のようにハンドオーバ動作の準備処理およびハンドオーバ動作の実行判断処理を行なう構成により、時間Ｔ２０３を理想的には０ｍｓまで短縮することが可能である。
【０５７７】
すなわち、”Ｔｏｏ  Ｌａｔｅ  ＨＯ”の発生頻度が高く、かつハンドオーバ動作のタイミングを早めるためのパラメータ調整がこれ以上困難な場合に、たとえば前述の制御値Ｐを大きくする。これにより、ハンドオーバ動作の準備処理のタイミングを早め、適切なハンドオーバ動作を実現することができる。
【０５７８】
ところで、非特許文献１に記載されるような不適切なハンドオーバ動作が行なわれると、通信システムにおいて、通信断および通信トラフィックの増大等、種々の問題が生じる。
【０５７９】
これに対して、本発明の第２の実施の形態に係る無線基地局装置では、ハンドオーバ要求部２１は、自己の無線基地局装置１０１から他の無線基地局装置への無線端末装置２０２のハンドオーバ動作を行なう要求を他の無線基地局装置に対して行なう。ハンドオーバ指示部２２は、上記要求に対する他の無線基地局装置からの応答を受けて、無線端末装置２０２に対して自己の無線基地局装置１０１から他の無線基地局装置へのハンドオーバ動作を行なう指示を与える。そして、ハンドオーバ指示部２２は、上記応答を受けて、自己の無線基地局装置１０１および無線端末装置２０２間の通信品質に関する所定のハンドオーバ実行条件が満たされていない場合には、無線端末装置２０２に対する上記指示の付与を中止するかまたは保留する。
【０５８０】
このような構成により、ハンドオーバ動作の実行判断に先立ってハンドオーバ動作の準備処理を完了しておくことができるため、”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、”Ｔｏｏ  Ｅａｒｌｙ  ＨＯ”の発生確率の上昇を防ぐことができる。すなわち、不適切なハンドオーバ動作を抑制し、良好な通信システムを構築することができる。
【０５８１】
したがって、本発明の第２の実施の形態に係る無線基地局装置では、無線端末装置のハンドオーバ動作を適切に制御することにより、通信の安定化を図ることができる。
【０５８２】
また、本発明の第２の実施の形態に係る無線基地局装置では、ハンドオーバ指示部２２は、上記応答を受けて、自己の無線基地局装置１０１および無線端末装置２０２間の通信品質に関する所定のハンドオーバ実行条件が満たされていない場合には、無線端末装置２０２に対してハンドオーバ動作の指示を与えず、ハンドオーバ動作を中止する旨を他の無線基地局装置に通知する。
【０５８３】
このような構成により、ハンドオーバ動作の中止に伴い、たとえば他の無線基地局装置においてハンドオーバ動作のために確保した各種リソースの解放を適切に行なうことができる。
【０５８４】
また、本発明の第２の実施の形態に係る無線基地局装置では、ハンドオーバ指示部２２は、他の無線基地局装置から上記応答を受けて、自己の無線基地局装置１０１および無線端末装置２０２間の通信品質に関する所定のハンドオーバ実行条件が満たされていない場合には、ハンドオーバ実行条件が満たされるまで待機する。そして、ハンドオーバ指示部２２は、ハンドオーバ実行条件が満たされると無線端末装置２０２に対してハンドオーバ指示を与える。
【０５８５】
このような構成により、ハンドオーバ動作の準備処理が完了した後、無線基地局装置１０１および無線端末装置２０２間の通信品質がハンドオーバ実行条件を満たした時点で、無線端末装置２０２に対してハンドオーバ動作の指示を与えることができるため、最適なタイミングでハンドオーバ動作を実行することができる。
【０５８６】
また、本発明の第２の実施の形態に係る無線基地局装置では、ハンドオーバ指示部２２は、ハンドオーバ実行条件が満たされるまで待機し、ハンドオーバ実行条件が満たされる前に通信品質に関するハンドオーバ中止条件が満たされた場合には、無線端末装置２０２に対してハンドオーバ指示を与えず、ハンドオーバ動作を中止する旨を他の無線基地局装置に通知する。
【０５８７】
このような構成により、タイマの満了等の適切なタイミング、または電波環境に応じた適切な条件でハンドオーバ動作を中止し、ハンドオーバ動作の待機時間の増大を防ぐことができる。また、ハンドオーバ動作の中止に伴い、たとえば他の無線基地局装置においてハンドオーバ動作のために確保した各種リソースの解放を適切に行なうことができる。
【０５８８】
また、本発明の第２の実施の形態に係る無線基地局装置では、ハンドオーバ要求部２１は、自己の無線基地局装置１０１および無線端末装置２０２間の通信品質に関する所定のハンドオーバ準備条件が満たされる場合に、ハンドオーバ要求を他の無線基地局装置に対して行なう。ハンドオーバ準備条件の示す通信品質は、ハンドオーバ実行条件の示す通信品質と比べて良い品質である。
【０５８９】
このような構成により、ハンドオーバ動作の実行判断の基準となる通信品質よりも緩やかな条件で前もってハンドオーバ動作の準備処理を行なうことができる。
【０５９０】
また、本発明の第２の実施の形態に係る無線基地局装置では、ハンドオーバ準備条件の示す通信品質は、ハンドオーバ実行条件の示す通信品質と同等である。
【０５９１】
このような構成により、ハンドオーバ動作の準備期間において無線端末装置の電波環境が好転し、実行する必要のなくなったハンドオーバ動作を適切に中止することができるため、不要となったハンドオーバ動作の実行を抑制することができる。
【０５９２】
また、本発明の第２の実施の形態に係る無線基地局装置では、ハンドオーバ準備条件の示す通信品質は、ハンドオーバ実行条件の示す通信品質と比べて同等であるかまたは良い品質であり、ハンドオーバ中止条件の示す通信品質は、ハンドオーバ準備条件の示す通信品質と比べて良い品質である。
【０５９３】
このような構成により、ハンドオーバ動作の準備期間において無線端末装置の電波環境が好転し、実行する必要のなくなったハンドオーバ動作を適切に中止することができるため、不要となったハンドオーバ動作の実行を抑制することができる。
【０５９４】
また、本発明の第２の実施の形態に係る無線基地局装置では、ハンドオーバ指示部２２は、ハンドオーバ動作の中止を他の無線基地局装置に通知する際、自己の無線基地局装置１０１および無線端末装置２０２間の通信品質が条件を満たしていない旨を他の無線基地局装置に通知する。
【０５９５】
これにより、他の無線基地局装置は、たとえばハンドオーバ動作に関するパラメータ設定の誤り等によってハンドオーバ動作が中止された事象との区別をつけることができる。このため、他の無線基地局装置における新たなパラメータ設定処理等の余計な処理の発生を防ぎ、かつハンドオーバ動作のために確保した各種リソースの解放を適切に行なうことができる。
【０５９６】
また、本発明の第２の実施の形態に係る無線基地局装置では、ハンドオーバ条件調整部２３は、ハンドオーバ実行条件の示す通信品質およびハンドオーバ準備条件の示す通信品質の差を調整する。
【０５９７】
このような構成により、”Ｔｏｏ  Ｌａｔｅ  ＨＯ”等の不適切なハンドオーバ動作の発生頻度、およびハンドオーバ動作の中止頻度の調整が可能となり、より適切なハンドオーバ動作を実現することができる。
【０５９８】
また、本発明の第２の実施の形態に係る無線基地局装置では、ハンドオーバ条件調整部２３は、ハンドオーバ指示部２２によってハンドオーバ動作の中止が他の無線基地局装置に通知された回数に基づいて上記通信品質の差を調整する。
【０５９９】
このような構成により、ハンドオーバ動作の中止頻度の観点から、”Ｔｏｏ  Ｌａｔｅ  ＨＯ”等の不適切なハンドオーバ動作の発生頻度、およびハンドオーバ動作の中止頻度を適切に調整することができる。
【０６００】
また、本発明の第２の実施の形態に係る無線基地局装置では、ハンドオーバ情報取得部２４は、無線端末装置２０２による自己の無線基地局装置１０１から他の無線基地局装置へのハンドオーバ動作が不適切であった回数を取得する。そして、ハンドオーバ条件調整部２３は、ハンドオーバ情報取得部２４によって取得された回数に基づいて上記通信品質の差を調整する。
【０６０１】
このような構成により、”Ｔｏｏ  Ｌａｔｅ  ＨＯ”等の不適切なハンドオーバ動作の発生頻度の観点から、不適切なハンドオーバ動作の発生頻度およびハンドオーバ動作の中止頻度を適切に調整することができる。
【０６０２】
なお、本発明の第２の実施の形態に係る無線基地局装置では、無線基地局装置１０１および無線端末装置２０２間の通信品質として、サービングセルの受信電力および周辺セルの受信電力の関係、あるいはＣＱＩレポートの値を用いる構成であるとしたが、これに限定するものではない。無線端末装置２０２の受信電力に限らず、パイロット信号の誤り率等、無線基地局装置および無線端末装置間の通信品質を示す何らかの指標を用いる構成であればよい。また、イベントＡ３以外のイベントの条件式を利用する構成であってもよい。また、下り方向の通信品質に限らず、上り方向の通信品質を利用する構成であってもよい。
【０６０３】
その他の構成および動作は第１の実施の形態に係る無線基地局装置と同様であるため、ここでは詳細な説明を繰り返さない。
【０６０４】
＜シミュレーション＞
本願発明者らは、本発明の第１の実施の形態および第２の実施の形態に係る無線基地局装置の動作についてシミュレーションを行った。以下、本シミュレーションの内容および結果について詳細に説明する。
【０６０５】
図４６は、シミュレーション対象の無線通信システムにおける無線環境パラメータを示す図である。
【０６０６】
図４６を参照して、本シミュレーションの対象となる無線通信システムの無線環境パラメータは、「基地局数／セクタ数」、「基地局間距離」、「パスロス」すなわち無線基地局装置が送信する無線信号の送信電力と、無線端末装置における当該無線信号の受信電力との差、「基地局アンテナゲイン」すなわち無指向性を０ｄＢとした場合の指向性によるゲイン、「端末アンテナゲイン」、「シャドウィング」すなわち無線端末装置２０２における無線信号の受信電力の時間的な変動量、「シャドウィングの相関距離」すなわちシャドウィングの２地点間の相関が０．５となるときの当該２地点間の距離、「シャドウィングの相関値」、「基地局アンテナ指向性パターン」、「キャリア周波数／帯域」、「基地局の総送信電力」、「アンテナ構成」および「基地局−端末間の最小距離」である。
【０６０７】
具体的には、この無線通信システムにおけるマクロ基地局数は１９であり、マクロ基地局が３つのセクタを有するものとして総セクタ数は５７であり、ピコ基地局数は１であり、ピコ基地局が１つのセクタを有するものとして総セクタ数は１である。マクロ基地局間の距離は５００ｍであり、マクロ基地局およびピコ基地局間の距離は２５０ｍである。マクロ基地局についてのパスロスは、マクロ基地局および無線端末装置間の距離をｄ［ｍ］として１５．３＋３７．６×ｌｏｇ10（ｄ）［ｄＢ］であり、ピコ基地局についてのパスロスは、ピコ基地局および無線端末装置間の距離をｄ［ｍ］として３０．６＋３６．７×ｌｏｇ10（ｄ）［ｄＢ］である。マクロ基地局のアンテナゲインは１５ｄＢｉであり、ピコ基地局のアンテナゲインは５ｄＢｉである。無線端末装置２０２のアンテナゲインはマクロ基地局およびピコ基地局のいずれにおいても０ｄＢｉである。マクロ基地局についてのシャドウィングの標準偏差は８ｄＢであり、ピコ基地局についてのシャドウィングの標準偏差は１０ｄＢである。マクロ基地局についてのシャドウィングの相間距離は２５ｍであり、ピコ基地局についてのシャドウィングの相間距離は２５ｍである。マクロ基地局についてのシャドウィングの相関値はセル間で０．５であり、セクタ間で１であり、ピコ基地局についてのシャドウィングの相関値はセル間で０．５である。マクロ基地局のアンテナの指向性パターンは３次元のパターンであり、ピコ基地局のアンテナは無指向性である。マクロ基地局の送信側のキャリア周波数および帯域はそれぞれ２．０ＧＨｚおよび１０ＭＨｚであり、ピコ基地局の送信側のキャリア周波数および帯域はそれぞれ２．０ＧＨｚおよび１０ＭＨｚである。マクロ基地局の総送信電力は４６ｄＢｍであり、ピコ基地局の総送信電力は３０ｄＢｍである。マクロ基地局の有する送信アンテナは１本であり、ピコ基地局の有する送信アンテナは１本であり、無線端末装置２０２の有する受信アンテナは２本である。その他、無線基地局装置および無線端末装置間の最小距離等のパラメータは、3GPP TR 36.814に従う。
【０６０８】
図４７は、シミュレーション対象の無線通信システムにおける電力測定処理（Measurement）のパラメータを示す図である。
【０６０９】
図４７を参照して、本シミュレーションでは、プロファイルとしてセット１〜セット５を設けている。セット１からセット５の順番で、ハンドオーバ動作のタイミングが早くなり、セット５においてハンドオーバ動作のタイミングが最も早くなる。また、電力測定処理のパラメータは、端末移動速度、基地局負荷率、ＴＴＴ、イベントＡ３のオフセットＯＳＴ、電力測定間隔すなわち測定結果通知の更新周期、およびフィルタリング係数αである。
【０６１０】
ここで、フィルタリング係数αについて説明する。無線端末装置２０２は、たとえば、時刻（ｔ−１）において測定した受信電力Ｍ（ｔ−１）、時刻（ｔ−１）より後の時刻ｔにおいて測定した受信電力Ｍ（ｔ）およびフィルタリング係数αから、以下の式で表される受信電力ＭＲ（ｔ）を算出する。
ＭＲ（ｔ）＝（１−２−α／４）×ＭＲ（ｔ−１）＋２−α／４×Ｍ（ｔ）
【０６１１】
無線端末装置２０２は、受信電力ＭＲ（ｔ）を示す測定結果通知を無線基地局装置へ送信する。
【０６１２】
フィルタリング係数αを大きくする場合には、より過去の受信電力が測定結果通知に反映されることになるため、ハンドオーバ動作のタイミングが遅くなる。一方、フィルタリング係数αを小さくする場合には、より最近の受信電力が測定結果通知に反映されることになるため、ハンドオーバ動作のタイミングが早くなる。
【０６１３】
セット１〜セット５において、無線端末装置２０２の移動速度は時速３ｋｍ，３０ｋｍ，６０ｋｍ，１２０ｋｍであり、基地局負荷率は１００％である。また、セット１において、ＴＴＴは４８０ｍｓであり、オフセットＯＳＴは３ｄＢであり、電力測定間隔は２００ｍｓであり、フィルタリング係数αは４である。セット２において、ＴＴＴは１６０ｍｓであり、オフセットＯＳＴは３ｄＢであり、電力測定間隔は２００ｍｓであり、フィルタリング係数αは４である。セット３において、ＴＴＴは１６０ｍｓであり、オフセットＯＳＴは２ｄＢであり、電力測定間隔は２００ｍｓであり、フィルタリング係数αは１である。セット４において、ＴＴＴは８０ｍｓであり、オフセットＯＳＴは１ｄＢであり、電力測定間隔は２００ｍｓであり、フィルタリング係数αは１である。セット５において、ＴＴＴは４０ｍｓであり、オフセットＯＳＴは−１ｄＢであり、電力測定間隔は２００ｍｓであり、フィルタリング係数αは０である。
【０６１４】
ここでは、本発明の第１の実施の形態に係る無線基地局装置による、ＣＱＩレポートを用いてハンドオーバ動作の実行判断を行なう動作を「ＣＱＩによるＨＯ判断」と称し、本発明の第２の実施の形態に係る無線基地局装置における、ハンドオーバ動作の実行判断に先立ってハンドオーバ動作の準備処理を完了しておく動作を「ＨＯ準備短縮」と称する。
【０６１５】
本シミュレーションでは、無線基地局装置は、ＣＱＩレポートの値が所定値以下になると、ハンドオーバ動作の実行を判断する。具体的には、無線基地局装置は、ＣＱＩレポートの値が１以下になるとハンドオーバ動作を実行する。
【０６１６】
また、無線基地局装置は、最も新しい測定結果通知において受信電力が最も大きい無線基地局装置をハンドオーバ先として選択する。
【０６１７】
また、無線基地局装置は、無線端末装置２０２から、ＣＱＩレポートを１０ｍｓに１回受信し、測定結果通知を２００ｍｓに１回受信する。
【０６１８】
また、ＨＯ準備短縮を行なった場合におけるハンドオーバ動作の準備処理時間は１０ｍｓであり、ＨＯ準備短縮を行なわない場合におけるハンドオーバ動作の準備処理時間は、図２に示すように、Ｘ２インタフェースを用いずにＳ１インタフェースを用いるハンドオーバ動作を想定し、１００ｍｓである。
【０６１９】
図４８は、ハンドオーバ失敗確率のシミュレーション結果を示す図である。
【０６２０】
図４８を参照して、ＣＱＩによるＨＯ判断は行なわず、ＨＯ準備短縮を行なう構成では、ハンドオーバ失敗（ＨＯＦ）の発生確率を、ＣＱＩによるＨＯ判断を行なわず、かつＨＯ準備短縮を行なわない構成と比べてほとんどのケースで減少させることができる。
【０６２１】
また、ＣＱＩによるＨＯ判断を行ない、ＨＯ準備短縮を行なわない構成では、ＣＱＩによるＨＯ判断は行なわず、ＨＯ準備短縮を行なう構成と比べて、ハンドオーバ失敗（ＨＯＦ）の発生確率を大幅に減少させることができる。
【０６２２】
また、ＣＱＩによるＨＯ判断を行ない、かつＨＯ準備短縮を行なう構成では、ＣＱＩによるＨＯ判断を行ない、ＨＯ準備短縮を行なわない構成と比べて、ハンドオーバ失敗（ＨＯＦ）の発生確率をさらに減少させることができる。
【０６２３】
図４９は、”Ｐｉｎｇ  Ｐｏｎｇ  ＨＯ”の発生確率のシミュレーション結果を示す図である。
【０６２４】
図４９を参照して、ＣＱＩによるＨＯ判断は行なわず、ＨＯ準備短縮を行なう構成では、”Ｐｉｎｇ  Ｐｏｎｇ  ＨＯ”の発生確率は、ＣＱＩによるＨＯ判断を行なわず、かつＨＯ準備短縮を行なわない構成と比べて一部に若干の増加が見られる。これは、ハンドオーバ失敗（ＨＯＦ）が回避されていることによるものである。
【０６２５】
また、ＣＱＩによるＨＯ判断を行ない、ＨＯ準備短縮を行なわない構成では、ＣＱＩによるＨＯ判断を行なわず、かつＨＯ準備短縮を行なわない構成と比べて、セット１およびセット２における”Ｐｉｎｇ  Ｐｏｎｇ  ＨＯ”の発生確率が増加している。これは、ハンドオーバ失敗（ＨＯＦ）を回避することによるものである。一方、セット３〜５では、不要なハンドオーバ動作が回避されることにより、”Ｐｉｎｇ  Ｐｏｎｇ  ＨＯ”の発生確率が減少している。
【０６２６】
また、ＣＱＩによるＨＯ判断を行ない、かつＨＯ準備短縮を行なう構成では、ＣＱＩによるＨＯ判断を行ない、ＨＯ準備短縮を行なわない構成と比べて、”Ｐｉｎｇ  Ｐｏｎｇ    ＨＯ”の発生確率が増加している。これは、ＨＯ準備短縮により、ハンドオーバ失敗（ＨＯＦ）がさらに回避されることによるものである。
【０６２７】
図５０は、図４８に示すハンドオーバ失敗確率、および図４９に示す”Ｐｉｎｇ  Ｐｏｎｇ  ＨＯ”の発生確率の和を示す図である。
【０６２８】
図５０を参照して、ＣＱＩによるＨＯ判断は行なわず、ＨＯ準備短縮を行なう構成、ＣＱＩによるＨＯ判断を行ない、ＨＯ準備短縮を行なわない構成およびＣＱＩによるＨＯ判断を行ない、かつＨＯ準備短縮を行なう構成のいずれでも、ＣＱＩによるＨＯ判断を行なわず、かつＨＯ準備短縮を行なわない構成と比べて、ハンドオーバ失敗確率および”Ｐｉｎｇ  Ｐｏｎｇ  ＨＯ”の発生確率の和がほとんどのケースで減少している。
【０６２９】
図５１は、本発明の実施の形態に係る無線基地局装置による改善対象を示す図である。
【０６３０】
図５１は、サービングセルにおける電波環境よりもターゲットセルにおける電波環境の方が良くなってから、実際にハンドオーバ動作が完了するまでの経過時間の内訳を示している。
【０６３１】
ハンドオーバ動作に要する時間は、たとえば無線端末装置２０２における電力測定処理の間隔に相当する時間Ｔ２１１と、ＴＴＴに相当する時間Ｔ２１２と、ハンドオーバ動作の準備処理時間Ｔ２１３と、ハンドオーバ動作の実行時間、すなわちＲＲＣコネクション再構成指示が送信されてからハンドオーバ完了通知が送信されるまでの時間Ｔ２１４との和である。
【０６３２】
なお、ＴＴＴは、前述のように、レポートオン状態へ遷移してから無線端末装置２０２が一定間隔で測定結果通知を送信するための周期である。このため、時間Ｔ２１１および時間Ｔ２１２は重複する場合がある。図５１では、説明を簡単にするために、レポートオン状態へ遷移してから無線端末装置２０２が最初に送信した測定結果通知に基づいてハンドオーバ動作が行なわれる場合を示している。
【０６３３】
時間Ｔ２１１は、たとえば２００ｍｓであり、ＣＱＩレポートを利用する場合には最短で５ｍｓとなる。また、時間Ｔ２１２は、たとえば４０ｍｓ〜１０００ｍｓである。また、時間Ｔ２１３は、たとえば４０ｍｓ〜１００ｍｓである。また、時間Ｔ２１４は、たとえば５０ｍｓである。
【０６３４】
本発明の第１の実施の形態に係る無線基地局装置における「ＣＱＩによるＨＯ判断」による改善対象は、時間Ｔ２１１および時間Ｔ２１２であり、本発明の第２の実施の形態に係る無線基地局装置における「ＨＯ準備短縮」による改善対象は、時間Ｔ２１３である。
【０６３５】
ハンドオーバ動作に要する時間のうち、ハンドオーバ動作の準備処理時間である時間Ｔ２１３が占める割合は、全体の１０％〜２０％程度である。しかしながら、ＣＱＩによるＨＯ判断を行なう構成では、時間Ｔ２１１を短縮することができるため、時間Ｔ２１３の上記割合が高くなる。ＨＯ準備短縮を行なえば、時間Ｔ２１３を１０ｍｓに短縮することができるため、特にＣＱＩによるＨＯ判断と組み合わせた構成において、ハンドオーバ失敗の発生確率を大きく改善することができる。
【０６３６】
なお、ハンドオーバ動作の準備処理は、ハンドオーバ動作の実行判断の後に行なわれる。このため、ＨＯ準備短縮を行っても、”Ｐｉｎｇ  Ｐｏｎｇ  ＨＯ”の発生を減らす、すなわち不要なハンドオーバ動作の実行回数を減らす、という効果は直接的には得られない。
【０６３７】
以上のように、本シミュレーションから、本発明の実施の形態に係る無線基地局装置により、無線端末装置のハンドオーバ動作が適切に制御され、無線通信システムにおける通信の安定化が図られることが確認された。
【０６３８】
＜第３の実施の形態＞
上述した第２の実施の形態では、ハンドオーバ動作において無線端末装置２０２の通信接続先が無線基地局装置１０１Ａから無線基地局装置１０１Ｂへ切り替わる場合について説明した。これに対して、第３の実施の形態では、無線基地局装置１０１Ａ，１０１Ｂだけでなくコアネットワークにおける上位装置が切り替えられる場合について説明する。以下で説明する内容以外は第２の実施の形態に係る無線通信システムと同様である。なお、上位装置としては、例えば、ＭＭＥ（Mobility  Management  Entity）またはＳ−ＧＷ（Serving Gateway）が挙げられる。
【０６３９】
以下、本発明の第３の実施の形態として、ハンドオーバ動作においてＭＭＥの切り替えが必要な場合と、ハンドオーバ動作においてＳ−ＧＷの切り替えが必要な場合と、ハンドオーバ動作においてＭＭＥおよびＳ−ＧＷの切り替えが必要な場合とに分けて説明する。
【０６４０】
（ａ）ＭＭＥの切り替えが必要な場合
［構成および基本動作］
図５２は、本発明の第３の実施の形態に係る無線通信システムの構成の一例を示す図である。
【０６４１】
図５２を参照して、無線通信システム４０１は、たとえば３ＧＰＰで規格化されたＬＴＥ（Long Term Evolution）に従う移動体通信システムであり、無線基地局装置１０１Ａ，１０１Ｂを備える。ここでは、無線端末装置２０２が、無線基地局装置１０１Ａと通信中である状態から移動し、通信相手すなわち通信接続先が無線基地局装置１０１Ａから無線基地局装置１０１Ｂへ切り替わるハンドオーバ動作が行われる場合を想定する。すなわち、無線基地局装置１０１Ａがサービング基地局に相当し、無線基地局装置１０１Ｂが周辺基地局（ターゲット基地局とも称する）に相当する場合を想定する。
【０６４２】
図５２では、２つの無線基地局装置１０１Ａ，１０１Ｂを代表的に示しているが、さらに多数の無線基地局装置が設けられてもよい。無線通信システム４０１は、さらに、コアネットワーク３０１に設けられたＳ−ＧＷ１６１（ゲートウェイ装置）と、ＭＭＥ１６２Ａ，１６２Ｂ（通信制御装置）と、Ｐ−ＧＷ（Packet Data Network Gateway）１６３とを備える。
【０６４３】
無線端末装置２０２は、無線基地局装置１０１Ａ，１０１Ｂ、Ｓ−ＧＷ１６１、および、Ｐ−ＧＷ１６３を介してＩＰ網３０２（上位ネットワーク）におけるサーバ等と通信コネクションを確立し、たとえばＩＰ（Internet Protocol）パケットを含む通信データを送受信する。
【０６４４】
Ｓ−ＧＷ１６１は、無線基地局装置１０１Ａ，１０１ＢとＩＰ網３０２との間に接続されている。Ｓ−ＧＷ１６１は、無線基地局装置１０１Ａ，１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ経由で無線端末装置２０２へ送信する。
【０６４５】
ＭＭＥ１６２Ａは、無線通信システム４０１における無線基地局装置１０１Ａおよび無線端末装置２０２等を管理する。ＭＭＥ１６２Ａは、無線基地局装置１０１Ａとの間で制御メッセージを送受信する。また、ＭＭＥ１６２Ｂは、無線通信システム４０１における無線基地局装置１０１Ｂおよび無線端末装置２０２等を管理する。ＭＭＥ１６２Ｂは、無線基地局装置１０１Ｂとの間で制御メッセージを送受信する。
【０６４６】
無線基地局装置１０１Ａ，１０１Ｂは、Ｓ−ＧＷ１６１およびＰ−ＧＷ１６３を介してＩＰ網３０２との間で通信データを送受信する。無線基地局装置１０１Ａ，１０１ＢおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０６４７】
無線基地局装置１０１ＡおよびＭＭＥ１６２Ａは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。無線基地局装置１０１ＢおよびＭＭＥ１６２Ｂも同様に、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０６４８】
ＭＭＥ１６２Ａ，１６２ＢおよびＳ−ＧＷ１６１は、論理的なインタフェースであるＳ１１インタフェースに従う通信データを互いに送受信することにより、Ｓ１１インタフェース経由で種々の情報を互いにやりとりする。
【０６４９】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０６５０】
ＭＭＥ１６２ＡおよびＭＭＥ１６２Ｂは、論理的なインタフェースであるＳ１０インタフェースに従う通信データを互いに送受信することにより、Ｓ１０インタフェース経由で種々の情報を互いにやりとりする。
【０６５１】
［動作］
次に、本発明の第３の実施の形態に係る無線通信システム４０１におけるハンドオーバ動作の流れについて、ハンドオーバ動作の実行条件が満たされる場合と、ハンドオーバ動作の実行条件が満たされない場合とに分けて説明する。
【０６５２】
（ｉ）実行条件が満たされる場合
図５３は、本発明の第３の実施の形態に係る無線通信システムにおいて、ハンドオーバ動作の実行条件が満たされる状況におけるハンドオーバ動作のシーケンスである。
【０６５３】
図５３を参照して、まず、無線端末装置２０２は、受信電力の測定結果を示す測定結果通知を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４２１）。
【０６５４】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバの準備処理を行なうべきであると判断し、周辺セル情報を参照してたとえば無線基地局装置１０１Ｂをハンドオーバ先として決定する（ステップＳ４２２）。
【０６５５】
次に、無線基地局装置１０１Ａは、無線基地局装置１０１Ｂを示すハンドオーバ要求を、対応する上位装置であるＭＭＥ１６２Ａへ送信する（ステップＳ４２３）。
【０６５６】
次に、ＭＭＥ１６２Ａは、無線基地局装置１０１Ａから受信したハンドオーバ要求に基づいて、ＭＭＥの切り替えを行う必要があるか否かを判断する。具体的には、ＭＭＥ１６２Ａは、ハンドオーバ要求に示されている無線基地局装置１０１Ｂが自己の管理対象であるか否かを判断する（ステップＳ４２４）。
【０６５７】
次に、ＭＭＥ１６２Ａは、無線基地局装置１０１Ｂが自己の管理対象ではないことから、無線基地局装置１０１Ｂを管理するＭＭＥ１６２Ｂへ無線基地局装置１０１Ｂを示すハンドオーバ要求を送信する（ステップＳ４２５）。
【０６５８】
次に、ＭＭＥ１６２Ｂは、ＭＭＥ１６２Ａから受信したハンドオーバ要求に基づいて、Ｓ−ＧＷ１６１の切り替えを行う必要があるか否かを判断する。具体的には、ＭＭＥ１６２Ｂは、無線基地局装置１０１ＡとＩＰ網３０２との間に接続されているＳ−ＧＷ１６１と、無線基地局装置１０１ＢとＩＰ網３０２との間に接続されているＳ−ＧＷ１６１とが異なるか否かを判断する。ここでは、無線基地局装置１０１ＡとＩＰ網３０２との間に接続されているＳ−ＧＷ１６１と、無線基地局装置１０１ＢとＩＰ網３０２との間に接続されているＳ−ＧＷ１６１とが同じであることから、ＭＭＥ１６２Ｂは、Ｓ−ＧＷ１６１の切り替えを行う必要がないと判断する（ステップＳ４２６）。
【０６５９】
次に、ＭＭＥ１６２Ｂは、無線基地局装置１０１Ｂへハンドオーバ要求を送信する（ステップＳ４２７）。
【０６６０】
次に、無線基地局装置１０１Ｂは、ＭＭＥ１６２Ｂからハンドオーバ要求を受信して、ＭＭＥ１６２Ｂへ当該ハンドオーバ要求に対するハンドオーバ応答を送信する（ステップＳ４２８）。
【０６６１】
次に、ＭＭＥ１６２Ｂは、無線基地局装置１０１Ｂから受信したハンドオーバ応答をＭＭＥ１６２Ａへ転送する（ステップＳ４２９）。
【０６６２】
ここで、無線端末装置２０２のハンドオーバ動作の準備期間中に無線基地局装置１０１Ａに当該無線端末装置２０２宛のパケットである対象パケットが蓄積されている場合、または、Ｓ−ＧＷ１６１から対象パケットが新たに受信された場合、無線基地局装置１０１Ａがこの対象パケットを無線基地局装置１０１Ｂへ転送するデータフォワーディングが行われる。
【０６６３】
このため、ＭＭＥ１６２Ａは、ＭＭＥ１６２Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１へ送信する（ステップＳ４３０）。
【０６６４】
次に、Ｓ−ＧＷ１６１は、ＭＭＥ１６２Ａからデータフォワーディングパスの確立要求を受けると、データフォワーディングパスを確立させる。すなわち、Ｓ−ＧＷ１６１は、自己を介する無線基地局装置１０１Ａと無線基地局装置１０１Ｂとの間の論理的なパスを確立する。そして、Ｓ−ＧＷ１６１は、データフォワーディングパスの確立応答をＭＭＥ１６２Ａへ送信する（ステップＳ４３１）。
【０６６５】
次に、ＭＭＥ１６２Ａは、無線基地局装置１０１Ａへハンドオーバ指示を送信する。そして、以上のようなハンドオーバ動作の準備処理が実行されて、無線基地局装置１０１ＡがＭＭＥ１６２Ａからハンドオーバ指示を受信すると、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｂへ転送する（ステップＳ４３２）。
【０６６６】
次に、無線基地局装置１０１Ａは、自己および無線端末装置２０２間の通信品質が所定のハンドオーバ実行条件を満たしているか否かを判断する。そして、通信品質がハンドオーバ実行条件を満たす場合には、無線基地局装置１０１Ａは、当該無線端末装置２０２のハンドオーバ動作を実行すべきであると判断する（ステップＳ４３３）。なお、上述した準備条件の示す通信品質は、実行条件の示す通信品質と比べて良い品質である。
【０６６７】
次に、無線基地局装置１０１Ａは、当該無線端末装置２０２へＲＲＣコネクション再構成指示（RRC Connection Reconfiguration）を送信する（ステップＳ４３４）。
【０６６８】
次に、無線基地局装置１０１Ａは、ＭＭＥ１６２Ａへ自己の通信状態等を示す状態通知を送信する（ステップＳ４３５）。この状態通知に、データフォワーディングにおいて、無線基地局装置１０１Ｂが転送パケットを処理するための、パケットのシリアル番号等の情報が含まれる。
【０６６９】
次に、ＭＭＥ１６２Ａは、無線基地局装置１０１Ａから受信した状態通知を、ＭＭＥ１６２Ｂへ転送する（ステップＳ４３６）。
【０６７０】
次に、ＭＭＥ１６２Ｂは、ＭＭＥ１６２Ａから転送された状態通知に対する状態通知応答をＭＭＥ１６２Ａへ送信する（ステップＳ４３７）。
【０６７１】
次に、ＭＭＥ１６２Ｂは、無線基地局装置１０１Ｂへ無線端末装置２０２との通信内容等を示す状態通知を送信する（ステップＳ４３８）。
【０６７２】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ４３９）。
【０６７３】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０６７４】
また、無線端末装置２０２は、無線基地局装置１０１Ｂへパケットを送信し、無線基地局装置１０１Ｂは、当該対象パケットをＳ−ＧＷ１６１へ送信する。
【０６７５】
次に、無線基地局装置１０１Ｂは、無線端末装置２０２からＲＲＣコネクション再構成完了通知を受信して、ＭＭＥ１６２Ｂへハンドオーバ完了通知を送信する（ステップＳ４４０）。このハンドオーバ完了通知に、Ｓ−ＧＷ１６１に対するパス切り替え要求が含まれる。
【０６７６】
次に、ＭＭＥ１６２Ｂは、無線基地局装置１０１Ｂから受信したハンドオーバ完了通知をＭＭＥ１６２Ａへ転送する（ステップＳ４４１）。
【０６７７】
次に、ＭＭＥ１６２Ａは、ＭＭＥ１６２Ｂから受信したハンドオーバ完了通知に対するハンドオーバ完了通知応答をＭＭＥ１６２Ｂへ送信する（ステップＳ４４２）。
【０６７８】
次に、ＭＭＥ１６２Ｂは、上記パス切り替え要求を含むベアラ変更要求をＳ−ＧＷ１６１へ送信する（ステップＳ４４３）。
【０６７９】
そして、Ｓ−ＧＷ１６１は、ＭＭＥ１６２Ｂからベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。
【０６８０】
次に、Ｓ−ＧＷ１６１は、ベアラ変更要求に対する、パス切り替え応答を含むベアラ変更応答をＭＭＥ１６２Ｂへ送信する（ステップＳ４４４）。
【０６８１】
そして、Ｓ−ＧＷ１６１は、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。
【０６８２】
また、無線基地局装置１０１Ｂは、無線基地局装置１０１Ａを経由していないＳ−ＧＷ１６１からの対象パケットの無線端末装置２０２への送信を保留し、蓄積しておく。
【０６８３】
そして、無線基地局装置１０１Ａは、Ｓ−ＧＷ１６１から受信したエンドマーカ付きの対象パケットをＳ−ＧＷ１６１経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０６８４】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１からの対象パケットの無線端末装置２０２への送信を開始する。
【０６８５】
次に、ＭＭＥ１６２Ａは、端末情報解放指示を無線基地局装置１０１Ａへ送信する（ステップＳ４４５）。
【０６８６】
次に、無線基地局装置１０１Ａは、ＭＭＥ１６２Ａから端末情報解放指示を受信して、無線端末装置２０２に関する情報を解放し、ＭＭＥ１６２Ａへ端末情報解放完了通知を送信する（ステップＳ４４６）。
【０６８７】
次に、ＭＭＥ１６２Ａは、無線基地局装置１０１Ａから端末情報解放完了通知を受信すると、データフォワーディングパスの削除要求をＳ−ＧＷ１６１へ送信する（ステップＳ４４７）。
【０６８８】
次に、Ｓ−ＧＷ１６１は、データフォワーディングパスの削除要求を受信すると、データフォワーディングパスの削除を行い、データフォワーディングパスの削除応答をＭＭＥ１６２Ａへ送信する（ステップＳ４４８）。
【０６８９】
（ｉｉ）実行条件が満たされない場合
図５４は、本発明の第３の実施の形態に係る無線通信システムにおいて、ハンドオーバ動作の実行条件が満たされない状況におけるハンドオーバ動作のシーケンスである。
【０６９０】
図５４を参照して、ステップＳ４５１からステップＳ４６２までの動作は、図５３に示すステップＳ４２１からステップＳ４３２までの動作と同様であるため、ここでは詳細な説明を繰り返さない。
【０６９１】
次に、無線基地局装置１０１Ａは、ＭＭＥ１６２Ａからハンドオーバ指示を受信すると、自己および無線端末装置２０２間の通信品質が所定のハンドオーバ実行条件を満たしているか否かを判断する。そして、通信品質がハンドオーバ実行条件を満たさない場合には、無線基地局装置１０１Ａは、当該無線端末装置２０２のハンドオーバ動作を実行すべきでなく、準備処理の行われたハンドオーバ動作を中止すべきであると判断する（ステップＳ４６３）。
【０６９２】
次に、無線基地局装置１０１Ａは、ＭＭＥ１６２Ａへハンドオーバ動作を中止するためのハンドオーバ中止通知を送信する（ステップＳ４６４）。
【０６９３】
次に、ＭＭＥ１６２Ａは、無線基地局装置１０１Ａから受信したハンドオーバ中止通知をＭＭＥ１６２Ｂへ転送する（ステップＳ４６５）。
【０６９４】
次に、ＭＭＥ１６２Ｂは、ハンドオーバ中止通知を受信すると、端末情報解放指示を無線基地局装置１０１Ｂへ送信する（ステップＳ４６６）。
【０６９５】
次に、無線基地局装置１０１Ｂは、ＭＭＥ１６２Ｂから端末情報解放指示を受信して、無線端末装置２０２に関する情報を解放し、ＭＭＥ１６２Ｂへ端末情報解放完了通知を送信する（ステップＳ４６７）。
【０６９６】
次に、ＭＭＥ１６２Ｂは、無線基地局装置１０１Ｂから端末情報解放完了通知を受信すると、ハンドオーバ中止応答をＭＭＥ１６２Ａへ送信する（ステップＳ４６８）。
【０６９７】
次に、ＭＭＥ１６２Ａは、ＭＭＥ１６２Ｂから受信したハンドオーバ中止応答を無線基地局装置１０１Ａへ送信する（ステップＳ４６９）。
【０６９８】
次に、ＭＭＥ１６２Ａは、データフォワーディングパスの削除要求をＳ−ＧＷ１６１へ送信する（ステップＳ４７０）。
【０６９９】
次に、Ｓ−ＧＷ１６１は、データフォワーディングパスの削除要求を受信すると、データフォワーディングパスの削除を行い、データフォワーディングパスの削除応答をＭＭＥ１６２Ａへ送信する（ステップＳ４７１）。
【０７００】
（ｂ）Ｓ−ＧＷの切り替えが必要な場合
［構成および基本動作］
図５５は、本発明の第３の実施の形態に係る無線通信システムの構成の一例を示す図である。
【０７０１】
図５５を参照して、無線通信システム４０２は、図５２に示す無線通信システム４０１と同様に、たとえば３ＧＰＰで規格化されたＬＴＥに従う移動体通信システムであり、無線基地局装置１０１Ａと、無線基地局装置１０１Ｂとを備える。ここでは、図５２に示す場合と同様に、無線端末装置２０２が、無線基地局装置１０１Ａと通信中である状態から移動し、通信相手すなわち通信接続先が無線基地局装置１０１Ａから無線基地局装置１０１Ｂへ切り替わるようにハンドオーバ動作が行われる場合を想定する。
【０７０２】
無線通信システム４０２は、さらに、コアネットワーク３０１に設けられたＳ−ＧＷ１６１Ａ，１６１Ｂ（ゲートウェイ装置）と、ＭＭＥ１６２（通信制御装置）と、Ｐ−ＧＷ１６３とを備える。
【０７０３】
Ｓ−ＧＷ１６１Ａは、無線基地局装置１０１ＡとＩＰ網３０２との間に接続されている。Ｓ−ＧＷ１６１Ａは、無線基地局装置１０１Ａ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ経由で無線端末装置２０２へ送信する。
【０７０４】
Ｓ−ＧＷ１６１Ｂは、無線基地局装置１０１ＢとＩＰ網３０２との間に接続されている。Ｓ−ＧＷ１６１Ｂは、無線基地局装置１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ｂ経由で無線端末装置２０２へ送信する。
【０７０５】
ＭＭＥ１６２は、無線通信システム４０２における無線基地局装置１０１Ａ，１０１Ｂおよび無線端末装置２０２等を管理する。ＭＭＥ１６２は、無線基地局装置１０１Ａ，１０１Ｂとの間で制御メッセージを送受信する。
【０７０６】
無線基地局装置１０１Ａは、Ｓ−ＧＷ１６１ＡおよびＰ−ＧＷ１６３を介してＩＰ網３０２との間で通信データを送受信する。無線基地局装置１０１Ｂは、Ｓ−ＧＷ１６１ＢおよびＰ−ＧＷ１６３を介してＩＰ網３０２との間で通信データを送受信する。
【０７０７】
無線基地局装置１０１ＡおよびＳ−ＧＷ１６１Ａは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＢおよびＳ−ＧＷ１６１Ｂは、論理的なインタフェースであるＳ１−Ｕインタフェースに従う通信データを互いに送受信することにより、Ｓ１−Ｕインタフェース経由で種々の情報を互いにやりとりする。
【０７０８】
無線基地局装置１０１Ａ，１０１ＢおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０７０９】
ＭＭＥ１６２およびＳ−ＧＷ１６１Ａ，１６１Ｂは、論理的なインタフェースであるＳ１１インタフェースに従う通信データを互いに送受信することにより、Ｓ１１インタフェース経由で種々の情報を互いにやりとりする。
【０７１０】
Ｓ−ＧＷ１６１Ａ，１６１ＢおよびＰ−ＧＷ１６３は、論理的なインタフェースであるＳ５インタフェースに従う通信データを互いに送受信することにより、Ｓ５インタフェース経由で種々の情報を互いにやりとりする。
【０７１１】
［動作］
次に、本発明の第３の実施の形態に係る無線通信システム４０２におけるハンドオーバ動作の流れについて、ハンドオーバ動作の実行条件が満たされる場合と、ハンドオーバ動作の実行条件が満たされない場合とに分けて説明する。
【０７１２】
（ｉ）実行条件が満たされる場合
図５６は、本発明の第３の実施の形態に係る無線通信システムにおいて、ハンドオーバ動作の実行条件が満たされる状況におけるハンドオーバ動作のシーケンスである。
【０７１３】
図５６を参照して、ステップＳ４８１からステップＳ４８３までの動作は、図５３に示すステップＳ４２１からステップＳ４２３までの動作と同様であるため、ここでは詳細な説明を繰り返さない。
【０７１４】
次に、ＭＭＥ１６２は、無線基地局装置１０１Ａから受信したハンドオーバ要求に基づいて、ＭＭＥ１６２の切り替えを行う必要があるか否かを判断する。具体的には、ＭＭＥ１６２は、ハンドオーバ要求に示されている無線基地局装置１０１Ｂが自己の管理対象であるか否かを判断する。ここでは、無線基地局装置１０１ＢがＭＭＥ１６２の管理対象であることから、ＭＭＥ１６２は、ＭＭＥの切り替えを行う必要がないと判断する（ステップＳ４８４）。
【０７１５】
次に、ＭＭＥ１６２は、無線基地局装置１０１Ａから受信したハンドオーバ要求に基づいて、Ｓ−ＧＷの切り替えを行う必要があるか否かを判断する。具体的には、ＭＭＥ１６２は、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する（ステップＳ４８５）。
【０７１６】
次に、ＭＭＥ１６２は、無線基地局装置１０１ＡとＩＰ網３０２との間に接続されているＳ−ＧＷ１６１Ａと、無線基地局装置１０１ＢとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットが、Ｓ−ＧＷ１６１Ｂを経由可能となるように、Ｐ−ＧＷ１６３と無線基地局装置１０１Ｂとの間の通信経路の作成をＳ−ＧＷ１６１Ｂへ要求する（ステップＳ４８６）。
【０７１７】
次に、Ｓ−ＧＷ１６１Ｂは、ＭＭＥ１６２から通信経路の作成要求を受信して、自己を経由するＰ−ＧＷ１６３と無線基地局装置１０１Ｂとの間の通信経路を作成し、通信経路の作成応答をＭＭＥ１６２へ送信する（ステップＳ４８７）。
【０７１８】
次に、ＭＭＥ１６２は、無線基地局装置１０１Ｂへハンドオーバ要求を送信する（ステップＳ４８８）。
【０７１９】
次に、無線基地局装置１０１Ｂは、ＭＭＥ１６２からハンドオーバ要求を受信して、ＭＭＥ１６２へ当該ハンドオーバ要求に対するハンドオーバ応答を送信する（ステップＳ４８９）。
【０７２０】
次に、ＭＭＥ１６２は、無線基地局装置１０１Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１Ｂへ送信する（ステップＳ４９０）。
【０７２１】
次に、Ｓ−ＧＷ１６１Ｂは、ＭＭＥ１６２からデータフォワーディングパスの確立要求を受けると、データフォワーディングパスを確立させる。すなわち、Ｓ−ＧＷ１６１Ｂは、Ｓ−ＧＷ１６１ＡとＳ−ＧＷ１６１Ｂとの間の論理的な通信経路、および、Ｓ−ＧＷ１６１Ｂと無線基地局装置１０１Ｂとの間の論理的な通信経路を確立する。そして、Ｓ−ＧＷ１６１Ｂは、データフォワーディングパスの確立応答をＭＭＥ１６２へ送信する（ステップＳ４９１）。
【０７２２】
次に、ＭＭＥ１６２は、Ｓ１−Ｕインタフェース経由のデータフォワーディングを行うための通信経路の確立要求をＳ−ＧＷ１６１Ａへ送信する（ステップＳ４９２）。
【０７２３】
次に、Ｓ−ＧＷ１６１Ａは、ＭＭＥ１６２からデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２へ送信する（ステップＳ４９３）。
【０７２４】
次に、ＭＭＥ１６２は、無線基地局装置１０１Ａへハンドオーバ指示を送信する。そして、無線基地局装置１０１Ａは、Ｓ１−Ｕインタフェース経由のデータフォワーディングを開始する（ステップＳ４９４）。
【０７２５】
次に、無線基地局装置１０１Ａは、自己および無線端末装置２０２間の通信品質が所定のハンドオーバ実行条件を満たしているか否かを判断する。そして、通信品質がハンドオーバ実行条件を満たす場合には、無線基地局装置１０１Ａは、当該無線端末装置２０２のハンドオーバ動作を実行すべきであると判断する（ステップＳ４９５）。
【０７２６】
次に、無線基地局装置１０１Ａは、当該無線端末装置２０２へＲＲＣコネクション再構成指示を送信する（ステップＳ４９６）。
【０７２７】
次に、無線基地局装置１０１Ａは、ＭＭＥ１６２へ自己の通信状態等を示す状態通知を送信する（ステップＳ４９７）。この状態通知に、データフォワーディングにおいて、無線基地局装置１０１Ｂが転送パケットを処理するための、パケットのシリアル番号等の情報が含まれる。
【０７２８】
次に、ＭＭＥ１６２は、無線基地局装置１０１Ｂへ無線端末装置２０２との通信内容等を示す状態通知を送信する（ステップＳ４９８）。
【０７２９】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ４９９）。
【０７３０】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０７３１】
また、無線端末装置２０２は、無線基地局装置１０１Ｂへパケットを送信し、無線基地局装置１０１Ｂは、当該対象パケットをＳ−ＧＷ１６１Ｂへ送信する。
【０７３２】
次に、無線基地局装置１０１Ｂは、無線端末装置２０２からＲＲＣコネクション再構成完了通知を受信して、ＭＭＥ１６２へハンドオーバ完了通知を送信する（ステップＳ５００）。このハンドオーバ完了通知に、Ｓ−ＧＷ１６１Ｂに対するパス切り替え要求が含まれる。
【０７３３】
次に、ＭＭＥ１６２は、上記パス切り替え要求を含むベアラ変更要求をＳ−ＧＷ１６１Ｂへ送信する（ステップＳ５０１）。
【０７３４】
そして、Ｓ−ＧＷ１６１Ｂは、ＭＭＥ１６２からベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。
【０７３５】
次に、Ｓ−ＧＷ１６１Ｂは、ベアラ変更要求に対する、パス切り替え応答を含むベアラ変更応答をＭＭＥ１６２へ送信する（ステップＳ５０２）。
【０７３６】
そして、Ｓ−ＧＷ１６１Ａは、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。
【０７３７】
また、無線基地局装置１０１Ｂは、無線基地局装置１０１Ａを経由していないＳ−ＧＷ１６１Ｂからの対象パケットの無線端末装置２０２への送信を保留し、蓄積しておく。
【０７３８】
そして、無線基地局装置１０１Ａは、Ｓ−ＧＷ１６１Ａから受信したエンドマーカ付きの対象パケットをＳ−ＧＷ１６１ＡおよびＳ−ＧＷ１６１Ｂ経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０７３９】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１Ｂからの対象パケットの無線端末装置２０２への送信を開始する。
【０７４０】
次に、ＭＭＥ１６２は、Ｐ−ＧＷ１６３と無線基地局装置１０１Ａとの間の通信経路の削除をＳ−ＧＷ１６１Ａへ要求する（ステップＳ５０３）。
【０７４１】
次に、ＭＭＥ１６２は、端末情報解放指示を無線基地局装置１０１Ａへ送信する（ステップＳ５０４）。
【０７４２】
次に、無線基地局装置１０１Ａは、ＭＭＥ１６２から端末情報解放指示を受信して、無線端末装置２０２に関する情報を解放し、ＭＭＥ１６２へ端末情報解放完了通知を送信する（ステップＳ５０５）。
【０７４３】
次に、Ｓ−ＧＷ１６１Ａは、ＭＭＥ１６２から通信経路の削除要求を受信して、Ｐ−ＧＷ１６３と無線基地局装置１０１Ａとの間の通信経路を削除し、通信経路の削除応答をＭＭＥ１６２へ送信する（ステップＳ５０６）。
【０７４４】
次に、ＭＭＥ１６２は、無線基地局装置１０１Ａから端末情報解放完了通知を受信すると、Ｓ−ＧＷ１６１Ａと無線基地局装置１０１Ａとの間の論理的な通信経路、すなわちデータフォワーディングパスの削除をＳ−ＧＷ１６１Ａへ要求する（ステップＳ５０７）。
【０７４５】
次に、Ｓ−ＧＷ１６１Ａは、データフォワーディングパスの削除要求を受信すると、Ｓ−ＧＷ１６１Ａと無線基地局装置１０１Ａとの間の論理的な通信経路の削除を行い、データフォワーディングパスの削除応答をＭＭＥ１６２へ送信する（ステップＳ５０８）。
【０７４６】
次に、ＭＭＥ１６２は、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路、すなわちデータフォワーディングパスの削除をＳ−ＧＷ１６１Ｂへ要求する（ステップＳ５０９）。
【０７４７】
次に、Ｓ−ＧＷ１６１Ｂは、データフォワーディングパスの削除要求を受信すると、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路の削除を行い、データフォワーディングパスの削除応答をＭＭＥ１６２へ送信する（ステップＳ５１０）。
【０７４８】
（ｉｉ）実行条件が満たされない場合
図５７は、本発明の第３の実施の形態に係る無線通信システムにおいて、ハンドオーバ動作の実行条件が満たされない状況におけるハンドオーバ動作のシーケンスである。
【０７４９】
図５７を参照して、ステップＳ５１１からステップＳ５２４までの動作は、図５６に示すステップＳ４８１からステップＳ４９４までの動作と同様であるため、ここでは詳細な説明を繰り返さない。
【０７５０】
次に、無線基地局装置１０１Ａは、ＭＭＥ１６２からハンドオーバ指示を受信すると、自己および無線端末装置２０２間の通信品質が所定のハンドオーバ実行条件を満たしているか否かを判断する。そして、通信品質がハンドオーバ実行条件を満たさない場合には、無線基地局装置１０１Ａは、当該無線端末装置２０２のハンドオーバ動作を実行すべきでなく、準備処理の行われたハンドオーバ動作を中止すべきであると判断する（ステップＳ５２５）。
【０７５１】
次に、無線基地局装置１０１Ａは、ＭＭＥ１６２へハンドオーバ中止通知を送信する（ステップＳ５２６）。
【０７５２】
次に、ＭＭＥ１６２は、ハンドオーバ中止通知を受信すると、端末情報解放指示を無線基地局装置１０１Ｂへ送信する（ステップＳ５２７）。
【０７５３】
次に、無線基地局装置１０１Ｂは、ＭＭＥ１６２から端末情報解放指示を受信して、無線端末装置２０２に関する情報を解放し、ＭＭＥ１６２へ端末情報解放完了通知を送信する（ステップＳ５２８）。
【０７５４】
次に、ＭＭＥ１６２は、Ｐ−ＧＷ１６３と無線基地局装置１０１Ｂとの間の通信経路の削除をＳ−ＧＷ１６１Ｂへ要求する（ステップＳ５２９）。
【０７５５】
次に、Ｓ−ＧＷ１６１Ｂは、ＭＭＥ１６２から通信経路の削除要求を受信して、Ｐ−ＧＷ１６３と無線基地局装置１０１Ｂとの間の通信経路を削除し、通信経路の削除応答をＭＭＥ１６２へ送信する（ステップＳ５３０）。
【０７５６】
次に、ＭＭＥ１６２は、Ｓ−ＧＷ１６１Ｂから通信経路の削除応答を受信すると、ハンドオーバ中止応答を無線基地局装置１０１Ａへ送信する（ステップＳ５３１）。
【０７５７】
そして、ステップＳ５３２からステップＳ５３５までの動作が実行される。これらステップＳ５３２からステップＳ５３５までの動作は、図５６に示すステップＳ５０７からステップＳ５１０までの動作と同様であるため、ここでは詳細な説明を繰り返さない。
【０７５８】
（ｃ）ＭＭＥおよびＳ−ＧＷの切り替えが必要な場合
［構成および基本動作］
図５８は、本発明の第３の実施の形態に係る無線通信システムの構成の一例を示す図である。
【０７５９】
図５８を参照して、無線通信システム４０３は、図５２に示す無線通信システム４０１と同様に、たとえば３ＧＰＰで規格化されたＬＴＥに従う移動体通信システムであり、無線基地局装置１０１Ａと、無線基地局装置１０１Ｂとを備える。ここでは、図５２に示す場合と同様に、無線端末装置２０２が、無線基地局装置１０１Ａと通信中である状態から移動し、通信相手すなわち通信接続先が、無線基地局装置１０１Ａから無線基地局装置１０１Ｂへ切り替わるようにハンドオーバ動作が行われる場合を想定する。
【０７６０】
無線通信システム４０３は、さらに、コアネットワーク３０１に設けられたＳ−ＧＷ１６１Ａ，１６１Ｂ（ゲートウェイ装置）と、ＭＭＥ１６２Ａ，１６２Ｂ（通信制御装置）と、Ｐ−ＧＷ１６３とを備える。
【０７６１】
無線基地局装置１０１Ａは、Ｓ−ＧＷ１６１ＡおよびＰ−ＧＷ１６３を介してＩＰ網３０２との間で通信データを送受信する。無線基地局装置１０１Ｂは、Ｓ−ＧＷ１６１ＢおよびＰ−ＧＷ１６３を介してＩＰ網３０２との間で通信データを送受信する。
【０７６２】
無線基地局装置１０１ＡおよびＳ−ＧＷ１６１Ａは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＢおよびＳ−ＧＷ１６１Ｂは、論理的なインタフェースであるＳ１−Ｕインタフェースに従う通信データを互いに送受信することにより、Ｓ１−Ｕインタフェース経由で種々の情報を互いにやりとりする。
【０７６３】
無線基地局装置１０１ＡおよびＭＭＥ１６２Ａは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０７６４】
無線基地局装置１０１ＢおよびＭＭＥ１６２Ｂは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０７６５】
ＭＭＥ１６２ＡおよびＳ−ＧＷ１６１Ａは、論理的なインタフェースであるＳ１１インタフェースに従う通信データを互いに送受信することにより、Ｓ１１インタフェース経由で種々の情報を互いにやりとりする。ＭＭＥ１６２ＢおよびＳ−ＧＷ１６１Ｂは、論理的なインタフェースであるＳ１１インタフェースに従う通信データを互いに送受信することにより、Ｓ１１インタフェース経由で種々の情報を互いにやりとりする。
【０７６６】
Ｓ−ＧＷ１６１Ａ，１６１ＢおよびＰ−ＧＷ１６３は、論理的なインタフェースであるＳ５インタフェースに従う通信データを互いに送受信することにより、Ｓ５インタフェース経由で種々の情報を互いにやりとりする。
【０７６７】
ＭＭＥ１６２ＡおよびＭＭＥ１６２Ｂは、論理的なインタフェースであるＳ１０インタフェースに従う通信データを互いに送受信することにより、Ｓ１０インタフェース経由で種々の情報を互いにやりとりする。
【０７６８】
［動作］
次に、本発明の第３の実施の形態に係る無線通信システム４０３におけるハンドオーバ動作の流れについて、ハンドオーバ動作の実行条件が満たされる場合と、ハンドオーバ動作の実行条件が満たされない場合とに分けて説明する。
【０７６９】
（ｉ）実行条件が満たされる場合
図５９は、本発明の第３の実施の形態に係る無線通信システムにおいて、ハンドオーバ動作の実行条件が満たされる状況におけるハンドオーバ動作のシーケンスである。
【０７７０】
図５９を参照して、ステップＳ５４１からステップＳ５４５までの動作は、図５３に示すステップＳ４２１からステップＳ４２５までの動作と同様であるため、ここでは詳細な説明を繰り返さない。
【０７７１】
次に、ＭＭＥ１６２Ｂは、ＭＭＥ１６２Ａから受信したハンドオーバ要求に基づいて、Ｓ−ＧＷの切り替えを行う必要があるか否かを判断する。具体的には、ＭＭＥ１６２Ｂは、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する（ステップＳ５４６）。
【０７７２】
次に、ＭＭＥ１６２Ｂは、無線基地局装置１０１ＡとＩＰ網３０２との間に接続されているＳ−ＧＷ１６１Ａと、無線基地局装置１０１ＢとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットがＳ−ＧＷ１６１Ｂを経由可能となるように、Ｐ−ＧＷ１６３と無線基地局装置１０１Ｂとの間の通信経路の作成をＳ−ＧＷ１６１Ｂへ要求する（ステップＳ５４７）。
【０７７３】
次に、Ｓ−ＧＷ１６１Ｂは、ＭＭＥ１６２Ｂから通信経路の作成要求を受信して、自己を経由するＰ−ＧＷ１６３と無線基地局装置１０１Ｂとの間の通信経路を作成し、通信経路の作成応答をＭＭＥ１６２Ｂへ送信する（ステップＳ５４８）。
【０７７４】
次に、ＭＭＥ１６２Ｂは、無線基地局装置１０１Ｂへハンドオーバ要求を送信する（ステップＳ５４９）。
【０７７５】
次に、無線基地局装置１０１Ｂは、ＭＭＥ１６２Ｂからハンドオーバ要求を受信して、ＭＭＥ１６２Ｂへ当該ハンドオーバ要求に対するハンドオーバ応答を送信する（ステップＳ５５０）。
【０７７６】
次に、ＭＭＥ１６２Ｂは、無線基地局装置１０１Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１Ｂへ送信する（ステップＳ５５１）。
【０７７７】
次に、Ｓ−ＧＷ１６１Ｂは、ＭＭＥ１６２Ｂからデータフォワーディングパスの確立要求を受けると、データフォワーディングパスを確立させる。すなわち、Ｓ−ＧＷ１６１Ｂは、Ｓ−ＧＷ１６１ＡとＳ−ＧＷ１６１Ｂとの間の論理的な通信経路、および、Ｓ−ＧＷ１６１Ｂと無線基地局装置１０１Ｂとの間の論理的な通信経路を確立する。そして、Ｓ−ＧＷ１６１Ｂは、データフォワーディングパスの確立応答をＭＭＥ１６２Ｂへ送信する（ステップＳ５５２）。
【０７７８】
次に、ＭＭＥ１６２Ｂは、無線基地局装置１０１Ｂから受信したハンドオーバ応答をＭＭＥ１６２Ａへ転送する（ステップＳ５５３）。
【０７７９】
次に、ＭＭＥ１６２Ａは、Ｓ１−Ｕインタフェース経由のデータフォワーディングを行うための論理的な通信経路の確立要求をＳ−ＧＷ１６１Ａへ送信する（ステップＳ５５４）。
【０７８０】
次に、Ｓ−ＧＷ１６１Ａは、ＭＭＥ１６２Ａからデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２Ａへ送信する（ステップＳ５５５）。
【０７８１】
次に、ＭＭＥ１６２Ａは、無線基地局装置１０１Ａへハンドオーバ指示を送信する。そして、無線基地局装置１０１Ａは、Ｓ１−Ｕインタフェース経由のデータフォワーディングを開始する（ステップＳ５５６）。
【０７８２】
次に、無線基地局装置１０１Ａは、自己および無線端末装置２０２間の通信品質が所定のハンドオーバ実行条件を満たしているか否かを判断する。そして、通信品質がハンドオーバ実行条件を満たす場合には、無線基地局装置１０１Ａは、当該無線端末装置２０２のハンドオーバ動作を実行すべきであると判断する（ステップＳ５５７）。
【０７８３】
次に、無線基地局装置１０１Ａは、当該無線端末装置２０２へＲＲＣコネクション再構成指示を送信する（ステップＳ５５８）。
【０７８４】
次に、無線基地局装置１０１Ａは、ＭＭＥ１６２Ａへ自己の通信状態等を示す状態通知を送信する（ステップＳ５５９）。この状態通知に、データフォワーディングにおいて、無線基地局装置１０１Ｂが転送パケットを処理するための、パケットのシリアル番号等の情報が含まれる。
【０７８５】
次に、ＭＭＥ１６２Ａは、無線基地局装置１０１Ａから受信した状態通知を、ＭＭＥ１６２Ｂへ転送する（ステップＳ５６０）。
【０７８６】
次に、ＭＭＥ１６２Ｂは、ＭＭＥ１６２Ａから転送された状態通知に対する状態通知応答をＭＭＥ１６２Ａへ送信する（ステップＳ５６１）。
【０７８７】
次に、ＭＭＥ１６２Ｂは、無線基地局装置１０１Ｂへ無線端末装置２０２との通信内容等を示す状態通知を送信する（ステップＳ５６２）。
【０７８８】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ５６３）。
【０７８９】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【０７９０】
また、無線端末装置２０２は、無線基地局装置１０１Ｂへパケットを送信し、無線基地局装置１０１Ｂは、当該対象パケットをＳ−ＧＷ１６１Ｂへ送信する。
【０７９１】
次に、無線基地局装置１０１Ｂは、無線端末装置２０２からＲＲＣコネクション再構成完了通知を受信して、ＭＭＥ１６２Ｂへハンドオーバ完了通知を送信する（ステップＳ５６４）。このハンドオーバ完了通知に、Ｓ−ＧＷ１６１Ｂに対するパス切り替え要求が含まれる。
【０７９２】
次に、ＭＭＥ１６２Ｂは、無線基地局装置１０１Ｂから受信したハンドオーバ完了通知をＭＭＥ１６２Ａへ転送する（ステップＳ５６５）。
【０７９３】
次に、ＭＭＥ１６２Ａは、ＭＭＥ１６２Ｂから受信したハンドオーバ完了通知に対するハンドオーバ完了通知応答をＭＭＥ１６２Ｂへ送信する（ステップＳ５６６）。
【０７９４】
次に、ＭＭＥ１６２Ｂは、上記パス切り替え要求を含むベアラ変更要求をＳ−ＧＷ１６１Ｂへ送信する（ステップＳ５６７）。
【０７９５】
そして、Ｓ−ＧＷ１６１Ｂは、ＭＭＥ１６２Ｂからベアラ変更要求を受信して、パスすなわち論理的な通信経路の切り替え処理を行なう、すなわち、当該無線端末装置２０２宛の対象パケットの送信先を無線基地局装置１０１Ａから無線基地局装置１０１Ｂへ切り替える。
【０７９６】
次に、Ｓ−ＧＷ１６１Ｂは、ベアラ変更要求に対する、パス切り替え応答を含むベアラ変更応答をＭＭＥ１６２Ｂへ送信する（ステップＳ５６８）。
【０７９７】
そして、Ｓ−ＧＷ１６１Ａは、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。
【０７９８】
また、無線基地局装置１０１Ｂは、無線基地局装置１０１Ａを経由していないＳ−ＧＷ１６１Ｂからの対象パケットの無線端末装置２０２への送信を保留し、蓄積しておく。
【０７９９】
そして、無線基地局装置１０１Ａは、Ｓ−ＧＷ１６１Ａから受信したエンドマーカ付きの対象パケットをＳ−ＧＷ１６１ＡおよびＳ−ＧＷ１６１Ｂ経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【０８００】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１Ｂからの対象パケットの無線端末装置２０２への送信を開始する。
【０８０１】
次に、ＭＭＥ１６２Ａは、Ｐ−ＧＷ１６３と無線基地局装置１０１Ａとの間の通信経路の削除をＳ−ＧＷ１６１Ａへ要求する（ステップＳ５６９）。
【０８０２】
次に、ＭＭＥ１６２Ａは、端末情報解放指示を無線基地局装置１０１Ａへ送信する（ステップＳ５７０）。
【０８０３】
次に、無線基地局装置１０１Ａは、ＭＭＥ１６２Ａから端末情報解放指示を受信して、無線端末装置２０２に関する情報を解放し、ＭＭＥ１６２Ａへ端末情報解放完了通知を送信する（ステップＳ５７１）。
【０８０４】
次に、Ｓ−ＧＷ１６１Ａは、ＭＭＥ１６２Ａから通信経路の削除要求を受信して、Ｐ−ＧＷ１６３と無線基地局装置１０１Ａとの間の通信経路を削除し、通信経路の削除応答をＭＭＥ１６２Ａへ送信する（ステップＳ５７２）。
【０８０５】
次に、ＭＭＥ１６２Ａは、無線基地局装置１０１Ａから端末情報解放完了通知を受信すると、Ｓ−ＧＷ１６１Ａと無線基地局装置１０１Ａとの間の論理的な通信経路、すなわちデータフォワーディングパスの削除をＳ−ＧＷ１６１Ａへ要求する（ステップＳ５７３）。
【０８０６】
次に、Ｓ−ＧＷ１６１Ａは、データフォワーディングパスの削除要求を受信すると、Ｓ−ＧＷ１６１Ａと無線基地局装置１０１Ａとの間の論理的な通信経路の削除を行い、データフォワーディングパスの削除応答をＭＭＥ１６２Ａへ送信する（ステップＳ５７４）。
【０８０７】
次に、ＭＭＥ１６２Ｂは、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路、すなわちデータフォワーディングパスの削除をＳ−ＧＷ１６１Ｂへ要求する（ステップＳ５７５）。
【０８０８】
次に、Ｓ−ＧＷ１６１Ｂは、データフォワーディングパスの削除要求を受信すると、Ｓ−ＧＷ１６１ＡとＳ−ＧＷ１６１Ｂとの間の論理的な通信経路およびＳ−ＧＷ１６１Ｂと無線基地局装置１０１Ｂとの間の論理的な通信経路の削除を行い、データフォワーディングパスの削除応答をＭＭＥ１６２Ｂへ送信する（ステップＳ５７６）。
【０８０９】
（ｉｉ）実行条件が満たされない場合
図６０は、本発明の第３の実施の形態に係る無線通信システムにおいて、ハンドオーバ動作の実行条件が満たされない状況におけるハンドオーバ動作のシーケンスである。
【０８１０】
図６０を参照して、ステップＳ５８１からステップＳ５９６までの動作は、図５９に示すステップＳ５４１からステップＳ５５６までの動作と同様であるため、ここでは詳細な説明を繰り返さない。
【０８１１】
次に、無線基地局装置１０１Ａは、ＭＭＥ１６２Ａからハンドオーバ指示を受信すると、自己および無線端末装置２０２間の通信品質が所定のハンドオーバ実行条件を満たしているか否かを判断する。そして、通信品質がハンドオーバ実行条件を満たさない場合には、無線基地局装置１０１Ａは、当該無線端末装置２０２のハンドオーバ動作を実行すべきでなく、準備処理の行われたハンドオーバ動作を中止すべきであると判断する（ステップＳ５９７）。
【０８１２】
次に、無線基地局装置１０１Ａは、ＭＭＥ１６２Ａへハンドオーバ中止通知を送信する（ステップＳ５９８）。
【０８１３】
次に、ＭＭＥ１６２Ａは、無線基地局装置１０１Ａから受信したハンドオーバ中止通知をＭＭＥ１６２Ｂへ転送する（ステップＳ５９９）。
【０８１４】
次に、ＭＭＥ１６２Ｂは、ハンドオーバ中止通知を受信すると、端末情報解放指示を無線基地局装置１０１Ｂへ送信する（ステップＳ６００）。
【０８１５】
次に、無線基地局装置１０１Ｂは、ＭＭＥ１６２Ｂから端末情報解放指示を受信して、無線端末装置２０２に関する情報を解放し、ＭＭＥ１６２Ｂへ端末情報解放完了通知を送信する（ステップＳ６０１）。
【０８１６】
次に、ＭＭＥ１６２Ｂは、Ｐ−ＧＷ１６３と無線基地局装置１０１Ｂとの間の通信経路の削除をＳ−ＧＷ１６１Ｂへ要求する（ステップＳ６０２）。
【０８１７】
次に、Ｓ−ＧＷ１６１Ｂは、ＭＭＥ１６２Ｂから通信経路の削除要求を受信して、Ｐ−ＧＷ１６３と無線基地局装置１０１Ｂとの間の通信経路を削除し、通信経路の削除応答をＭＭＥ１６２Ｂへ送信する（ステップＳ６０３）。
【０８１８】
次に、ＭＭＥ１６２Ｂは、無線基地局装置１０１Ｂから端末情報解放完了通知を受信すると、ハンドオーバ中止応答をＭＭＥ１６２Ａへ送信する（ステップＳ６０４）。
【０８１９】
次に、ＭＭＥ１６２Ａは、ＭＭＥ１６２Ｂから受信したハンドオーバ中止応答を無線基地局装置１０１Ａへ送信する（ステップＳ６０５）。
【０８２０】
そして、ステップＳ６０６からステップＳ６０９までの動作が実行される。これらステップＳ６０６からステップＳ６０９までの動作は、図５９に示すステップＳ５７３からステップＳ５７６までの動作と同様であるため、ここでは詳細な説明を繰り返さない。
【０８２１】
なお、図５３、図５４、図５６、図５７、図５９および図６０に示すシーケンスにおける無線基地局装置１０１Ａおよび無線端末装置２０２間の通信品質として、ＣＱＩレポートの値を利用してもよい。
【０８２２】
ところで、非特許文献１に記載されるような不適切なハンドオーバ動作が行なわれると、無線通信システムにおいて、通信断および通信トラフィックの増大等、種々の問題が生じる。
【０８２３】
これに対して、本発明の第３の実施の形態に係る無線通信システム４０１では、無線基地局装置１０１Ａは、自己から無線基地局装置１０１Ｂへの無線端末装置２０２のハンドオーバ動作を行うハンドオーバ要求を対応のＭＭＥ１６２Ａへ送信する。また、ＭＭＥ１６２Ａは、ハンドオーバ要求の示すハンドオーバ先の無線基地局装置１０１Ｂが自己の管理対象でない場合には、無線基地局装置１０１Ｂを管理するＭＭＥ１６２Ｂへハンドオーバ要求を送信する。また、ＭＭＥ１６２Ｂは、受信したハンドオーバ要求を無線基地局装置１０１Ｂへ送信し、無線基地局装置１０１Ｂからハンドオーバ要求に対する応答を受信するとＭＭＥ１６２Ａに応答を送信する。また、ＭＭＥ１６２Ａは、ＭＭＥ１６２Ｂから応答を受信して、無線基地局装置１０１Ａへハンドオーバ指示を送信する。無線基地局装置１０１Ａは、ハンドオーバ指示を受信して、無線端末装置２０２との間の通信品質に関する所定の実行条件が満たされているか否かを判断し、実行条件が満たされていない場合には、無線端末装置２０２に対するハンドオーバ動作を行うための指示の付与を中止するかまたは保留する。
【０８２４】
このような構成により、無線基地局装置１０１Ａを管理するＭＭＥ１６２Ａと、無線基地局装置１０１Ｂを管理するＭＭＥ１６２Ｂとが異なる場合であっても、ハンドオーバ動作の実行判断に先立ってハンドオーバ動作の準備処理を完了しておくことができるため、たとえば無線端末装置２０２によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置２０２によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な無線通信システムを構築することができる。したがって、無線端末装置２０２のハンドオーバ動作を適切に制御することにより、通信の安定化を図ることができる。
【０８２５】
また、本発明の第３の実施の形態に係る無線通信システム４０１では、無線基地局装置１０１Ａは、無線端末装置２０２との間の通信品質に関する所定の準備条件が満たされる場合に、ハンドオーバ要求を無線基地局装置１０１Ｂに対して送信し、準備条件の示す通信品質は、実行条件の示す通信品質と比べて良い品質である。
【０８２６】
このような構成により、ハンドオーバ動作の実行判断の基準となる通信品質よりも緩やかな条件で前もってハンドオーバ動作の準備処理を行なうことができる。また、ＭＭＥ１６２の切り替えのために必要な情報の送受信を、ハンドオーバ動作の準備処理として前もって行うことにより、ハンドオーバ動作に要する時間を大幅に短縮することができる。
【０８２７】
また、本発明の第３の実施の形態に係る無線通信システム４０２では、無線基地局装置１０１Ａは、自己から無線基地局装置１０１Ｂへの無線端末装置２０２のハンドオーバ動作を行うハンドオーバ要求をＭＭＥ１６２へ送信する。また、ＭＭＥ１６２は、無線基地局装置１０１Ａと上位ネットワークとの間に接続されているＳ−ＧＷ１６１Ａと、無線基地局装置１０１Ｂと上位ネットワークとの間に接続されているＳ−ＧＷ１６１Ｂとが異なる場合には、通信経路作成要求をＳ−ＧＷ１６１Ｂへ送信する。また、Ｓ−ＧＷ１６１Ｂは、通信経路作成要求を受信すると、上位ネットワークから送信される無線端末装置２０２宛の通信データおよび無線端末装置２０２から送信される上位ネットワークへの通信データを中継可能とする通信経路を作成し、通信経路作成要求に対する通信経路作成応答をＭＭＥ１６２へ送信する。また、ＭＭＥ１６２は、通信経路作成応答を受信すると、無線基地局装置１０１Ｂへハンドオーバ要求を送信し、無線基地局装置１０１Ｂからハンドオーバ要求に対する応答を受信すると無線基地局装置１０１Ａへハンドオーバ指示を送信する。また、無線基地局装置１０１Ａは、ハンドオーバ指示を受信して、無線端末装置２０２との間の通信品質に関する所定の実行条件が満たされているか否かを判断し、実行条件が満たされていない場合には、無線端末装置２０２に対するハンドオーバ動作を行うための指示の付与を中止するかまたは保留する。
【０８２８】
このような構成により、無線基地局装置１０１Ａと上位ネットワークとの間に接続されているＳ−ＧＷ１６１Ａと、無線基地局装置１０１Ｂと上位ネットワークとの間に接続されているＳ−ＧＷ１６１Ｂとが異なる場合であっても、ハンドオーバ動作の実行判断に先立ってハンドオーバ動作の準備処理を完了しておくことができるため、たとえば無線端末装置２０２によるハンドオーバのタイミングが遅すぎる”Ｔｏｏ  Ｌａｔｅ  ＨＯ”を抑制することができる。また、ハンドオーバ動作のパラメータの調整を行なう場合と異なり、”Ｔｏｏ  Ｌａｔｅ  ＨＯ”を抑制しても、無線端末装置２０２によるハンドオーバのタイミングが早すぎる”Ｔｏｏ  Ｅａｒｌｙ  ＨＯ”の発生確率の上昇を防ぐことができる。すなわち、不適切なハンドオーバ動作を抑制し、良好な無線通信システムを構築することができる。したがって、無線端末装置２０２のハンドオーバ動作を適切に制御することにより、通信の安定化を図ることができる。
【０８２９】
また、本発明の第３の実施の形態に係る無線通信システム４０２では、無線基地局装置１０１Ａは、無線端末装置２０２との間の通信品質に関する所定の準備条件が満たされる場合に、前記ハンドオーバ要求をＭＭＥ１６２へ送信し、準備条件の示す通信品質は、実行条件の示す通信品質と比べて良い品質である。
【０８３０】
このような構成により、ハンドオーバ動作の実行判断の基準となる通信品質よりも緩やかな条件で前もってハンドオーバ動作の準備処理を行なうことができる。また、Ｓ−ＧＷ１６１の切り替えのために必要な情報の送受信を、ハンドオーバ動作の準備処理として前もって行うことにより、ハンドオーバ動作に要する時間を大幅に短縮することができる。
【０８３１】
＜第４の実施の形態＞
上述した第２の実施の形態では、ハンドオーバ動作において無線端末装置２０２の通信接続先が無線基地局装置１０１Ａから無線基地局装置１０１Ｂへ切り替わる場合について説明した。これに対して、第４の実施の形態では、切り替え先すなわちハンドオーバ先の候補が無線基地局装置１０１Ｂだけでなく複数存在する場合について説明する。以下で説明する内容以外は第２の実施の形態に係る無線基地局装置と同様である。
【０８３２】
（ａ）ハンドオーバ先の候補が複数存在する場合における課題
まず、ハンドオーバ先の候補である無線基地局装置が複数存在する場合における課題について説明する。図６１は、ハンドオーバ先の候補である無線基地局装置が複数存在する状況の一例を説明するための図であり、図６２は、図６１に示す状況におけるハンドオーバ動作のシーケンスの一例を示す図である。
【０８３３】
図６１を参照して、無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【０８３４】
ここでは、無線端末装置２０２が、セルＣＡ内に位置し、無線基地局装置１０１Ａを通信接続先として選択してから、セルＣＡ、セルＣＢおよびセルＣＣの重複領域へ移動した場合を想定する。すなわち、無線基地局装置１０１Ａがサービング基地局に相当し、無線基地局装置１０１Ｂ，１０１Ｃが周辺基地局に相当し、これら無線基地局装置１０１Ｂ，１０１Ｃがハンドオーバ先の候補である無線基地局装置に該当する場合を想定する。
【０８３５】
図６２を参照して、まず、無線端末装置２０２は、受信電力の測定結果を示す測定結果通知を無線基地局装置１０１Ａへ送信する。この測定結果には、周辺セルの無線基地局装置１０１Ｂ，１０１Ｃから送信される無線信号の受信電力の測定結果および無線基地局装置１０１Ｂ，１０１ＣのセルＩＤが含まれている（ステップＳ６１１）。
【０８３６】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバの準備処理を行なうべきであると判断する。
【０８３７】
このとき、無線基地局装置１０１Ｂから送信される無線信号に関する測定結果および無線基地局装置１０１Ｃから送信される無線信号に関する測定結果が、いずれもハンドオーバ準備条件を満たす場合がある。このような場合、無線基地局装置１０１Ａは、ハンドオーバ先の候補である無線基地局装置１０１Ｂ，１０１Ｃのうち無線端末装置２０２との間の通信品質がより良い方をハンドオーバ先の無線基地局装置として選択する（ステップＳ６１２）。
【０８３８】
次に、ステップＳ６１２において例えば無線基地局装置１０１Ｂがハンドオーバ先として選択された場合、無線基地局装置１０１Ａは、無線基地局装置１０１Ｂを示すハンドオーバ要求を上位装置であるＭＭＥ（Mobility  Management  Entity）１６２へ送信する（ステップＳ６１３）。
【０８３９】
次に、ＭＭＥ１６２は、無線基地局装置１０１Ａからハンドオーバ要求を受信して、無線基地局装置１０１Ｂへ当該ハンドオーバ要求を送信する（ステップＳ６１４）。
【０８４０】
次に、無線基地局装置１０１Ｂは、ＭＭＥ１６２からハンドオーバ要求を受信して、ＭＭＥへ当該ハンドオーバ要求に対するハンドオーバ応答を送信する（ステップＳ６１５）。
【０８４１】
次に、ＭＭＥ１６２は、無線基地局装置１０１Ｂからハンドオーバ応答を受信して、無線基地局装置１０１Ａへハンドオーバ指示を送信する（ステップＳ６１６）。上記のようにして、ハンドオーバ動作の準備処理が完了する（ステップＳ６１７）。
【０８４２】
次に、無線端末装置２０２は、新たな測定結果通知を無線基地局装置１０１Ａへ送信する（ステップＳ６１８）。
【０８４３】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する（ステップＳ６１９）。
【０８４４】
そして、ステップＳ６２０からステップＳ６２６までの動作が実行される。これらステップＳ６２０からステップＳ６２６までの動作は、図４１に示すステップＳ３１４からステップＳ３２０までの動作と同様であるため、ここでは詳細な説明を繰り返さない。
【０８４５】
図６３は、ハンドオーバ先の候補である無線基地局装置が複数存在する状況の一例における課題を説明するための図であり、図６４は、図６３に示す状況におけるハンドオーバ動作のシーケンスの一例を示す図である。
【０８４６】
図６３を参照して、無線端末装置２０２がセルＣＡ、セルＣＢおよびセルＣＣの重複領域内に位置し、無線端末装置２０２との間の通信品質が最も良い無線基地局装置１０１Ｂへのハンドオーバ動作の準備処理が完了した後に、無線端末装置２０２がセルＣＣ内へ進入した場合を想定する。この場合、図６４に示すような動作が実行される。
【０８４７】
図６４を参照して、まず、ステップＳ６３１からステップＳ６３８までの動作が実行される。これらステップＳ６３１からステップＳ６３８までの動作は、図６２に示すステップＳ６１１からステップＳ６１８までの動作と同様であるため、ここでは詳細な説明を繰り返さない。
【０８４８】
次に、無線基地局装置１０１Ａは、無線端末装置２０２から受信した測定結果通知に基づいて通信品質を新たに取得する。このとき、無線端末装置２０２はセルＣＣ内へ進入しており、無線基地局装置１０１Ａにより新たに取得された無線基地局装置１０１Ｂおよび無線端末装置２０２間の通信品質は、所定のハンドオーバ実行条件を満たしていないとする。この場合、無線基地局装置１０１Ａは、無線端末装置２０２の無線基地局装置１０１Ｂへのハンドオーバ動作を中止すべきであると判断する（ステップＳ６３９）。
【０８４９】
次に、無線基地局装置１０１Ａは、ＭＭＥ１６２に対して無線基地局装置１０１Ｂへのハンドオーバ動作を中止するためのハンドオーバ中止通知を送信する（ステップＳ６４０）。そして、ＭＭＥ１６２は、無線基地局装置１０１Ｂからハンドオーバ中止通知を受信して、端末情報解放指示を無線基地局装置１０１Ｂへ送信する（ステップＳ６４１）。
【０８５０】
次に、無線基地局装置１０１Ｂは、ＭＭＥ１６２から端末情報解放指示を受信して、無線端末装置２０２に関する情報を解放し、ＭＭＥ１６２へ端末情報解放完了通知を送信する（ステップＳ６４２）。そして、ＭＭＥ１６２は、無線基地局装置１０１Ｂから端末情報解放完了通知を受信して、ハンドオーバ中止応答を無線基地局装置１０１Ａへ送信する（ステップＳ６４３）。
【０８５１】
次に、無線基地局装置１０１Ａは、新たに取得した測定結果に基づいて、ハンドオーバ先の無線基地局装置を選択する。このとき、無線端末装置２０２は、セルＣＣ内へ進入しているため、無線基地局装置１０１Ｃが新たにハンドオーバ先の無線基地局装置として選択される（ステップＳ６４４）。そして、再びハンドオーバ動作の準備処理（ステップＳ６４５からステップＳ６４９）が行われる。これらステップＳ６４５からステップＳ６４９までの動作は、図６２に示すステップＳ６１３からステップＳ６１７までの動作と同様であるため、ここでは詳細な説明を繰り返さない。
【０８５２】
このように、ある周辺基地局へのハンドオーバ動作の準備処理の完了後に無線端末装置２０２が移動することで、当該周辺基地局に関する無線端末装置２０２の電波状況が悪化する場合が考えられる。このような場合、ハンドオーバ動作の準備処理およびハンドオーバ動作の中止処理が繰り返される。
【０８５３】
（ｂ）本発明の第４の実施の形態に係る無線通信システム
次に、本発明の第４の実施の形態に係る無線通信システム４０４について、ハンドオーバ先の候補である無線基地局装置が複数あり、（ｉ）ハンドオーバ元の無線基地局装置１０１Ａがハンドオーバ先の無線基地局装置を選択する場合と、（ｉｉ）無線端末装置２０２がハンドオーバ先の無線基地局装置を選択する場合と、（ｉｉｉ）ハンドオーバ元の無線基地局装置１０１Ａがハンドオーバ先を選択する場合であって、無線端末装置２０２とサービング基地局との間の通信品質に関する所定の準備条件が満たされているか否かを判断する準備判断、および、周辺基地局へのハンドオーバ動作を実行するか否かを判断する実行判断においてＣＱＩレポートおよび受信電力情報の両方を用いる場合とに分けて説明する。
【０８５４】
再び図６１を参照して、本発明の第４の実施の形態では、無線端末装置２０２が、セルＣＡ内に位置し、無線基地局装置１０１Ａを通信接続先として選択してから、セルＣＡ、セルＣＢおよびセルＣＣの重複領域へ移動した状況において、無線基地局装置１０１Ｂ，１０１Ｃがハンドオーバ動作の準備条件を満たしている場合を想定する。
【０８５５】
（ｉ）ハンドオーバ元の無線基地局装置がハンドオーバ先を選択する場合
［構成および基本動作］
図６５は、本発明の第４の実施の形態に係る無線通信システムの構成を示す図である。
【０８５６】
図６５を参照して、本発明の第４の実施の形態に係る無線通信システム４０４は、たとえば３ＧＰＰで規格化されたＬＴＥ（Long Term Evolution）に従う移動体通信システムであり、無線基地局装置１０１Ａ，１０１Ｂ，１０１Ｃを備える。図６５では、３つの無線基地局装置を代表的に示しているが、さらに多数の無線基地局装置が設けられてもよい。無線通信システム４０４は、さらに、コアネットワーク３０１に設けられたＳ−ＧＷ（Serving Gateway）１６１（ゲートウェイ装置）と、ＭＭＥ（Mobility  Management  Entity）１６２（通信制御装置）と、Ｐ−ＧＷ（Packet Data Network Gateway）１６３とを含む。
【０８５７】
無線端末装置２０２は、無線基地局装置１０１Ａ，１０１Ｂ，１０１Ｃと、Ｓ−ＧＷ１６１と、Ｐ−ＧＷ１６３とを介してＩＰ網３０２におけるサーバ等と通信コネクションを確立し、たとえばＩＰ（Internet Protocol）パケットを含む通信データを送受信する。
【０８５８】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【０８５９】
ＭＭＥ１６２は、無線通信システム４０１における無線基地局装置１０１Ａ，１０１Ｂ，１０１Ｃ、および無線端末装置２０２等を管理する。ＭＭＥ１６２は、無線基地局装置１０１Ａ，１０１Ｂ，１０１Ｃとの間で制御メッセージを送受信する。
【０８６０】
無線基地局装置１０１Ａ，１０１Ｂ，１０１Ｃは、Ｓ−ＧＷ１６１およびＰ−ＧＷ１６３を介してＩＰ網３０２との間で通信データを送受信する。
【０８６１】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０８６２】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０８６３】
ＭＭＥ１６２およびＳ−ＧＷ１６１は、論理的なインタフェースであるＳ１１インタフェースに従う通信データを互いに送受信することにより、Ｓ１１インタフェース経由で種々の情報を互いにやりとりする。
【０８６４】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０８６５】
（無線基地局装置の詳細な構成）
また、無線通信システム４０４の無線基地局装置１０１Ａ，１０１Ｂ，１０１Ｃは、いずれも本発明の第１の実施の形態に係る無線基地局装置１０１と同様である。すなわち、図１９を参照して、無線基地局装置１０１Ａ，１０１Ｂ，１０１Ｃは、アンテナ９１と、サーキュレータ９２と、無線受信部９３と、無線送信部９４と、信号処理部９５と、制御部９８とを含む。
【０８６６】
また、無線通信システム４０４の無線基地局装置１０１Ａ，１０１Ｂ，１０１Ｃの制御部９８は、いずれも本発明の第２の実施の形態に係る無線基地局装置の制御部９８と同様である。すなわち、図４０を参照して、無線基地局装置１０１Ａ，１０１Ｂ，１０１Ｃの制御部９８は、ハンドオーバ要求部２１と、ハンドオーバ指示部２２と、ハンドオーバ条件調整部２３と、ハンドオーバ情報取得部２４と、端末測定結果取得部２５とを有する。
【０８６７】
ハンドオーバ要求部２１は、ハンドオーバ要求を複数の他の無線基地局装置へ送信する。たとえば、無線基地局装置１０１Ａのハンドオーバ要求部２１は、無線端末装置２０２と無線基地局装置１０１Ｂ，１０１Ｃとの間でハンドオーバの準備条件が満たされている場合、無線基地局装置１０１Ｂ，１０１Ｃの双方に対してハンドオーバ要求を送信する。
【０８６８】
ハンドオーバ指示部２２は、ハンドオーバ要求に対する他の無線基地局装置からの応答を受けて、この応答に対応する他の無線基地局装置の中からハンドオーバ先の無線基地局装置を選択する。たとえば、無線基地局装置１０１Ａのハンドオーバ要求部２１が無線基地局装置１０１Ｂ，１０１Ｃへハンドオーバ要求を送信し、無線基地局装置１０１Ｂ，１０１Ｃが無線基地局装置１０１Ａへハンドオーバ動作の実行が可能であることを示す応答を送信した場合、無線基地局装置１０１Ａのハンドオーバ指示部２２は、無線基地局装置１０１Ｂ，１０１Ｃをハンドオーバ先の候補として、これら無線基地局装置１０１Ｂ，１０１Ｃの中からハンドオーバ先の無線基地局装置を選択する。
【０８６９】
具体的には、ハンドオーバ指示部２２は、無線基地局装置１０１Ｂ，１０１Ｃから送信される無線信号の無線端末装置２０２における受信電力の測定結果を取得して、この測定結果に基づいて、無線端末装置２０２との間の通信状態が良い方の無線基地局装置をハンドオーバ先の無線基地局装置として選択する。
【０８７０】
また、ハンドオーバ指示部２２は、選択したハンドオーバ先の無線基地局装置へのハンドオーバ動作を指示するためのＲＲＣコネクション再構成指示を、無線端末装置２０２へ送信する。
【０８７１】
また、ハンドオーバ指示部２２は、本発明の第２の実施の形態と同様に、上記応答を受けて、自己の無線基地局装置１０１Ａ，１０１Ｂ，１０１Ｃおよび無線端末装置２０２間の通信品質に関するハンドオーバ実行条件が満たされていない場合には、無線端末装置２０２に対する上記指示の付与を中止するかまたは保留する。たとえば、ハンドオーバ指示部２２は、所定のハンドオーバ実行条件が満たされていない場合には、無線端末装置２０２に対してＲＲＣコネクション再構成指示を送信せず、ハンドオーバ中止通知を他の無線基地局装置へ送信する。
【０８７２】
また、ハンドオーバ指示部２２は、無線基地局装置１０１Ｂ，１０１Ｃから上記応答を受信した後、所定期間取得できない測定結果に対応する他の無線基地局装置を、ハンドオーバ先の候補から外すことが可能である。
【０８７３】
すなわち、たとえば、無線端末装置２０２により受信電力の測定が行われ、無線基地局装置１０１Ｂ，１０１Ｃへのハンドオーバ動作の準備が開始されてから、次に上記測定が行われるまでの間に、無線端末装置２０２が、無線基地局装置１０１Ｃとの間の受信電力を測定することができない程度に無線基地局装置１０１Ｃから離れた位置へ移動する場合を想定する。この場合、無線基地局装置１０１Ａが、上記応答を受信してから所定期間内に無線端末装置２０２から受信する測定結果通知には、無線基地局装置１０１Ｂと無線端末装置２０２との通信状態を示す受信電力の測定結果に関する情報が含まれているものの、無線基地局装置１０１Ｃと無線端末装置２０２との通信状態を示す受信電力の測定結果に関する情報が含まれていないということがある。このような場合、ハンドオーバ指示部２２は、無線基地局装置１０１Ｃをハンドオーバ先の候補から外すことができる。
【０８７４】
また、ハンドオーバ指示部２２は、ハンドオーバ動作が完了した後、上記応答に対応する他の無線基地局装置のうちハンドオーバ先の無線基地局装置以外の他の無線基地局装置へハンドオーバ動作の中止通知を送信する。
【０８７５】
すなわち、たとえば、無線基地局装置１０１Ａのハンドオーバ要求部２１が無線基地局装置１０１Ｂ，１０１Ｃへハンドオーバ要求を送信し、無線基地局装置１０１Ｂ，１０１Ｃが無線基地局装置１０１Ａへハンドオーバ動作の実行が可能であることを示す応答を送信した場合であって、ハンドオーバ指示部２２が、ハンドオーバ先として無線基地局装置１０１Ｂを選択する場合を想定する。この場合、無線基地局装置１０１Ａが、たとえば上位装置経由で無線基地局装置１０１Ｂからハンドオーバが完了したことを示す通知を受信すると、無線基地局装置１０１Ａのハンドオーバ指示部２２は、ハンドオーバ先ではない無線基地局装置１０１Ｃへハンドオーバ動作の中止通知を送信する。
【０８７６】
［動作］
次に、本発明の第４の実施の形態に係る無線通信システム４０４において、ハンドオーバ元の無線基地局装置１０１Ａがハンドオーバ先を選択する場合におけるハンドオーバ動作の流れについて説明する。図６６は、本発明の第４の実施の形態に係る無線通信システムにおいて、ハンドオーバ元の無線基地局装置がハンドオーバ先を選択する場合におけるハンドオーバ動作のシーケンスである。
【０８７７】
図６６を参照して、まず、無線端末装置２０２は、受信電力の測定結果を示す測定結果通知を無線基地局装置１０１Ａへ送信する。この測定結果通知には、周辺セルの無線基地局装置１０１Ｂ，１０１Ｃから送信される無線信号の受信電力の測定結果が含まれている（ステップＳ６５１）。
【０８７８】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバ動作の準備処理を行なうべきであると判断する。
【０８７９】
このとき、無線基地局装置１０１Ｂから送信される無線信号に関する測定結果および無線基地局装置１０１Ｃから送信される無線信号に関する測定結果が、いずれもハンドオーバ準備条件を満たす場合がある。このような場合、無線基地局装置１０１Ａは、無線基地局装置１０１Ｂおよび無線基地局装置１０１Ｃをハンドオーバ先の候補とする（ステップＳ６５２）。
【０８８０】
次に、無線基地局装置１０１Ａは、無線基地局装置１０１Ｂを示すハンドオーバ要求をＭＭＥ１６２へ送信する（ステップＳ６５３）。また、無線基地局装置１０１Ａは、無線基地局装置１０１Ｃを示すハンドオーバ要求をＭＭＥ１６２へ送信する（ステップＳ６５４）。
【０８８１】
次に、ＭＭＥ１６２は、無線基地局装置１０１Ａからハンドオーバ要求を受信して、無線基地局装置１０１Ｂへ当該ハンドオーバ要求を送信する（ステップＳ６５５）。また、ＭＭＥ１６２は、無線基地局装置１０１Ａからハンドオーバ要求を受信して、無線基地局装置１０１Ｃへ当該ハンドオーバ要求を送信する（ステップＳ６５６）。
【０８８２】
次に、無線基地局装置１０１Ｂは、ＭＭＥ１６２からハンドオーバ要求を受信して、ＭＭＥ１６２へ当該ハンドオーバ要求に対するハンドオーバ応答を送信する（ステップＳ６５７）。また、無線基地局装置１０１Ｃは、ＭＭＥ１６２からハンドオーバ要求を受信して、ＭＭＥ１６２へ当該ハンドオーバ要求に対するハンドオーバ応答を送信する（ステップＳ６５８）。
【０８８３】
次に、ＭＭＥ１６２は、無線基地局装置１０１Ｂからハンドオーバ応答を受信して、無線基地局装置１０１Ａへ無線基地局装置１０１Ｂをハンドオーバ先とするハンドオーバ指示を送信する（ステップＳ６５９）。また、ＭＭＥ１６２は、無線基地局装置１０１Ｃからハンドオーバ応答を受信して、無線基地局装置１０１Ａへ無線基地局装置１０１Ｃをハンドオーバ先とするハンドオーバ指示を送信する（ステップＳ６６０）。上記のようにして、無線基地局装置１０１Ｂ，１０１Ｃへのハンドオーバ動作の準備処理が完了する（ステップＳ６６１）。
【０８８４】
次に、無線端末装置２０２は、新たな測定結果通知を無線基地局装置１０１Ａへ送信する（ステップＳ６６２）。
【０８８５】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する。
【０８８６】
このとき、無線基地局装置１０１Ａは、ハンドオーバ動作の準備処理が完了している無線基地局装置１０１Ｂ，１０１Ｃの中から、例えば無線端末装置２０２との間の通信品質がより良い方をハンドオーバ先の無線基地局装置として選択する。第４の実施の形態では、無線基地局装置１０１Ｂが選択される場合を想定する（ステップＳ６６３）。
【０８８７】
次に、無線基地局装置１０１Ａは、当該無線端末装置２０２へ、無線基地局装置１０１Ｂをハンドオーバ先とするＲＲＣコネクション再構成指示を送信する（ステップＳ６６４）。
【０８８８】
次に、無線基地局装置１０１Ａは、ＭＭＥ１６２へ自己の通信状態等を示す状態通知を送信する（ステップＳ６６５）。
【０８８９】
次に、ＭＭＥ１６２は、無線基地局装置１０１Ａから状態通知を受信して、無線基地局装置１０１Ｂへ無線端末装置２０２との通信内容等を示す状態通知を送信する（ステップＳ６６６）。
【０８９０】
また、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ６６７）。
【０８９１】
次に、無線基地局装置１０１Ｂは、無線端末装置２０２からＲＲＣコネクション再構成完了通知を受信して、ＭＭＥ１６２へハンドオーバ完了通知を送信する（ステップＳ６６８）。
【０８９２】
次に、ＭＭＥ１６２は、無線基地局装置１０１Ｂからハンドオーバ完了通知を受信して、端末情報解放指示を無線基地局装置１０１Ａへ送信する（ステップＳ６６９）。
【０８９３】
次に、無線基地局装置１０１Ａは、ＭＭＥ１６２から端末情報解放指示を受信して、ハンドオーバ先として選択された無線基地局装置１０１Ｂ以外の無線基地局装置、すなわち無線基地局装置１０１Ｃへのハンドオーバ動作を中止するためのハンドオーバ中止通知をＭＭＥ１６２へ送信する（ステップＳ６７０）。
【０８９４】
次に、ＭＭＥ１６２は、無線基地局装置１０１Ａからハンドオーバ中止通知を受信して、端末情報解放指示を無線基地局装置１０１Ｃへ送信する（ステップＳ６７１）。
【０８９５】
次に、無線基地局装置１０１Ｃは、ＭＭＥ１６２から端末情報解放指示を受信して、無線端末装置２０２に関する情報を解放し、ＭＭＥ１６２へ端末情報解放完了通知を送信する（ステップＳ６７２）。
【０８９６】
そして、ＭＭＥ１６２は、無線基地局装置１０１Ｃから端末情報解放完了通知を受信して、ハンドオーバ中止応答を無線基地局装置１０１Ａへ送信する（ステップＳ６７３）。
【０８９７】
次に、無線基地局装置１０１Ａは、ＭＭＥ１６２からハンドオーバ中止応答を受信して、無線端末装置２０２に関する情報を解放し、ＭＭＥ１６２へ端末情報解放完了通知を送信する（ステップＳ６７４）。
【０８９８】
なお、上述した動作の流れでは、無線基地局装置１０１Ｂへのハンドオーバ動作が完了し（ステップＳ６６８）、無線基地局装置１０１ＡがＭＭＥ１６２から端末情報解放指示を受信した（ステップＳ６６９）後に、無線基地局装置１０１ＡがＭＭＥ１６２へハンドオーバ中止通知を送信している（ステップＳ６７０）。しかしながら、必ずしもこのような動作の流れに限定されず、例えば、無線基地局装置１０１Ａは、無線基地局装置１０１Ｂへのハンドオーバ動作が完了する前に無線基地局装置１０１Ｃへのハンドオーバ動作中止通知をＭＭＥ１６２へ送信してもよい。この場合、例えば、ステップＳ６７０からステップＳ６７３までの動作が、ステップＳ６６７の前に行われる。
【０８９９】
このように、本発明の第４の実施の形態に係る無線通信システム４０４において、無線基地局装置１０１Ａ，１０１Ｂ，１０１Ｃのハンドオーバ要求部２１は、ハンドオーバ要求を複数の他の無線基地局装置に対して行う。
【０９００】
ある周辺基地局へのハンドオーバ動作の準備処理の完了後に無線端末装置２０２が移動することで、当該周辺基地局に関する無線端末装置２０２の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置２０２と無線基地局装置との間の通信が途切れることを防ぐことができる。
【０９０１】
また、上記のように、周辺基地局に関する無線端末装置２０２の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、無線通信システムにおける負荷を軽減させることができる。
【０９０２】
また、本発明の第４の実施の形態に係る無線通信システム４０４において、ハンドオーバ指示部２２は、ハンドオーバ応答を受信して、この応答に対応する他の無線基地局装置の中からハンドオーバ先の無線基地局装置を選択し、無線端末装置２０２に対してハンドオーバ先の無線基地局装置へのハンドオーバ動作を行う指示を与える。
【０９０３】
このように、ハンドオーバ先の無線基地局装置を選択したうえで無線端末装置２０２に対してハンドオーバ動作の指示を与える構成により、当該指示内に複数の無線基地局装置を提示する場合と比べて情報量を少なくすることができ、当該指示内容を簡潔にすることができる。
【０９０４】
また、本発明の第４の実施の形態に係る無線通信システム４０４において、ハンドオーバ指示部２２は、ハンドオーバ応答を受信した後、この応答に対応する他の無線基地局装置から送信される無線信号の無線端末装置２０２における受信電力の測定結果を取得して、この測定結果に基づいてハンドオーバ先の無線基地局装置を選択する。
【０９０５】
このような構成により、ハンドオーバ動作の準備完了後の無線端末装置２０２における電波環境に応じて、ハンドオーバ先として適切な無線基地局装置を選択することができる。
【０９０６】
また、本発明の第４の実施の形態に係る無線通信システム４０４において、ハンドオーバ指示部２２は、ハンドオーバ応答を受信した後、所定期間取得できない測定結果に対応する他の無線基地局装置をハンドオーバ先の候補から外す。
【０９０７】
このような構成により、たとえば、無線端末装置２０２が受信電力を測定できない程度に無線端末装置２０２との距離が離れてしまった無線基地局装置をハンドオーバ先の候補から外すことができるため、ハンドオーバ先として適切な無線基地局装置を選択することができる。
【０９０８】
また、本発明の第４の実施の形態に係る無線通信システム４０４において、ハンドオーバ指示部２２は、ハンドオーバ動作が完了した後、ハンドオーバ応答に対応する他の無線基地局装置のうちハンドオーバ先の無線基地局装置以外の他の無線基地局装置へハンドオーバ動作の中止要求を送信する。
【０９０９】
ここで、たとえば、ハンドオーバ先として選択された無線基地局装置以外の無線基地局装置へのハンドオーバ動作がハンドオーバ動作の完了前に中止された後、無線端末装置２０２が、当該中止対象の無線基地局装置に近づく方向に移動する場合、当該中止対象の無線基地局装置が最適なハンドオーバ先となることがある。この場合、当該中止対象の無線基地局装置へのハンドオーバ動作を再び行う必要がある。
【０９１０】
これに対して、無線通信システム４０４におけるハンドオーバ指示部２２は、上記のように、ハンドオーバ先として選択された無線基地局装置以外の無線基地局装置へのハンドオーバ動作を無線端末装置２０２のハンドオーバ動作が完了した後に中止する。これにより、ハンドオーバ動作が完了するまでの間に無線端末装置２０２が移動して電波状況が変わり、他の周辺基地局へのハンドオーバ動作が行われる場合であっても、再びハンドオーバ動作の準備処理を行う必要がない。
【０９１１】
（ｉｉ）無線端末装置がハンドオーバ先を選択する場合
［構成および基本動作］
次に、無線端末装置２０２が、複数のハンドオーバ先の候補からハンドオーバ先を選択する場合について説明する。ここでは、上述した「（ｉ）ハンドオーバ元の無線基地局装置がハンドオーバ先を選択する場合」における無線通信システム４０４と異なる点について説明する。
【０９１２】
（無線基地局装置の詳細な構成）
再び図１９を参照して、第４の実施の形態に係る無線通信システム４０５の無線基地局装置１０１Ａ，１０１Ｂ，１０１Ｃは、アンテナ９１と、サーキュレータ９２と、無線受信部９３と、無線送信部９４と、信号処理部９５と、制御部９８とを備える。
【０９１３】
また、無線通信システム４０５の無線基地局装置１０１Ａ，１０１Ｂ，１０１Ｃの制御部９８は、いずれも本発明の第２の実施の形態に係る無線基地局装置の制御部９８と同様である。すなわち、図４０を参照して、無線基地局装置１０１Ａ，１０１Ｂ，１０１Ｃの制御部９８は、ハンドオーバ要求部２１と、ハンドオーバ指示部２２と、ハンドオーバ条件調整部２３と、ハンドオーバ情報取得部２４と、端末測定結果取得部２５とを含む。
【０９１４】
ハンドオーバ指示部２２は、ハンドオーバ要求に対する他の無線基地局装置からの応答を受けて、この応答に対応する他の無線基地局装置をハンドオーバ先の候補とし、この候補である無線基地局装置を示す情報を無線端末装置２０２へ送信する。
【０９１５】
たとえば、無線基地局装置１０１Ａのハンドオーバ要求部２１が無線基地局装置１０１Ｂ，１０１Ｃへハンドオーバ要求を送信し、無線基地局装置１０１Ｂ，１０１Ｃが無線基地局装置１０１Ａへハンドオーバ動作の実行が可能であることを示す応答を送信した場合、無線基地局装置１０１Ａのハンドオーバ指示部２２は、無線基地局装置１０１Ｂ，１０１Ｃをハンドオーバ先の候補として、これら無線基地局装置１０１Ｂ，１０１Ｃへのハンドオーバ動作を指示するためのＲＲＣコネクション再構成指示を、無線端末装置２０２へ送信する。
【０９１６】
ここで、図６７は、ＲＲＣコネクション再構成指示のメッセージ構造の比較例を示す図であり、図６８は、本発明の第４の実施の形態に係る無線通信システムにおけるハンドオーバ要求部から送信されるＲＲＣコネクション再構成指示のメッセージ構造の一例を示す図である。
【０９１７】
図６７に示すように、たとえば、無線基地局装置１０１Ａがハンドオーバ先として無線基地局装置１０１Ｂを選択して、無線端末装置２０２へＲＲＣコネクション再構成指示を送信する場合には、無線基地局装置１０１Ａは、ＲＲＣコネクション再構成指示の「Mobility Control Info」に無線基地局装置１０１Ｂの情報のみを含める（図６７の「Info1」参照）。
【０９１８】
これに対して、無線端末装置２０２がハンドオーバ先の無線基地局装置を選択する場合には、たとえば図６８に示すように、無線基地局装置１０１Ａは、ＲＲＣコネクション再構成指示の「Mobility Control Info」に複数の無線基地局装置の情報（「Target Cell List」）を列挙して無線端末装置２０２へ送信する（図６８の「Info2」参照）。これにより、無線端末装置２０２は、受信したＲＲＣコネクション再構成指示から、ハンドオーバ先の候補である複数の無線基地局装置を把握することができる。
【０９１９】
そして、無線端末装置２０２が、ＲＲＣコネクション再構成指示を受信してハンドオーバ先の無線基地局装置を選択する。ハンドオーバ指示部２２は、無線端末装置２０２によって選択されたハンドオーバ先の無線基地局装置を示す情報を受信して、自己の無線基地局装置の通信状態を示す状態通知をハンドオーバ先の無線基地局装置へ送信する。
【０９２０】
（無線端末装置の詳細な構成）
図６９は、本発明の第４の実施の形態に係る無線通信システムの無線端末装置の構成を示す図である。
【０９２１】
図６９を参照して、無線通信システム４０５の無線端末装置２０２は、アンテナ３１と、サーキュレータ３２と、受信部３３と、送信部３４と、信号処理部３５とを備える。信号処理部３５は、受信信号処理部３６と、選択部３７と、通信制御部３８とを含む。
【０９２２】
サーキュレータ３２は、アンテナ３１において受信された無線基地局装置１０１Ａ，１０１Ｂ，１０１Ｃからの無線信号を受信部３３へ出力し、また、送信部３４から受けた無線信号をアンテナ３１へ出力する。
【０９２３】
受信部３３は、サーキュレータ３２から受けた無線信号を信号処理部３５へ出力する。受信信号処理部３６は、受信部３３から出力される無線信号に対して、ＣＤＭＡ（Code Division Multiple Access）方式における逆拡散等の各種信号処理を行う。
【０９２４】
選択部３７は、たとえば、無線端末装置２０２の通信接続先である無線基地局装置１０１Ａ，１０１Ｂ，１０１Ｃから受信したＲＲＣコネクション再構成指示に基づいて、ハンドオーバ先の候補である無線基地局装置の中からハンドオーバ先の無線基地局装置を選択する。
【０９２５】
具体的には、無線端末装置２０２の選択部３７は、無線基地局装置１０１Ｂ，１０１Ｃから送信される無線信号の無線端末装置２０２における受信電力の測定結果を取得して、この測定結果に基づいて、無線端末装置２０２との間の通信状態が良い方の無線基地局装置をハンドオーバ先の無線基地局装置として選択する。
【０９２６】
通信制御部３８は、選択部３７により選択されたハンドオーバ先の無線基地局装置を示す情報または自ら生成した情報に対して、ＯＦＤＭ（Orthogonal Frequency Division Multiplex）方式におけるＩＦＦＴ（Inverse Fast Fourier Transform）等の各種信号処理を行ない、この信号処理後の信号を送信部３４へ出力する。
【０９２７】
送信部３４は、通信制御部３８から受けた信号をサーキュレータ３２へ出力する。たとえば、送信部３４は、選択部３７により選択されたハンドオーバ先の無線基地局装置を示す情報、すなわちハンドオーバ先通知をサーキュレータ３２およびアンテナ３１を介して、無線端末装置２０２の通信接続先である無線基地局装置１０１Ａへ送信する。
【０９２８】
［動作］
次に、本発明の第４の実施の形態に係る無線通信システム４０５において、無線端末装置２０２がハンドオーバ先を選択する場合におけるハンドオーバ動作の流れについて説明する。図７０は、本発明の第４の実施の形態に係る無線通信システムにおいて、無線端末装置がハンドオーバ先を選択する場合におけるハンドオーバ動作のシーケンスである。
【０９２９】
図７０を参照して、ステップＳ６８１からステップＳ６９２までの動作が実行される。これらステップＳ６８１からステップＳ６９２までの動作は、図６６に示すステップＳ６５１からステップＳ６６２までの動作と同様であるため、ここでは詳細な説明を繰り返さない。
【０９３０】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する（ステップＳ６９３）。
【０９３１】
次に、無線基地局装置１０１Ａは、測定結果通知に基づいてハンドオーバ先の候補として判断した無線基地局装置１０１Ｂ，１０１Ｃへのハンドオーバ動作を無線端末装置２０２へ指示するため、ＲＲＣコネクション再構成指示を無線端末装置２０２へ送信する（ステップＳ６９４）。
【０９３２】
次に、無線端末装置２０２は、無線基地局装置１０１Ａから無線基地局装置１０１Ｂ，１０１Ｃへのハンドオーバ動作を指示するためのＲＲＣコネクション再構成指示を受信して、ハンドオーバ動作の準備処理が完了している無線基地局装置１０１Ｂ，１０１Ｃの中からハンドオーバ先の無線基地局装置を選択する。第４の実施の形態では、無線基地局装置１０１Ｂが選択される場合を想定する（ステップＳ６９５）。
【０９３３】
次に、無線端末装置２０２は、選択したハンドオーバ先の無線基地局装置１０１Ｂを示す情報、すなわちハンドオーバ先通知を無線基地局装置１０１Ａへ送信する（ステップＳ６９６）。
【０９３４】
次に、無線基地局装置１０１Ａは、無線端末装置２０２によって選択されたハンドオーバ先の無線基地局装置１０１Ｂを示す情報を受信して、ＭＭＥ１６２へ無線基地局装置１０１Ａの通信状態等を示す状態通知を送信する。この状態通知には、たとえばハンドオーバ先として選択された無線基地局装置１０１Ｂを示す情報が含まれる（ステップＳ６９７）。
【０９３５】
そして、ステップＳ６９８からステップＳ７０６までの動作が実行される。これらステップＳ６９８からステップＳ７０６までの動作は、図６６に示すステップＳ６６６からステップＳ６７４までの動作と同様であるため、ここでは詳細な説明を繰り返さない。
【０９３６】
上記のように、本発明の第４の実施の形態に係る無線通信システム４０５において、ハンドオーバ指示部２２は、ハンドオーバ応答を受信して、この応答に対応する他の無線基地局装置をハンドオーバ先の候補として示す情報を無線端末装置２０２へ送信する。
【０９３７】
このように、無線端末装置２０２にハンドオーバ先の無線基地局装置を選択させる構成により、ハンドオーバ元の無線基地局装置が選択する場合に比べて、最新の電波環境に応じてハンドオーバ先の無線基地局装置を選択することができる。
【０９３８】
また、本発明の第４の実施の形態に係る無線通信システム４０５において、ハンドオーバ指示部２２は、無線端末装置２０２によって選択されたハンドオーバ先の無線基地局装置を示す情報を受信して、受信した情報の示すハンドオーバ先の無線基地局装置へ所定の情報を送信する。
【０９３９】
このような構成により、ハンドオーバ元の無線基地局装置が、無線端末装置２０２により選択されたハンドオーバ先の無線基地局装置を把握したうえで、ハンドオーバ動作に必要な情報を当該ハンドオーバ先の無線基地局装置へ送信するので、無駄のない情報の送受信を行うことができる。
【０９４０】
（ｉｉｉ）ハンドオーバ動作の準備判断および実行判断においてＣＱＩレポートおよび受信電力情報の両方を用いる場合
［構成および基本動作］
次に、ハンドオーバ元の無線基地局装置１０１Ａが複数のハンドオーバ先の候補からハンドオーバ先を選択する場合であって、ハンドオーバ動作の準備判断および実行判断においてＣＱＩレポートおよび受信電力情報の両方を用いる場合について説明する。
【０９４１】
ここでは、上述した「（ｉ）ハンドオーバ元の無線基地局装置がハンドオーバ先を選択する場合」における無線通信システム４０４と異なる点について説明する。
【０９４２】
（無線基地局装置の詳細な構成）
本発明の第４の実施の形態に係る無線通信システム４０６の無線基地局装置１０１Ａ，１０１Ｂ，１０１Ｃは、いずれも本発明の第１の実施の形態に係る無線基地局装置１０１と同様である。すなわち、図１９を参照して、無線基地局装置１０１Ａ，１０１Ｂ，１０１Ｃは、アンテナ９１と、サーキュレータ９２と、無線受信部９３と、無線送信部９４と、信号処理部９５と、制御部９８とを含む。
【０９４３】
また、図７１は、本発明の第４の実施の形態に係る無線基地局装置における制御部の構成を示す図である。
【０９４４】
図７１を参照して、無線通信システム４０４の無線基地局装置１０１Ａ，１０１Ｂ，１０１Ｃの制御部９８は、受信電力情報取得部（第１測定情報取得部）１１と、受信品質情報取得部（第２測定情報取得部）１２と、ハンドオーバ動作判断部１３と、条件設定部１４と、ハンドオーバ要求部２１と、ハンドオーバ指示部２２と、ハンドオーバ条件調整部２３と、ハンドオーバ情報取得部２４と、端末測定結果取得部２５とを有する。
【０９４５】
受信電力情報取得部１１は、無線端末装置２０２における各無線基地局装置１０１からの無線信号の受信電力の測定結果を示す受信電力情報すなわち測定結果通知を取得する。
【０９４６】
受信品質情報取得部１２は、受信電力情報よりも短い周期で更新され、無線端末装置２０２における自己の無線基地局装置１０１からの無線信号の受信品質を示す受信品質情報すなわちＣＱＩレポートを取得する。
【０９４７】
ハンドオーバ要求部２１は、自己の無線基地局装置１０１から他の無線基地局装置への無線端末装置２０２のハンドオーバ動作を行なう要求を他の無線基地局装置に対して行なう、すなわちハンドオーバ要求を他の無線基地局装置へ送信する。
【０９４８】
たとえば、ハンドオーバ要求部２１は、受信品質情報取得部１２からＣＱＩレポートを取得し、このＣＱＩレポートの値が所定の閾値より低い場合に、自己が形成するセルＣＡが周辺セルから受ける干渉により無線端末装置２０２の受信品質が劣化していると判断する。そして、ハンドオーバ要求部２１は、無線端末装置２０２の受信品質が劣化していると判断した場合に、自己の無線基地局装置１０１および無線端末装置２０２間の通信品質に関する所定のハンドオーバ準備条件が満たされるか否かを判断し、このハンドオーバ準備条件が満たされる場合には、ハンドオーバ要求を他の無線基地局装置に対して行う。
【０９４９】
ハンドオーバ指示部２２は、ハンドオーバ要求に対する他の無線基地局装置からの応答を受けて、無線端末装置２０２に対して自己の無線基地局装置１０１から他の無線基地局装置へのハンドオーバ動作を行なう指示を与える、すなわちＲＲＣコネクション再構成指示を無線端末装置２０２へ送信する。
【０９５０】
たとえば、ハンドオーバ指示部２２は、受信品質情報取得部１２からＣＱＩレポートを取得し、このＣＱＩレポートの値が所定の閾値より低い場合には、無線端末装置２０２の受信品質が劣化していると判断する。そして、ハンドオーバ指示部２２は、無線端末装置２０２の受信品質が劣化していると判断した場合に、自己の無線基地局装置１０１および無線端末装置２０２間の通信品質に関する所定のハンドオーバ実行条件が満たされるか否かを判断し、このハンドオーバ実行条件が満たされる場合には、上記指示を他の無線基地局装置に対して与える。
【０９５１】
また、ハンドオーバ指示部２２は、このハンドオーバ実行条件が満たされていない場合には、無線端末装置２０２に対する上記指示の付与を中止するかまたは保留する。たとえば、ハンドオーバ指示部２２は、所定のハンドオーバ実行条件が満たされていない場合には、無線端末装置２０２に対して上記指示を与えず、ハンドオーバ動作を中止する旨を他の無線基地局装置に通知する。
【０９５２】
［動作］
次に、本発明の第４の実施の形態に係る無線通信システム４０６において、ハンドオーバ元の無線基地局装置１０１Ａがハンドオーバ先を選択する場合におけるハンドオーバ動作の流れについて説明する。
【０９５３】
図７２は、本発明の第４の実施の形態に係る無線通信システムにおいて、ハンドオーバ元の無線基地局装置がハンドオーバ先を選択する場合におけるハンドオーバ動作のシーケンスである。
【０９５４】
図７２を参照して、まず、無線端末装置２０２は、受信電力の測定結果を示す測定結果通知すなわち受信電力情報を、無線基地局装置１０１Ａへ送信する。この測定結果通知には、周辺セルの無線基地局装置１０１Ｂ，１０１Ｃから送信される無線信号の受信電力の測定結果が含まれている（ステップＳ７２１）。
【０９５５】
次に、無線端末装置２０２は、受信電力の測定結果を示す受信を示す受信電力情報よりも短い周期で更新され、自己における無線基地局装置１０１Ａからの無線信号の受信品質を示す受信品質情報すなわちＣＱＩレポートを、無線基地局装置１０１Ａへ送信する（ステップＳ７２２）。
【０９５６】
次に、無線基地局装置１０１Ａは、無線端末装置２０２から受信したＣＱＩレポートの値に基づいて、無線端末装置２０２の電波環境の劣化を検知する（ステップＳ７２３）。そして、無線基地局装置１０１Ａは、受信したＣＱＩレポートの値が所定の閾値以上である場合には、無線端末装置２０２の受信品質は劣化していないと判断し、測定結果通知の受信（ステップＳ７２１）およびＣＱＩレポートの受信（ステップＳ７２２）を繰り返す。
【０９５７】
一方、無線基地局装置１０１Ａは、受信したＣＱＩレポートの値が所定の閾値より低い場合には、無線端末装置２０２の受信品質が劣化していると判断して、ハンドオーバ動作の準備処理を行なうべきであるか否かを判断する（ステップＳ７２４）。
【０９５８】
すなわち、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、ステップＳ７２１において無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバ動作の準備処理を行なうべきであると判断する。
【０９５９】
このとき、無線基地局装置１０１Ｂから送信される無線信号に関する測定結果および無線基地局装置１０１Ｃから送信される無線信号に関する測定結果が、いずれもハンドオーバ準備条件を満たす場合がある。このような場合、無線基地局装置１０１Ａは、無線基地局装置１０１Ｂおよび無線基地局装置１０１Ｃをハンドオーバ先の候補とする。
【０９６０】
そして、ステップＳ７２５からステップＳ７３３までの動作が実行される。このステップＳ７２５からステップＳ７３３までの動作は、図６６に示すステップＳ６５３からステップＳ６６１までの動作と同様であるため、ここでは詳細な説明を繰り返さない。
【０９６１】
次に、無線端末装置２０２は、新たな測定結果通知を無線基地局装置１０１Ａへ送信する（ステップＳ７３４）。また、無線端末装置２０２は、新たなＣＱＩレポートを、無線基地局装置１０１Ａへ送信する（ステップＳ７３５）。
【０９６２】
次に、無線基地局装置１０１Ａは、無線端末装置２０２から新たに受信したＣＱＩレポートの値に基づいて、無線端末装置２０２の電波環境の劣化を検知する（ステップＳ７３６）。そして、無線基地局装置１０１Ａは、新たに受信したＣＱＩレポートの値が所定の閾値より低い場合には、無線端末装置２０２の受信品質が劣化していると判断して、ハンドオーバ動作を実行すべきであるか否かを判断する（ステップＳ７３７）。
【０９６３】
すなわち、無線基地局装置１０１Ａは、ステップＳ７３４において無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する。
【０９６４】
なお、無線基地局装置１０１Ａは、ハンドオーバ動作の準備完了後にＣＱＩレポートを受信（ステップＳ７３５）した後、ハンドオーバ動作の実行判断を行う前に、さらに、無線端末装置２０２から測定結果通知を新たに受信した場合には、新たに受信した最新の測定結果通知に基づいてハンドオーバ動作の実行判断を行うことができる。
【０９６５】
また、無線基地局装置１０１Ａは、ハンドオーバ動作の準備判断（ステップＳ７２４）を行う前に受信した測定結果通知（ステップＳ７２１）に基づいてハンドオーバ動作の実行判断を行ってもよい。
【０９６６】
そして、ステップＳ７３８からステップＳ７４８までの動作が実行される。このステップＳ７３８からステップＳ７４８までの動作は、図６６に示すステップＳ６６４からステップＳ６７４までの動作と同様であるため、ここでは詳細な説明を繰り返さない。
【０９６７】
なお、上述した本発明の第４の実施の形態では、無線基地局装置１０１Ａが無線端末装置２０２から受信した測定結果通知に基づいてハンドオーバ動作の準備判断および実行判断を行う場合について説明した。しかしながら、必ずしもこのような形態に限定されず、たとえば、無線基地局装置１０１Ａは、ＣＱＩレポートの値単独で上記準備判断および実行判断を行ってもよいし、２回以上のＣＱＩレポートの値の組み合わせによって上記準備判断および実行判断を行ってもよい。
【０９６８】
具体的には、無線基地局装置１０１Ａは、ＣＱＩレポートの値に基づいて、自己により形成されるサービングセルにおける無線端末装置２０２の通信可否を判断し、これ以上通信を継続することは困難であると判断した場合、当該無線端末装置２０２による周辺セルへのハンドオーバ動作を実行すべきであると判断することができる。
【０９６９】
上記のように、本発明の第４の実施の形態に係る無線通信システム４０６において、ハンドオーバ要求部２１は、受信品質情報取得部１２によって取得された受信品質情報から受信品質の劣化が検知された場合に、ハンドオーバ動作の要求を複数の他の無線基地局装置に対して行うか否かを判断する。
【０９７０】
このように、受信電力情報よりも更新周期の短いＣＱＩレポートを用いる構成により、急激な電波環境の変化に追従することが可能となるため、周辺基地局へのハンドオーバ動作の準備処理を迅速に行い、無線端末装置および無線基地局装置間の無線リンクが切断されることを一層防ぐことができる。
【０９７１】
また、本発明の第４の実施の形態に係る無線通信システム４０６において、ハンドオーバ指示部２２は、ハンドオーバ要求に対する応答を受信した後、受信品質情報取得部１２によって取得された受信品質情報から受信品質の劣化が検知された場合に、ハンドオーバ先の無線基地局装置を選択する。
【０９７２】
このように、受信電力情報よりも更新周期の短いＣＱＩレポートを用いる構成により、急激な電波環境の変化に追従することが可能となるため、周辺基地局へのハンドオーバ動作を迅速に実行し、無線端末装置および無線基地局装置間の無線リンクが切断されることを一層防ぐことができる。
【０９７３】
また、本発明の第４の実施の形態に係る無線通信システム４０６において、ハンドオーバ指示部２２は、受信品質情報取得部１２によって受信品質情報が取得されるよりも前に受信電力情報取得部１１によって取得された受信電力情報のうち最新の受信電力情報に示される測定結果に基づいてハンドオーバ先の無線基地局装置を選択する。
【０９７４】
このように、予め取得された受信電力情報が用いられる構成により、ハンドオーバ指示部２２が受信品質情報から受信品質の劣化を検知した場合に、迅速にハンドオーバ先の無線基地局装置を選択することができる。
【０９７５】
＜第５の実施の形態＞
上述した第２の実施の形態では、ハンドオーバ動作において無線端末装置２０２の通信接続先が無線基地局装置１０１Ａから無線基地局装置１０１Ｂへ切り替わる場合について説明した。これに対して、第５の実施の形態では、切り替え先すなわちハンドオーバ先の候補が複数あり、かつ、コアネットワークにおける上位装置も切り替えられる場合について説明する。以下で説明する内容以外は第２の実施の形態に係る無線基地局装置と同様である。なお、上位装置としては、第２の実施の形態と同様に、例えば、ＭＭＥ（Mobility  Management  Entity）またはＳ−ＧＷ（Serving Gateway）が挙げられる。
【０９７６】
以下、本発明の第５の実施の形態として、ハンドオーバ動作においてＭＭＥの切り替えが必要な場合と、ハンドオーバ動作においてＳ−ＧＷの切り替えが必要な場合とに分けて説明する。
【０９７７】
（ａ）ＭＭＥの切り替えが必要な場合
［構成および基本動作］
図７３は、本発明の第５の実施の形態に係る無線通信システムの構成の一例を示す図である。
【０９７８】
図７３を参照して、第５の実施の形態に係る無線通信システム４０７は、たとえば３ＧＰＰで規格化されたＬＴＥ（Long Term Evolution）に従う移動体通信システムであり、無線基地局装置１０１Ａ，１０１Ｂ，１０１Ｃを備える。
【０９７９】
図６１および図６３を参照して、図６１に示すように、無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。無線基地局装置１０１Ｃは、セルＣＣを形成し、セルＣＣ内に存在する無線端末装置２０２と無線信号を送受信することにより、当該無線端末装置２０２と通信することが可能である。
【０９８０】
ここでは、無線端末装置２０２が、セルＣＡ内に位置し、無線基地局装置１０１Ａを通信接続先として選択してから、セルＣＡ、セルＣＢおよびセルＣＣの重複領域へ移動した場合を想定する。すなわち、無線基地局装置１０１Ａがサービング基地局に相当し、無線基地局装置１０１Ｂ，１０１Ｃが周辺基地局に相当し、これら無線基地局装置１０１Ｂ，１０１Ｃがハンドオーバ先の候補である無線基地局装置に該当する場合を想定する。
【０９８１】
再び図７３を参照して、無線通信システム４０７は、さらに、コアネットワーク３０１に設けられたＳ−ＧＷ１６１（ゲートウェイ装置）と、ＭＭＥ１６２Ａ，１６２Ｂ，１６２Ｃ（通信制御装置）と、Ｐ−ＧＷ（Packet Data Network Gateway）１６３とを備える。
【０９８２】
無線端末装置２０２は、無線基地局装置１０１Ａ，１０１Ｂ，１０１Ｃと、Ｓ−ＧＷ１６１と、Ｐ−ＧＷ１６３とを介してＩＰ網３０２（上位ネットワーク）におけるサーバ等と通信コネクションを確立し、たとえばＩＰ（Internet Protocol）パケットを含む通信データを送受信する。
【０９８３】
Ｓ−ＧＷ１６１は、無線基地局装置１０１Ａ，１０１Ｂ，１０１ＣとＩＰ網３０２との間に接続されている。Ｓ−ＧＷ１６１は、無線基地局装置１０１Ａ，１０１Ｂ，１０１Ｃ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ，１０１Ｃ経由で無線端末装置２０２へ送信する。
【０９８４】
ＭＭＥ１６２Ａは、無線通信システム４０７における無線基地局装置１０１Ａおよび無線端末装置２０２等を管理する。ＭＭＥ１６２Ａは、無線基地局装置１０１Ａとの間で制御メッセージを送受信する。また、ＭＭＥ１６２Ｂは、無線通信システム４０７における無線基地局装置１０１Ｂおよび無線端末装置２０２等を管理する。ＭＭＥ１６２Ｂは、無線基地局装置１０１Ｂとの間で制御メッセージを送受信する。ＭＭＥ１６２Ｃは、無線通信システム４０７における無線基地局装置１０１Ｃおよび無線端末装置２０２等を管理する。ＭＭＥ１６２Ｃは、無線基地局装置１０１Ｃとの間で制御メッセージを送受信する。
【０９８５】
無線基地局装置１０１Ａ，１０１Ｂ，１０１ＣおよびＳ−ＧＷ１６１は、論理的なインタフェースであるＳ１−Ｕインタフェースに従う通信データを互いに送受信することにより、Ｓ１−Ｕインタフェース経由で種々の情報を互いにやりとりする。
【０９８６】
無線基地局装置１０１ＡおよびＭＭＥ１６２Ａは、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。無線基地局装置１０１ＢおよびＭＭＥ１６２Ｂも同様に、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。無線基地局装置１０１ＣおよびＭＭＥ１６２Ｃも同様に、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【０９８７】
ＭＭＥ１６２Ａ，１６２Ｂ，１６２ＣおよびＳ−ＧＷ１６１は、論理的なインタフェースであるＳ１１インタフェースに従う通信データを互いに送受信することにより、Ｓ１１インタフェース経由で種々の情報を互いにやりとりする。
【０９８８】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやりとりする。
【０９８９】
ＭＭＥ１６２Ａ，ＭＭＥ１６２ＢおよびＭＭＥ１６２Ｃは、論理的なインタフェースであるＳ１０インタフェースに従う通信データを互いに送受信することにより、Ｓ１０インタフェース経由で種々の情報を互いにやりとりする。
【０９９０】
［動作］
図７４は、本発明の第５の実施の形態に係る無線通信システムにおけるハンドオーバ動作のシーケンスである。
【０９９１】
図７４を参照して、まず、無線端末装置２０２は、受信電力の測定結果を示す測定結果通知を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ８１１）。
【０９９２】
次に、無線基地局装置１０１Ａは、無線端末装置２０２から受信した測定結果通知に基づいて、セルＩＤごとの測定結果を示す測定情報を取得し、図示しない記憶部に保存する。そして、無線基地局装置１０１Ａは、無線端末装置２０２から受信した測定結果通知に基づいて、自己および当該無線端末装置２０２間の通信品質を取得する。そして、無線基地局装置１０１Ａは、取得した通信品質が所定のハンドオーバ準備条件を満たす場合には、ハンドオーバ動作の準備処理を行なうべきであると判断する。
【０９９３】
このとき、無線基地局装置１０１Ｂから送信される無線信号に関する測定結果および無線基地局装置１０１Ｃから送信される無線信号に関する測定結果が、いずれもハンドオーバ準備条件を満たす場合がある。このような場合、無線基地局装置１０１Ａは、無線基地局装置１０１Ｂおよび無線基地局装置１０１Ｃをハンドオーバ先の候補とする（ステップＳ８１２）。
【０９９４】
次に、無線基地局装置１０１Ａは、無線基地局装置１０１Ｂを示すハンドオーバ要求をＭＭＥ１６２Ａへ送信する（ステップＳ８１３）。また、無線基地局装置１０１Ａは、無線基地局装置１０１Ｃを示すハンドオーバ要求をＭＭＥ１６２Ａへ送信する（ステップＳ８１４）。
【０９９５】
次に、ＭＭＥ１６２Ａは、無線基地局装置１０１Ａから受信したハンドオーバ要求に基づいて、ＭＭＥの切り替えを行う必要があるか否かを判断する。具体的には、ＭＭＥ１６２Ａは、ハンドオーバ要求に示されている無線基地局装置１０１Ｂ，１０１Ｃが自己の管理対象であるか否かを判断する（ステップＳ８１５）。
【０９９６】
次に、ＭＭＥ１６２Ａは、無線基地局装置１０１Ｂが自己の管理対象ではないことから、無線基地局装置１０１Ｂを管理するＭＭＥ１６２Ｂへ無線基地局装置１０１Ｂを示すハンドオーバ要求を送信する（ステップＳ８１６）。
【０９９７】
次に、ＭＭＥ１６２Ｂは、ＭＭＥ１６２Ａから受信したハンドオーバ要求に基づいて、Ｓ−ＧＷ１６１の切り替えを行う必要があるか否かを判断する。具体的には、ＭＭＥ１６２Ｂは、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する。ここでは、無線基地局装置１０１ＡとＩＰ網３０２との間に接続されているＳ−ＧＷと、無線基地局装置１０１ＢとＩＰ網３０２との間に接続されているＳ−ＧＷと同じであることから、ＭＭＥ１６２Ｂは、Ｓ−ＧＷ１６１の切り替えを行う必要がないと判断する（ステップＳ８１７）。
【０９９８】
次に、ＭＭＥ１６２Ｂは、無線基地局装置１０１Ｂへハンドオーバ要求を送信する（ステップＳ８１８）。
【０９９９】
次に、無線基地局装置１０１Ｂは、ＭＭＥ１６２Ｂからハンドオーバ要求を受信して、ＭＭＥ１６２Ｂへ当該ハンドオーバ要求に対するハンドオーバ応答を送信する（ステップＳ８１９）。
【１０００】
次に、ＭＭＥ１６２Ｂは、無線基地局装置１０１Ｂから受信したハンドオーバ応答をＭＭＥ１６２Ａへ転送する（ステップＳ８２０）。
【１００１】
ここで、無線端末装置２０２のハンドオーバ動作の準備期間中に無線基地局装置１０１Ａに無線端末装置２０２宛のパケットである対象パケットが蓄積されている場合、または、Ｓ−ＧＷ１６１から対象パケットが新たに受信された場合、無線基地局装置１０１Ａがこの対象パケットを無線基地局装置１０１Ｂへ転送するデータフォワーディングが行われる。
【１００２】
このため、ＭＭＥ１６２Ａは、ＭＭＥ１６２Ｂからハンドオーバ応答を受信すると、Ｓ１−Ｕインタフェース経由のデータフォワーディングを行うための通信経路すなわち論理的なパス（以下、データフォワーディングパスとも称する）の確立要求をＳ−ＧＷ１６１へ送信する（ステップＳ８２１）。
【１００３】
次に、Ｓ−ＧＷ１６１は、ＭＭＥ１６２Ａからデータフォワーディングパスの確立要求を受けると、データフォワーディングパスを確立させる。すなわち、Ｓ−ＧＷ１６１は、自己を介する無線基地局装置１０１Ａと無線基地局装置１０１Ｂとの間の論理的なパスを確立する。そして、Ｓ−ＧＷ１６１は、データフォワーディングパスの確立応答をＭＭＥ１６２Ａへ送信する（ステップＳ８２２）。
【１００４】
次に、ＭＭＥ１６２Ａは、無線基地局装置１０１Ａへハンドオーバ指示を送信する。そして、以上のようなハンドオーバ動作の準備処理が実行されて、無線基地局装置１０１ＡがＭＭＥ１６２Ａからハンドオーバ指示を受信すると、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｂへ転送する（ステップＳ８２３）。
【１００５】
また、ＭＭＥ１６２Ａは、無線基地局装置１０１Ｃが自己の管理対象ではないことにより、無線基地局装置１０１Ｃを管理するＭＭＥ１６２Ｃへ無線基地局装置１０１Ｃを示すハンドオーバ要求を送信する（ステップＳ８２４）。
【１００６】
次に、ＭＭＥ１６２Ｃは、ＭＭＥ１６２Ａから受信したハンドオーバ要求に基づいて、Ｓ−ＧＷ１６１の切り替えを行う必要があるか否かを判断する。具体的には、ＭＭＥ１６２Ｃは、無線基地局装置１０１ＡとＩＰ網３０２との間に接続されているＳ−ＧＷと、無線基地局装置１０１ＣとＩＰ網３０２との間に接続されているＳ−ＧＷとが異なるか否かを判断する。ここでは、無線基地局装置１０１ＡとＩＰ網３０２との間に接続されているＳ−ＧＷと、無線基地局装置１０１ＣとＩＰ網３０２との間に接続されているＳ−ＧＷと同じであることから、ＭＭＥ１６２Ｃは、Ｓ−ＧＷ１６１の切り替えを行う必要がないと判断する（ステップＳ８２５）。
【１００７】
次に、ＭＭＥ１６２Ｃは、無線基地局装置１０１Ｃへハンドオーバ要求を送信する（ステップＳ８２６）。
【１００８】
次に、無線基地局装置１０１Ｃは、ＭＭＥ１６２Ｃからハンドオーバ要求を受信して、ＭＭＥ１６２Ｃへ当該ハンドオーバ要求に対するハンドオーバ応答を送信する（ステップＳ８２７）。
【１００９】
次に、ＭＭＥ１６２Ｃは、無線基地局装置１０１Ｃから受信したハンドオーバ応答をＭＭＥ１６２Ａへ転送する（ステップＳ８２８）。
【１０１０】
次に、ＭＭＥ１６２Ａは、ＭＭＥ１６２Ｃからハンドオーバ応答を受信すると、Ｓ１−Ｕインタフェース経由のデータフォワーディングを行うための通信経路すなわち論理的なパスの確立要求をＳ−ＧＷ１６１へ送信する（ステップＳ８２９）。
【１０１１】
次に、Ｓ−ＧＷ１６１は、ＭＭＥ１６２Ａからデータフォワーディングパスの確立要求を受けると、データフォワーディングパスを確立させる。すなわち、Ｓ−ＧＷ１６１は、自己を介する無線基地局装置１０１Ａと無線基地局装置１０１Ｃとの間の論理的なパスを確立する。そして、Ｓ−ＧＷ１６１は、データフォワーディングパスの確立応答をＭＭＥ１６２Ａへ送信する（ステップＳ８３０）。
【１０１２】
次に、ＭＭＥ１６２Ａは、無線基地局装置１０１Ａへハンドオーバ指示を送信する。そして、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｃへ転送する（ステップＳ８３１）。
【１０１３】
上記のようにして、無線基地局装置１０１Ｂ，１０１Ｃへのハンドオーバ動作の準備処理が完了する（ステップＳ８３２）。なお、上記のようなステップＳ８１６からステップＳ８２３までの動作と、ステップＳ８２４からステップＳ８３１までの動作は並行して行われるものとする。
【１０１４】
次に、無線端末装置２０２は、新たな測定結果通知を無線基地局装置１０１Ａへ送信する（ステップＳ８３３）。
【１０１５】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する。なお、上述した準備条件の示す通信品質は、実行条件の示す通信品質と比べて良い品質である。
【１０１６】
このとき、無線基地局装置１０１Ａは、ハンドオーバ動作の準備処理が完了している無線基地局装置１０１Ｂ，１０１Ｃの中から、例えば無線端末装置２０２との間の通信品質がより良い方をハンドオーバ先の無線基地局装置として選択する。第５の実施の形態では、無線基地局装置１０１Ｂが選択される場合を想定する（ステップＳ８３４）。
【１０１７】
次に、無線基地局装置１０１Ａは、無線端末装置２０２へ、無線基地局装置１０１Ｂをハンドオーバ先とするＲＲＣコネクション再構成指示を送信する（ステップＳ８３５）。
【１０１８】
次に、無線基地局装置１０１Ａは、ＭＭＥ１６２Ａへ自己の通信状態等を示す状態通知を送信する（ステップＳ８３６）。この状態通知に、データフォワーディングにおいて、無線基地局装置１０１Ｂが転送パケットを処理するための、パケットのシリアル番号等の情報が含まれる。
【１０１９】
次に、ＭＭＥ１６２Ａは、無線基地局装置１０１Ａから受信した状態通知を、ＭＭＥ１６２Ｂへ転送する（ステップＳ８３７）。
【１０２０】
次に、ＭＭＥ１６２Ｂは、ＭＭＥ１６２Ａから転送された状態通知に対する状態通知応答をＭＭＥ１６２Ａへ送信する（ステップＳ８３８）。
【１０２１】
次に、ＭＭＥ１６２Ｂは、無線基地局装置１０１Ｂへ無線端末装置２０２との通信内容等を示す状態通知を送信する（ステップＳ８３９）。
【１０２２】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ８４０）。
【１０２３】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【１０２４】
また、無線端末装置２０２は、無線基地局装置１０１Ｂへパケットを送信し、無線基地局装置１０１Ｂは、当該対象パケットをＳ−ＧＷ１６１へ送信する。
【１０２５】
次に、無線基地局装置１０１Ｂは、無線端末装置２０２からＲＲＣコネクション再構成完了通知を受信して、ＭＭＥ１６２Ｂへハンドオーバ完了通知を送信する。このハンドオーバ完了通知に、Ｓ−ＧＷ１６１に対するパス切り替え要求が含まれる（ステップＳ８４１）。
【１０２６】
次に、ＭＭＥ１６２Ｂは、無線基地局装置１０１Ｂから受信したハンドオーバ完了通知をＭＭＥ１６２Ａへ転送する（ステップＳ８４２）。
【１０２７】
次に、ＭＭＥ１６２Ａは、ＭＭＥ１６２Ｂから受信したハンドオーバ完了通知に対するハンドオーバ完了通知応答をＭＭＥ１６２Ｂへ送信する（ステップＳ８４３）。
【１０２８】
次に、ＭＭＥ１６２Ｂは、上記パス切り替え要求を含むベアラ変更要求をＳ−ＧＷ１６１へ送信する（ステップＳ８４４）。
【１０２９】
次に、Ｓ−ＧＷ１６１は、ＭＭＥ１６２Ｂからベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。そして、Ｓ−ＧＷ１６１は、ベアラ変更要求に対する、パス切り替え応答を含むベアラ変更応答をＭＭＥ１６２Ｂへ送信する（ステップＳ８４５）。
【１０３０】
そして、Ｓ−ＧＷ１６１は、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。また、無線基地局装置１０１Ｂは、無線基地局装置１０１Ａを経由していないＳ−ＧＷ１６１からの対象パケットの無線端末装置２０２への送信を保留し、蓄積しておく。
【１０３１】
そして、無線基地局装置１０１Ａは、Ｓ−ＧＷ１６１から受信したエンドマーカ付きの対象パケットをＳ−ＧＷ１６１経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【１０３２】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１からの対象パケットの無線端末装置２０２への送信を開始する。
【１０３３】
次に、上記のようなデータフォワーディングが完了すると、ＭＭＥ１６２Ａは、端末情報解放指示を無線基地局装置１０１Ａへ送信する（ステップＳ８４６）。
【１０３４】
次に、無線基地局装置１０１Ａは、ＭＭＥ１６２Ａから端末情報解放指示を受信して、ハンドオーバ先として選択されて無線基地局装置１０１Ｂ以外の無線基地局装置、すなわち無線基地局装置１０１Ｃへのハンドオーバ中止通知をＭＭＥ１６２Ａへ送信する（ステップＳ８４７）。
【１０３５】
次に、ＭＭＥ１６２Ａは、無線基地局装置１０１Ａから受信した無線基地局装置１０１Ｃへのハンドオーバ中止通知をＭＭＥ１６２Ｃへ転送する（ステップＳ８４８）。
【１０３６】
次に、ＭＭＥ１６２Ｃは、ＭＭＥ１６２Ａからハンドオーバ中止通知を受信して、端末情報解放指示を無線基地局装置１０１Ｃへ送信する（ステップＳ８４９）。
【１０３７】
次に、無線基地局装置１０１Ｃは、ＭＭＥ１６２Ｃから端末情報解放指示を受信して、無線端末装置２０２に関する情報を解放し、ＭＭＥ１６２Ｃへ端末情報解放完了通知を送信する（ステップＳ８５０）。
【１０３８】
次に、ＭＭＥ１６２Ｃは、無線基地局装置１０１Ｃから端末情報解放完了通知を受信して、ハンドオーバ中止応答をＭＭＥ１６２Ａへ送信する（ステップＳ８５１）。
【１０３９】
次に、ＭＭＥ１６２Ａは、ＭＭＥ１６２Ｃから受信したハンドオーバ中止応答を無線基地局装置１０１Ａへ送信する（ステップＳ８５２）。
【１０４０】
次に、無線基地局装置１０１Ａは、ＭＭＥ１６２Ａからハンドオーバ中止応答を受信して、無線端末装置２０２に関する情報を解放し、ＭＭＥ１６２Ａへ端末情報解放完了通知を送信する（ステップＳ８５３）。
【１０４１】
次に、ＭＭＥ１６２Ａは、無線基地局装置１０１Ａから端末情報解放完了通知を受信すると、Ｓ−ＧＷ１６１を介する無線基地局装置１０１Ａと無線基地局装置１０１Ｂとの間のデータフォワーディングパスの削除要求をＳ−ＧＷ１６１へ送信する（ステップＳ８５４）。
【１０４２】
次に、Ｓ−ＧＷ１６１は、データフォワーディングパスの削除要求を受信すると、自己を介する無線基地局装置１０１Ａと無線基地局装置１０１Ｂとの間のデータフォワーディングパスの削除を行い、データフォワーディングパスの削除応答をＭＭＥ１６２Ａへ送信する（ステップＳ８５５）。
【１０４３】
また、ＭＭＥ１６２Ａは、無線基地局装置１０１Ａから端末情報解放完了通知を受信すると、Ｓ−ＧＷ１６１を介する無線基地局装置１０１Ａと無線基地局装置１０１Ｃとの間のデータフォワーディングパスの削除要求をＳ−ＧＷ１６１へ送信する（ステップＳ８５６）。
【１０４４】
次に、Ｓ−ＧＷ１６１は、データフォワーディングパスの削除要求を受信すると、自己を介する無線基地局装置１０１Ａと無線基地局装置１０１Ｃとの間のデータフォワーディングパスの削除を行い、データフォワーディングパスの削除応答をＭＭＥ１６２Ａへ送信する（ステップＳ８５７）。
【１０４５】
なお、上述した動作の流れでは、無線基地局装置１０１Ｂへのハンドオーバ動作が完了し、無線基地局装置１０１ＡがＭＭＥ１６２から端末情報解放指示を受信した（ステップＳ８４６）後に、無線基地局装置１０１ＡがＭＭＥ１６２へハンドオーバ中止通知を送信している（ステップＳ８４７）。しかしながら、必ずしもこのような動作の流れに限定されず、例えば、無線基地局装置１０１Ａは、無線基地局装置１０１Ｂへのハンドオーバ動作が完了する前に無線基地局装置１０１Ｃへのハンドオーバ動作中止通知をＭＭＥ１６２へ送信してもよい。この場合、たとえば、ステップＳ８４７からステップＳ８５２までの動作が、ステップＳ８４０の前に行われる。
【１０４６】
このように、本発明の第５の実施の形態に係る無線通信システム４０７において、ＭＭＥ１６２Ａは、無線基地局装置１０１Ａからハンドオーバ先として無線基地局装置１０１Ｂ，１０１Ｃを示すハンドオーバ要求を受信し、ハンドオーバ要求の示す無線基地局装置１０１Ｂ，１０１Ｃごとに自己の管理対象であるか否かを判断し、自己の管理対象でない場合には、無線基地局装置１０１Ｂ，１０１Ｃを管理するＭＭＥ１６２Ｂ，１６２Ｃへハンドオーバ要求を送信する。
【１０４７】
ある周辺基地局へのハンドオーバ動作の準備処理の完了後に無線端末装置２０２が移動することで、当該周辺基地局に関する無線端末装置２０２の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置２０２と無線基地局装置１０１Ａ，１０１Ｂ，１０１Ｃとの間の通信が途切れることを防ぐことができる。
【１０４８】
また、上記のように、周辺基地局に関する無線端末装置２０２の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、無線通信システムにおける負荷を軽減させることができる。
【１０４９】
（ｂ）Ｓ−ＧＷの切り替えが必要な場合
［構成および基本動作］
図７５は、本発明の第５の実施の形態に係る無線通信システムの構成の一例を示す図である。
【１０５０】
図７５を参照して、第５の実施の形態に係る無線通信システム４０８は、図７３に示す無線通信システム４０７と同様に、たとえば３ＧＰＰで規格化されたＬＴＥに従う移動体通信システムであり、無線基地局装置１０１Ａ，１０１Ｂ，１０１Ｃを備える。ここでは、無線端末装置２０２が、セルＣＡ内に位置し、無線基地局装置１０１Ａを通信接続先として選択してから、セルＣＡ、セルＣＢおよびセルＣＣの重複領域へ移動した場合を想定する。すなわち、無線基地局装置１０１Ａがサービング基地局に相当し、無線基地局装置１０１Ｂ，１０１Ｃが周辺基地局に相当し、これら無線基地局装置１０１Ｂ，１０１Ｃがハンドオーバ先の候補である無線基地局装置に該当する場合を想定する。
【１０５１】
再び図７５を参照して、無線通信システム４０８は、さらに、コアネットワーク３０１に設けられたＳ−ＧＷ１６１Ａ，１６１Ｂ，１６１Ｃ（ゲートウェイ装置）と、ＭＭＥ１６２（通信制御装置）と、Ｐ−ＧＷ１６３とを備える。
【１０５２】
Ｓ−ＧＷ１６１Ａは、無線基地局装置１０１ＡとＩＰ網３０２との間に接続されている。Ｓ−ＧＷ１６１Ａは、無線基地局装置１０１Ａ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ経由で無線端末装置２０２へ送信する。
【１０５３】
Ｓ−ＧＷ１６１Ｂは、無線基地局装置１０１ＢとＩＰ網３０２との間に接続されている。Ｓ−ＧＷ１６１Ｂは、無線基地局装置１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ｂ経由で無線端末装置２０２へ送信する。
【１０５４】
Ｓ−ＧＷ１６１Ｃは、無線基地局装置１０１ＣとＩＰ網３０２との間に接続されている。Ｓ−ＧＷ１６１Ｃは、無線基地局装置１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ｃ経由で無線端末装置２０２へ送信する。
【１０５５】
ＭＭＥ１６２は、無線通信システム４０２における無線基地局装置１０１Ａ，１０１Ｂ，１０１Ｃおよび無線端末装置２０２等を管理する。ＭＭＥ１６２は、無線基地局装置１０１Ａ，１０１Ｂ，１０１Ｃとの間で制御メッセージを送受信する。
【１０５６】
無線基地局装置１０１ＡおよびＳ−ＧＷ１６１Ａは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＢおよびＳ−ＧＷ１６１Ｂは、論理的なインタフェースであるＳ１−Ｕインタフェースに従う通信データを互いに送受信することにより、Ｓ１−Ｕインタフェース経由で種々の情報を互いにやりとりする。無線基地局装置１０１ＣおよびＳ−ＧＷ１６１Ｃは、論理的なインタフェースであるＳ１−Ｕインタフェースに従う通信データを互いに送受信することにより、Ｓ１−Ｕインタフェース経由で種々の情報を互いにやりとりする。
【１０５７】
無線基地局装置１０１Ａ，１０１Ｂ，１０１ＣおよびＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやりとりする。
【１０５８】
ＭＭＥ１６２およびＳ−ＧＷ１６１Ａ，１６１Ｂ，１６１Ｃは、論理的なインタフェースであるＳ１１インタフェースに従う通信データを互いに送受信することにより、Ｓ１１インタフェース経由で種々の情報を互いにやりとりする。
【１０５９】
Ｓ−ＧＷ１６１Ａ，１６１Ｂ，１６１ＣおよびＰ−ＧＷ１６３は、論理的なインタフェースであるＳ５インタフェースに従う通信データを互いに送受信することにより、Ｓ５インタフェース経由で種々の情報を互いにやりとりする。
【１０６０】
［動作］
図７６は、本発明の第５の実施の形態に係る無線通信システムにおけるハンドオーバ動作のシーケンスである。
【１０６１】
図７６を参照して、ステップＳ８６１からステップＳ８６４までの動作は、図７４に示すステップＳ８１１からステップＳ８１４までの動作と同様であるため、ここでは詳細な説明を繰り返さない。
【１０６２】
次に、ＭＭＥ１６２は、無線基地局装置１０１Ａから受信したハンドオーバ要求に基づいて、ＭＭＥ１６２の切り替えを行う必要があるか否かを判断する。具体的には、ＭＭＥ１６２は、ハンドオーバ要求に示されている無線基地局装置１０１Ｂ，１０１Ｃが自己の管理対象であるか否かを判断する。ここでは、無線基地局装置１０１Ｂ，１０１ＣがＭＭＥ１６２の管理対象であることから、ＭＭＥ１６２は、ＭＭＥの切り替えを行う必要がないと判断する（ステップＳ８６５）。
【１０６３】
次に、ＭＭＥ１６２は、無線基地局装置１０１Ａから受信したハンドオーバ要求に基づいて、Ｓ−ＧＷの切り替えを行う必要があるか否かを判断する。具体的には、ＭＭＥ１６２は、無線基地局装置１０１ＡとＩＰ網３０２との間に接続されているＳ−ＧＷと、無線基地局装置１０１ＢとＩＰ網３０２との間に接続されているＳ−ＧＷとが異なるか否かを判断する。また、ＭＭＥ１６２は、無線基地局装置１０１ＡとＩＰ網３０２との間に接続されているＳ−ＧＷと、無線基地局装置１０１ＣとＩＰ網３０２との間に接続されているＳ−ＧＷとが異なるか否かを判断する（ステップＳ８６６）。
【１０６４】
次に、ＭＭＥ１６２は、無線基地局装置１０１ＡとＩＰ網３０２との間に接続されているＳ−ＧＷ１６１Ａと、無線基地局装置１０１ＢとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットが、無線基地局装置１０１ＢとＩＰ網３０２との間に接続されているＳ−ＧＷ１６１Ｂを経由可能となるように、Ｐ−ＧＷ１６３と無線基地局装置１０１Ｂとの間の通信経路の作成をＳ−ＧＷ１６１Ｂへ要求する（ステップＳ８６７）。
【１０６５】
次に、Ｓ−ＧＷ１６１Ｂは、ＭＭＥ１６２から通信経路の作成要求を受信して、自己を経由するＰ−ＧＷ１６３と無線基地局装置１０１Ｂとの間の通信経路を作成し、通信経路の作成応答をＭＭＥ１６２へ送信する（ステップＳ８６８）。
【１０６６】
次に、ＭＭＥ１６２は、無線基地局装置１０１Ｂへハンドオーバ要求を送信する（ステップＳ８６９）。
【１０６７】
次に、無線基地局装置１０１Ｂは、ＭＭＥ１６２からハンドオーバ要求を受信して、ＭＭＥ１６２へ当該ハンドオーバ要求に対するハンドオーバ応答を送信する（ステップＳ８７０）。
【１０６８】
次に、ＭＭＥ１６２は、無線基地局装置１０１Ｂからハンドオーバ応答を受信すると、Ｓ１−Ｕインタフェース経由のデータフォワーディングを行うための通信経路すなわち論理的なパスの確立要求をＳ−ＧＷ１６１Ｂへ送信する（ステップＳ８７１）。
【１０６９】
次に、Ｓ−ＧＷ１６１Ｂは、ＭＭＥ１６２からデータフォワーディングパスの確立要求を受けると、データフォワーディングパスを確立させる。すなわち、Ｓ−ＧＷ１６１Ｂは、Ｓ−ＧＷ１６１ＡとＳ−ＧＷ１６１Ｂとの間の論理的な通信経路、および、Ｓ−ＧＷ１６１Ｂと無線基地局装置１０１Ｂとの間の論理的な通信経路を確立する。そして、Ｓ−ＧＷ１６１Ｂは、データフォワーディングパスの確立応答をＭＭＥ１６２へ送信する（ステップＳ８７２）。
【１０７０】
次に、ＭＭＥ１６２は、Ｓ１−Ｕインタフェース経由のデータフォワーディングを行うための通信経路の確立要求をＳ−ＧＷ１６１Ａへ送信する（ステップＳ８７３）。
【１０７１】
次に、Ｓ−ＧＷ１６１Ａは、ＭＭＥ１６２からデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２へ送信する（ステップＳ８７４）。
【１０７２】
次に、ＭＭＥ１６２は、無線基地局装置１０１Ａへハンドオーバ指示を送信する。そして、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｂへ転送する（ステップＳ８７５）。
【１０７３】
また、ＭＭＥ１６２は、無線基地局装置１０１ＡとＩＰ網３０２との間に接続されているＳ−ＧＷ１６１Ａと、無線基地局装置１０１ＣとＩＰ網３０２との間に接続されているＳ−ＧＷ１６１Ｂとが異なることから、上位ネットワークから無線端末装置２０２宛の下りパケット、および、無線端末装置２０２から上位ネットワークへの上りパケットが、無線基地局装置１０１ＣとＩＰ網３０２との間に接続されているＳ−ＧＷ１６１Ｃを経由可能となるように、Ｐ−ＧＷ１６３と無線基地局装置１０１Ｃとの間の通信経路の作成をＳ−ＧＷ１６１Ｃへ要求する（ステップＳ８７６）。
【１０７４】
次に、Ｓ−ＧＷ１６１Ｃは、ＭＭＥ１６２から通信経路の作成要求を受信して、自己を経由するＰ−ＧＷ１６３と無線基地局装置１０１Ｃとの間の通信経路を作成し、通信経路の作成応答をＭＭＥ１６２へ送信する（ステップＳ８７７）。
【１０７５】
次に、ＭＭＥ１６２は、無線基地局装置１０１Ｃへハンドオーバ要求を送信する（ステップＳ８７８）。
【１０７６】
次に、無線基地局装置１０１Ｃは、ＭＭＥ１６２からハンドオーバ要求を受信して、ＭＭＥ１６２へ当該ハンドオーバ要求に対するハンドオーバ応答を送信する（ステップＳ８７９）。
【１０７７】
次に、ＭＭＥ１６２は、無線基地局装置１０１Ｂからハンドオーバ応答を受信すると、Ｓ１−Ｕインタフェース経由のデータフォワーディングを行うための通信経路すなわち論理的なパスの確立要求をＳ−ＧＷ１６１Ｃへ送信する（ステップＳ８８０）。
【１０７８】
次に、Ｓ−ＧＷ１６１Ｃは、ＭＭＥ１６２からデータフォワーディングパスの確立要求を受けると、データフォワーディングパスを確立させる。すなわち、Ｓ−ＧＷ１６１Ｃは、Ｓ−ＧＷ１６１ＡとＳ−ＧＷ１６１Ｃとの間の論理的な通信経路、および、Ｓ−ＧＷ１６１Ｃと無線基地局装置１０１Ｃとの間の論理的な通信経路を確立する。そして、Ｓ−ＧＷ１６１Ｃは、データフォワーディングパスの確立応答をＭＭＥ１６２へ送信する（ステップＳ８８１）。
【１０７９】
次に、ＭＭＥ１６２は、Ｓ１−Ｕインタフェース経由のデータフォワーディングを行うための通信経路の確立要求をＳ−ＧＷ１６１Ａへ送信する（ステップＳ８８２）。
【１０８０】
次に、Ｓ−ＧＷ１６１Ａは、ＭＭＥ１６２からデータフォワーディングパスの確立要求を受けると、データフォワーディングパスを確立させる。すなわち、Ｓ−ＧＷ１６１Ａは、Ｓ−ＧＷ１６１Ａと無線基地局装置１０１Ａとの間の論理的な通信経路を確立する。そして、Ｓ−ＧＷ１６１Ａは、データフォワーディングパスの確立応答をＭＭＥ１６２へ送信する（ステップＳ８７４）。
【１０８１】
次に、ＭＭＥ１６２は、無線基地局装置１０１Ａへハンドオーバ指示を送信する。そして、無線基地局装置１０１Ａは、Ｓ１−Ｕインタフェース経由のデータフォワーディングを開始する。すなわち、無線基地局装置１０１Ａは、自己に蓄積されているかまたはＳ−ＧＷ１６１から新たに受信する当該無線端末装置２０２宛のパケットである対象パケットをＳ−ＧＷ１６１経由で無線基地局装置１０１Ｃへ転送する（ステップＳ８８４）。
【１０８２】
上記のようにして、無線基地局装置１０１Ｂ，１０１Ｃへのハンドオーバ動作の準備処理が完了する（ステップＳ８８５）。なお、上記のようなステップＳ８６７からステップＳ８７５までの動作と、ステップＳ８７６からステップＳ８８４までの動作は並行して行われるものとする。
【１０８３】
次に、無線端末装置２０２は、新たな測定結果通知を無線基地局装置１０１Ａへ送信する（ステップＳ８８６）。
【１０８４】
次に、無線基地局装置１０１Ａは、無線端末装置２０２から受信した測定結果通知に基づいて、自己および当該無線端末装置２０２間の通信品質を新たに取得する。そして、無線基地局装置１０１Ａは、新たに取得した通信品質が所定のハンドオーバ実行条件を満たす場合には、当該無線端末装置２０２のハンドオーバ動作を実行すべきであると判断する。なお、上述した準備条件の示す通信品質は、実行条件の示す通信品質と比べて良い品質である。
【１０８５】
このとき、無線基地局装置１０１Ａは、ハンドオーバ動作の準備処理が完了している無線基地局装置１０１Ｂ，１０１Ｃの中から、例えば無線端末装置２０２との間の通信品質がより良い方をハンドオーバ先の無線基地局装置として選択する。第５の実施の形態では、無線基地局装置１０１Ｂが選択される場合を想定する（ステップＳ８８７）。
【１０８６】
次に、無線基地局装置１０１Ａは、当該無線端末装置２０２へ、無線基地局装置１０１Ｂをハンドオーバ先とするＲＲＣコネクション再構成指示を送信する（ステップＳ８８８）。
【１０８７】
次に、無線基地局装置１０１Ａは、ＭＭＥ１６２へ自己の通信状態等を示す状態通知を送信する（ステップＳ８８９）。この状態通知に、データフォワーディングにおいて、無線基地局装置１０１Ｂが転送パケットを処理するための、パケットのシリアル番号等の情報が含まれる。
【１０８８】
次に、ＭＭＥ１６２は、無線基地局装置１０１Ｂへ無線端末装置２０２との通信内容等を示す状態通知を送信する（ステップＳ８９０）。
【１０８９】
次に、無線端末装置２０２は、無線基地局装置１０１ＢへＲＲＣコネクション再構成完了通知を送信する（ステップＳ８９１）。
【１０９０】
そして、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう。
【１０９１】
また、無線端末装置２０２は、無線基地局装置１０１Ｂへパケットを送信し、無線基地局装置１０１Ｂは、当該対象パケットをＳ−ＧＷ１６１Ｂへ送信する。
【１０９２】
次に、無線基地局装置１０１Ｂは、無線端末装置２０２からＲＲＣコネクション再構成完了通知を受信して、ＭＭＥ１６２へハンドオーバ完了通知を送信する。このハンドオーバ完了通知に、Ｓ−ＧＷ１６１Ｂに対するパス切り替え要求が含まれる（ステップＳ８９２）。
【１０９３】
次に、ＭＭＥ１６２は、上記パス切り替え要求を含むベアラ変更要求をＳ−ＧＷ１６１Ｂへ送信する（ステップＳ８９３）。
【１０９４】
そして、Ｓ−ＧＷ１６１Ｂは、ＭＭＥ１６２からベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。そして、Ｓ−ＧＷ１６１Ｂは、ベアラ変更要求に対する、パス切り替え応答を含むベアラ変更応答をＭＭＥ１６２へ送信する（ステップＳ８９４）。
【１０９５】
そして、Ｓ−ＧＷ１６１Ａは、エンドマーカが付された対象パケットを無線基地局装置１０１Ａへ送信し、対象パケットの無線基地局装置１０１Ａへの送信を終了して、対象パケットの無線基地局装置１０１Ｂへの送信を開始する。また、無線基地局装置１０１Ｂは、無線基地局装置１０１Ａを経由していないＳ−ＧＷ１６１Ｂからの対象パケットの無線端末装置２０２への送信を保留し、蓄積しておく。
【１０９６】
そして、無線基地局装置１０１Ａは、Ｓ−ＧＷ１６１Ａから受信したエンドマーカ付きの対象パケットをＳ−ＧＷ１６１ＡおよびＳ−ＧＷ１６１Ｂ経由で無線基地局装置１０１Ｂへ転送する。このとき、無線基地局装置１０１Ａは、無線基地局装置１０１Ｂへ転送する対象パケットの最後を、このエンドマーカ付きの対象パケットとする。
【１０９７】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１Ｂからの対象パケットの無線端末装置２０２への送信を開始する。
【１０９８】
次に、ＭＭＥ１６２は、Ｐ−ＧＷ１６３と無線基地局装置１０１Ａとの間の通信経路の削除をＳ−ＧＷ１６１Ａへ要求する（ステップＳ８９５）。
【１０９９】
次に、Ｓ−ＧＷ１６１Ａは、ＭＭＥ１６２から通信経路の削除要求を受信して、Ｐ−ＧＷ１６３と無線基地局装置１０１Ａとの間の通信経路を削除し、通信経路の削除応答をＭＭＥ１６２へ送信する（ステップＳ８９６）。
【１１００】
次に、ＭＭＥ１６２は、端末情報解放指示を無線基地局装置１０１Ａへ送信する（ステップＳ８９７）。
【１１０１】
次に、無線基地局装置１０１Ａは、ＭＭＥ１６２から端末情報解放指示を受信して、ハンドオーバ先として選択されて無線基地局装置１０１Ｂ以外の無線基地局装置、すなわち無線基地局装置１０１Ｃへのハンドオーバ中止通知をＭＭＥ１６２へ送信する（ステップＳ８９８）。
【１１０２】
次に、ＭＭＥ１６２は、Ｐ−ＧＷ１６３と無線基地局装置１０１Ｃとの間の通信経路の削除をＳ−ＧＷ１６１Ｃへ要求する（ステップＳ８９９）。
【１１０３】
次に、Ｓ−ＧＷ１６１Ｃは、ＭＭＥ１６２から通信経路の削除要求を受信して、Ｐ−ＧＷ１６３と無線基地局装置１０１Ｃとの間の通信経路を削除し、通信経路の削除応答をＭＭＥ１６２へ送信する（ステップＳ９００）。
【１１０４】
次に、ＭＭＥ１６２は、Ｓ−ＧＷ１６１Ｃから通信経路の削除応答を受信して、端末情報解放指示を無線基地局装置１０１Ｃへ送信する（ステップＳ９０１）。
【１１０５】
次に、無線基地局装置１０１Ｃは、ＭＭＥ１６２から端末情報解放指示を受信して、無線端末装置２０２に関する情報を解放し、ＭＭＥ１６２へ端末情報解放完了通知を送信する（ステップＳ９０２）。
【１１０６】
次に、ＭＭＥ１６２は、無線基地局装置１０１Ｃから端末情報解放完了通知を受信して、ハンドオーバ中止応答を無線基地局装置１０１Ａへ送信する（ステップＳ９０３）。
【１１０７】
次に、無線基地局装置１０１Ａは、ＭＭＥ１６２からハンドオーバ中止応答を受信して、無線端末装置２０２に関する情報を解放し、ＭＭＥ１６２へ端末情報解放完了通知を送信する（ステップＳ９０４）。
【１１０８】
次に、ＭＭＥ１６２は、Ｐ−ＧＷ１６３と無線基地局装置１０１Ａとの間の通信経路の削除をＳ−ＧＷ１６１Ａへ要求する（ステップＳ９０５）。
【１１０９】
次に、ＭＭＥ１６２は、Ｓ−ＧＷ１６１Ｂと無線基地局装置１０１Ｂとの間の論理的な通信経路、すなわちデータフォワーディングパスの削除をＳ−ＧＷ１６１Ｂへ要求する（ステップＳ９０６）。
【１１１０】
次に、Ｓ−ＧＷ１６１Ａは、ＭＭＥ１６２から通信経路の削除要求を受信して、Ｐ−ＧＷ１６３と無線基地局装置１０１Ａとの間の通信経路を削除し、通信経路の削除応答をＭＭＥ１６２へ送信する（ステップＳ９０７）。
【１１１１】
次に、Ｓ−ＧＷ１６１Ｂは、ＭＭＥ１６２からデータフォワーディングパスの削除要求を受信すると、Ｓ−ＧＷ１６１Ｂと無線基地局装置１０１Ｂとの間の論理的な通信経路の削除を行い、データフォワーディングパスの削除応答をＭＭＥ１６２へ送信する（ステップＳ９０８）。
【１１１２】
また、ＭＭＥ１６２は、Ｓ−ＧＷ１６１Ａと無線基地局装置１０１Ａとの間の論理的な通信経路、すなわちデータフォワーディングパスの削除をＳ−ＧＷ１６１Ａへ要求する（ステップＳ９０９）。
【１１１３】
また、ＭＭＥ１６２は、Ｓ−ＧＷ１６１Ｃと無線基地局装置１０１Ｃとの間の論理的な通信経路、すなわちデータフォワーディングパスの削除をＳ−ＧＷ１６１Ｃへ要求する（ステップＳ９１０）。
【１１１４】
次に、Ｓ−ＧＷ１６１Ａは、ＭＭＥ１６２からデータフォワーディングパスの削除要求を受信すると、Ｓ−ＧＷ１６１Ａと無線基地局装置１０１Ａとの間の論理的な通信経路の削除を行い、データフォワーディングパスの削除応答をＭＭＥ１６２へ送信する（ステップＳ９１１）。
【１１１５】
また、Ｓ−ＧＷ１６１Ｃは、ＭＭＥ１６２からデータフォワーディングパスの削除要求を受信すると、Ｓ−ＧＷ１６１Ｃと無線基地局装置１０１Ｃとの間の論理的な通信経路の削除を行い、データフォワーディングパスの削除応答をＭＭＥ１６２へ送信する（ステップＳ９１２）。
【１１１６】
なお、図７４および図７６に示すシーケンスにおける無線基地局装置１０１Ａおよび無線端末装置２０２間の通信品質として、ＣＱＩレポートの値を利用してもよい。
【１１１７】
このように、本発明の第５の実施の形態に係る無線通信システム４０８において、ＭＭＥ１６２Ａは、無線基地局装置１０１Ａからハンドオーバ先として無線基地局装置１０１Ｂ，１０１Ｃを示すハンドオーバ要求を受信し、ハンドオーバ要求の示す無線基地局装置１０１Ｂ，１０１Ｃごとに、無線基地局装置１０１Ａと上位ネットワークとの間に接続されているゲートウェイ装置１６１Ａと、無線基地局装置１０１Ｂ，１０１Ｃと上位ネットワークとの間に接続されているゲートウェイ装置１６１Ｂ，１６１Ｃとが異なるか否かを判断し、異なると判断したゲートウェイ装置１６１Ｂ，１６１Ｃへ通信経路作成要求を送信する。
【１１１８】
ある周辺基地局へのハンドオーバ動作の準備処理の完了後に無線端末装置２０２が移動することで、当該周辺基地局に関する無線端末装置２０２の電波状況が悪化する場合が考えられる。このような場合でも、他の周辺基地局との間のハンドオーバ動作の準備処理が完了していることから、当該他の周辺基地局へのハンドオーバ動作を短時間で行うことができるため、無線端末装置２０２と無線基地局装置１０１Ａ，１０１Ｂ，１０１Ｃとの間の通信が途切れることを防ぐことができる。
【１１１９】
また、上記のように、周辺基地局に関する無線端末装置２０２の電波状況が悪化した場合であっても、他の周辺基地局との間のハンドオーバ動作の準備処理が完了しているため、ハンドオーバ動作の準備処理およびハンドオーバ動作の中止処理のための情報の送受信が繰り返されることを防ぎ、無線通信システムにおける負荷を軽減させることができる。
【１１２０】
なお、本発明の第５の実施の形態では、ハンドオーバ動作においてＭＭＥの切り替えが必要な場合と、ハンドオーバ動作においてＳ−ＧＷの切り替えが必要な場合とを説明したが、本発明に係る無線通信システムは、ハンドオーバ動作においてＭＭＥおよびＳ−ＧＷの切り替えが必要な場合であっても対応することができる。
【１１２１】
また、本発明の第５の実施の形態では、無線端末装置２０２の通信接続先である無線基地局装置１０１Ａが、複数のハンドオーバ先の候補からハンドオーバ先を選択する場合について説明したが、無線端末装置２０２が無線基地局装置１０１Ａから複数のハンドオーバ先の候補を示す情報を受信して、無線端末装置２０２が複数のハンドオーバ先の候補からハンドオーバ先を選択する構成であってもよい。
【１１２２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【１１２３】
１１  受信電力情報取得部（第１測定情報取得部）
１２  受信品質情報取得部（第２測定情報取得部）
１３  ハンドオーバ動作判断部
１４  条件設定部
２１  ハンドオーバ要求部
２２  ハンドオーバ指示部
２３  ハンドオーバ条件調整部
２４  ハンドオーバ情報取得部
２５  端末測定結果取得部
３１  アンテナ
３２  サーキュレータ
３３  受信部
３４  送信部
３５  信号処理部
３６  受信信号処理部
３７  選択部
３８  通信制御部
９１  アンテナ
９２  サーキュレータ
９３  無線受信部
９４  無線送信部
９５  信号処理部
９６  受信信号処理部
９７  送信信号処理部
９８  制御部
１０１Ａ，１０１Ｂ，１０１Ｃ  無線基地局装置
１６１  Ｓ−ＧＷ（ゲートウェイ装置）
１６１Ａ  Ｓ−ＧＷ（ゲートウェイ装置）
１６１Ｂ  Ｓ−ＧＷ（ゲートウェイ装置）
１６１Ｃ  Ｓ−ＧＷ（ゲートウェイ装置）
１６２  ＭＭＥ（通信制御装置）
１６２Ａ  ＭＭＥ（通信制御装置）
１６２Ｂ  ＭＭＥ（通信制御装置）
１６２Ｃ  ＭＭＥ（通信制御装置）
１６３  Ｐ−ＧＷ
２０２  無線端末装置
３０１  コアネットワーク
３０２  ＩＰ網（上位ネットワーク）
４０１，４０２，４０３  無線通信システム
４０４，４０５，４０６，４０７，４０８  無線通信システム
【図１】
2013157974.tif 000003
【図２】
2013157974.tif 000004
【図３】
2013157974.tif 000005
【図４】
2013157974.tif 000006
【図５】
2013157974.tif 000007
【図６】
2013157974.tif 000008
【図７】
2013157974.tif 000009
【図８】
2013157974.tif 000010
【図９】
2013157974.tif 000011
【図１０】
2013157974.tif 000012
【図１１】
2013157974.tif 000013
【図１２】
2013157974.tif 000014
【図１３】
2013157974.tif 000015
【図１４】
2013157974.tif 000016
【図１５】
2013157974.tif 000017
【図１６】
2013157974.tif 000018
【図１７】
2013157974.tif 000019
【図１８】
2013157974.tif 000020
【図１９】
2013157974.tif 000021
【図２０】
2013157974.tif 000022
【図２１】
2013157974.tif 000023
【図２２】
2013157974.tif 000024
【図２３】
2013157974.tif 000025
【図２４】
2013157974.tif 000026
【図２５】
2013157974.tif 000027
【図２６】
2013157974.tif 000028
【図２７】
2013157974.tif 000029
【図２８】
2013157974.tif 000030
【図２９】
2013157974.tif 000031
【図３０】
2013157974.tif 000032
【図３１】
2013157974.tif 000033
【図３２】
2013157974.tif 000034
【図３３】
2013157974.tif 000035
【図３４】
2013157974.tif 000036
【図３５】
2013157974.tif 000037
【図３６】
2013157974.tif 000038
【図３７】
2013157974.tif 000039
【図３８】
2013157974.tif 000040
【図３９】
2013157974.tif 000041
【図４０】
2013157974.tif 000042
【図４１】
2013157974.tif 000043
【図４２】
2013157974.tif 000044
【図４３】
2013157974.tif 000045
【図４４】
2013157974.tif 000046
【図４５】
2013157974.tif 000047
【図４６】
2013157974.tif 000048
【図４７】
2013157974.tif 000049
【図４８】
2013157974.tif 000050
【図４９】
2013157974.tif 000051
【図５０】
2013157974.tif 000052
【図５１】
2013157974.tif 000053
【図５２】
2013157974.tif 000054
【図５３】
2013157974.tif 000055
【図５４】
2013157974.tif 000056
【図５５】
2013157974.tif 000057
【図５６】
2013157974.tif 000058
【図５７】
2013157974.tif 000059
【図５８】
2013157974.tif 000060
【図５９】
2013157974.tif 000061
【図６０】
2013157974.tif 000062
【図６１】
2013157974.tif 000063
【図６２】
2013157974.tif 000064
【図６３】
2013157974.tif 000065
【図６４】
2013157974.tif 000066
【図６５】
2013157974.tif 000067
【図６６】
2013157974.tif 000068
【図６７】
2013157974.tif 000069
【図６８】
2013157974.tif 000070
【図６９】
2013157974.tif 000071
【図７０】
2013157974.tif 000072
【図７１】
2013157974.tif 000073
【図７２】
2013157974.tif 000074
【図７３】
2013157974.tif 000075
【図７４】
2013157974.tif 000076
【図７５】
2013157974.tif 000077
【図７６】
2013157974.tif 000078